(57)【要約】本発明は、ポインティング・デバイスの筆記チップに向けられており、当該チップは、筆記表面上における筆記チップを用いた筆記の間に、筆記表面と筆記チップとの接触が、異なる方向に応じて異なるサウンドを生成するように構造化された表面を備える。少なくとも筆記チップによって生成されたサウンドの認識を基礎とする手書き認識システムが提供され、当該チップは、筆記表面上における筆記チップを用いた筆記の間に、筆記表面と筆記チップとの接触が、認識システムによる使用のために、異なる方向に応じて異なるサウンドを生成するように構造化された表面を備える。
2004517398.tif 000002
【特許請求の範囲】
【請求項１】
ポインティング・デバイスの筆記チップであって、
筆記表面上における前記筆記チップを用いた筆記の間に、前記筆記チップと前記筆記表面との接触が、異なる方向で異なるサウンドを生成する態様で構造化された表面を、前記筆記チップが有するポインティング・デバイスの筆記チップ。
【請求項２】
少なくとも筆記チップによって生成されるサウンドの認識を基礎とする手書き認識システムであって、
前記筆記チップが、筆記表面上における前記筆記チップを用いた筆記の間に、前記筆記チップと前記筆記表面との接触が異なる方向で異なるサウンドを生成する態様で構造化された表面を有する手書き認識システム。
【請求項３】
少なくとも筆記チップによって生成される波形の認識を基礎とする手書き認識システムであって、
前記筆記チップが、筆記表面上における前記筆記チップを用いた筆記の間に、前記筆記チップと前記筆記表面との接触が異なる方向で異なる波形を生成する態様で構造化されたセンサを有する表面を有する手書き認識システム。
【請求項４】
前記波形が、前記センサによって検出された振動によって生成される、請求項３記載のデバイス。
【請求項５】
前記波形が、前記センサによって検出された熱によって生成される、請求項３記載のデバイス。
【請求項６】
スタイラス‐タイプの電子デバイス用のディスプレイ・ユニットであって、
前記電子デバイスの表面の少なくとも実質的な部分を覆う態様で前記電子デバイスの周囲に巻き付けられるディスプレイ・ユニット。
【請求項７】
スタイラス‐タイプの電子機器用のポインティングおよび選択ユニットとして動作するマウス・デバイスであって、
前記マウスが前記スタイラス‐タイプの電子デバイスの軸内の前記電子デバイスの一端に取り付けられるマウス・デバイス。
【請求項８】
前記マウスが回転動作を有する、請求項６記載のデバイス。
【請求項９】
前記マウスが、前記スタイラスの軸方向に少なくとも２つのポジションを有する、請求項６記載のデバイス。
【請求項１０】
前記マウスが、前記スタイラスの軸方向におけるクリック動作を有する、請求項６記載のデバイス。
【請求項１１】
前記マウスが、前記マウス上の異なる位置に印加された圧力に応答し、それにおいて前記圧力が、スタイラスの軸方向に対して垂直の各種方向に印加されるものとする、請求項６記載のデバイス。
【請求項１２】
筆記チップを備えるスタイラス‐タイプの電子デバイスであって、
前記筆記チップは、筆記表面上における前記筆記チップを用いた筆記の間に、前記筆記チップと前記筆記表面との接触が異なる方向で異なるサウンドを生成する態様で構造化された表面を有するスタイラス‐タイプの電子デバイス。
【請求項１３】
少なくとも筆記チップによって生成されるサウンドの認識を基礎とする手書き認識システムを備えるスタイラス‐タイプの電子デバイスであって、
前記筆記チップが、筆記表面上における前記筆記チップを用いた筆記の間に、前記筆記チップと前記筆記表面との接触が異なる方向で異なるサウンドを生成する態様で構造化された表面を有するスタイラス‐タイプの電子デバイス。
【請求項１４】
少なくとも、筆記表面上の筆記手順によって生成されるサウンドの認識を基礎とする手書き認識システムを備えるスタイラス‐タイプの電子デバイス。
【請求項１５】
表面上に印刷されたバーコードに基づいて前記表面上のポジションを認識する手段であって、
前記バーコードがバーの間の交点を提供する態様で複数方向に配列された前記バーを備える、ポジションを認識する手段。
【発明の詳細な説明】
【０００１】
（発明の分野）
本発明は、容易、自然、かつ迅速なフル・テキストならびに機能の入力を提供することが可能な手書きサウンド認識システムを基礎とするデータ入力システムおよび方法に関する。また本発明は、モバイルならびに据え置き型電子デバイス用の、データの入力および操作のためのコンピュータ・マウス・システムにも関する。さらにこれは、上記のデータ入力方法および手段を使用するスタイラス‐タイプのコンピュータ・デバイスに関する。
【０００２】
（発明の背景）
今日のテクノロジの向上にとって、小型化は重要な要素であり、それによってサイズのみが理由で実現できなかった多くのデバイスの製造が可能になる。実際、まったくの本質において、たとえばポータブル・コンピュータならびにセルラ電話は、そのサイズが第１の特徴となる。
【０００３】
しかしながら、いくつかの分野においては、基本的には人間が使用するという制限から小型化の発展に多くの障害が存在する。たとえば、財布の中に収まるポータブル・コンピュータがあると望ましいと考えられるが、その種のコンピュータも、人間とコンピュータのインタラクションを可能にする大きな入力デバイスなくしては役立たない。言い換えると、複雑な小型コンピュータならびにセルラ電話（現在は、インターネット、ｅ‐メール、ｍ‐コマース、ショート・メッセージ・サービス等にも使用されている）、ノートブック、携帯情報端末（ＰＤＡ）デバイス等のデバイスは、ユーザによる電話番号の入力、ｅ‐メールの送信もしくは文字の書き込みといったことを可能にするために、いずれもキーボード、数字パッドあるいはそのほかの入力ファシリティを必要とする。また、入力されたデータあるいは受信されたデータを表示するために好都合なＬＣＤディスプレイも重要な特徴である。このように、小型化のテクノロジに達成可能な進歩があれば、その一方に、特定のデバイスの真に小型化された状態の実現を妨げる人的要因が存在する。
【０００４】
よく知られているように、成功している技術製品の主要な特徴は、その容易な操作にある。上記の機器ならびに類似デバイスの場合であれば、迅速かつ容易な、また最も重要なことであるが、自然な、フル・テキストならびに機能の入力システムが決定的となる。また、標準テキスト行の幅の表示デバイスも価値が高い。
【０００５】
小さい通信デバイスを使用し、いかにして迅速かつ容易にテキストならびに機能を入力するかという、この基本的なマン‐マシン‐インターフェースの問題を解決するための提案もいくつかなされている。
【０００６】
電話機タイプのキーパッドは、小型エレクトロニクスならびにテレコミュニケーション機器用のもっとも一般的な入力デバイスである。モバイルならびに通常の電話、ＰＤＡ、ノートブック、ラップトップ、ファクシミリ、ＴＶその他の電子デバイスのリモート・コントロール、カメラといった多くの電子デバイスにもこの種のキーパッドが組み込まれている。このキーパッドは、通常、１２のキーを有しているが、テキストあるいはメッセージの書き込みに使用されるキャラクタならびに機能の数は、少なくともその７倍はある。たとえば、コンピュータのキーボードは、８０を超えるキーを有し、それらのキーの一部は、２つのキャラクタ、記号もしくは機能によって兼用されている。
【０００７】
キーの数が不充分であることに起因する電話キーパッド（たとえば、モバイル電話用キーパッド）の制限から、標準電話キーパッドの各キーには、キャラクタのグループならびに通常は１つの数字が割り当てられている。インターネットの使用、あるいは短いメッセージの入力であっても、多くの複雑性がユーザを拘束する。
【０００８】
この問題の１つの解決策は、単一のキーを複数回にわたって押すことによりそのキーによって表される文字もしくは記号の中から１つを選択することである。現在は、ほとんどのモバイル電話キーパッドが、このシステムを使用している。これは、時間を要する方法であり、ユーザにフラストレーションを起こさせる。
【０００９】
このシステムを改善するために、単語を明確にするソフトウエア・プロダクツが開発されている。これは、辞書データベースおよび言語モデルを使用し、押されたキーに応じて可能性のある単語をスキャンして呈示する。続いてユーザが、呈示された可能性の中から希望する単語を選択する。この種のアプローチには、語彙外の単語、あるいはユーザに対する単語の選択の強要等の多くの問題が関係する。それに加えて、ここでも数字もしくは個別キャラクタの入力に時間を要することになる。
【００１０】
この問題を解決するために外付けの小型キーボードも製造されているが、それによりユーザには２つの異なる機器の携行が強要され、容易な可搬性という小型エレクトロニクス製品の基本的な理念と衝突する。
【００１１】
その種の限界の克服を試みた最近のテクノロジの１つに、音声／言葉認識テクノロジがある。音声認識は、個人の音声に含まれる１ないしは複数の音声パターンを、対応するコンピュータ入力コマンド、単語または機能として認識する処理である。たとえばユーザは、キーボード上において文字をタイプする代わりにその文字を声に出し、認識エンジンが、その文字の音声パターンと、その文字に対応するコンピュータ入力キャラクタを関連付けする。つまり、ユーザの音声がすべての入力を提供することになるため、各個人は、入力デバイスを用いることなく、この方法に従ってデバイスを操作することができる。残念ながら、個人の音声の有する多くの複雑な側面を考慮すると、入力デバイスに完全に代わることができる充分なレベルで正確に音声パターンの認識を行う認識デバイスはまだ存在しない。
【００１２】
それに加えて『Ｂ』と『Ｐ』、あるいは『Ｄ』と『Ｔ』といった、スピーチ・エンジンにとって混同しやすい文字もいくつか存在する。ただしこれは、必ずしもこの種のエンジンの欠陥ではなく、これらは、人間にとっても混同しやすい文字である。次に、音声／言葉認識システムに関係する問題点ならびに欠点をリストする。
‐単一言語のみ、ほとんどの場合は英語
‐単一個人の音声のみを認識
‐外部ノイズの擾乱（特に、モバイル・テレコミュニケーション機器の使用時）により認識精度が低下
‐訂正の不便から小型ディスプレイに不向き（特に、モバイル電話等の小型ＬＣＤ付きの機器の使用時）
‐単一の単語を声に出したとき（連続しない言葉）に多くの誤りを発生
‐類音語（例：ｔｗｏ、ｔｏ、ｔｏｏ）
‐数字を記述する場合のユーザの意図が予測不可（例：ｔｗｅｎｔｙ  ｆｏｕｒ、２４）
‐数字と記号が混在する場合のユーザの意図が予測不可（例：ｓｉｘ  ｂｙ  ｆｏｕｒ、６  ｂｙ  ４、６×４）
‐文字の間の区別が困難（例：Ｂ、Ｐ）
‐通常は１シラブルで多数の文字が発音されて差の認識が困難（例：『ｗｒｉｔｅ』、『ｒｉｇｈｔ』）。
【００１３】
最も重要なことは、プライバシーの問題であり、このシステムは、たとえば公共の場での使用に適していないと考えられる。文字、単語、あるいはコマンドを声に出すことは、孤立したシステムではない。
【００１４】
もう１つのデータ入力方法は、手書き文字認識システムである。この方法については、各種のアプローチを考えることができる。
【００１５】
（ａ）ドキュメントが手書きされた後に、光学リーダ等の手段によって読み取られディジタル化される（たとえば、遅延手順）。個人ごとに完全に異なる手書き図形に頼ることから、このシステムを介した個人の手書き文字認識は極めて複雑になる。この方法を基礎とした適切な認識システムはまだ存在しない。
【００１６】
（ｂ）ＰＤＡデバイス、光学リーダ等のリアルタイム手書き文字認識手段が、手書きによる図形、その図形が書かれるときのペンの方向、図形の中の角度、図形の中の各ポイントが書かれたタイミング等の複数の入力パラメータを即座に処理する。
【００１７】
文字および記号がしばしば単純な図形となり、多くの場合には類似して見えることから、認識エンジンによる認識誤りを生じることがある。そのため、文字を書く上でのいくつかの制限がユーザに課せられている。
【００１８】
このシステムを使用するもっともよく知られた機器は、パーム‐タイプのＰＤＡデバイスである。このデバイスは、ディジタイザ・システムおよび傷つきやすい筆記表面を有している。その表面上に図形を書くための対応のペンも提供される。またディジタル化の後に入力されたデータを表示するための小型のスクリーンも備えられている。通常、１つの記号を筆記する手順は、筆記表面から最後までペンを離すことなく行われなければならない。テキストは、文字ごとに離して書かれる必要がある。次に、このシステムの欠点をリストする。
‐傷つきやすい筆記表面を持ち運ぶことが必要。
‐ＰＤＡの筆記表面が小さく、ユーザは、そこからはみ出ないように注意しなければならないことから筆記が遅くなる。
‐ＰＤＡおよび対応するペンを携行しなければならず、加えて、これはより重要なことであるが、両手を使用する必要があり、モバイル環境に好都合でない
‐ディスプレイのサイズが小さい。
‐ＰＤＡ自体がかさばり、たとえばユーザのポケット内に入れて常時持ち歩くことができない。
【００１９】
小型化が重要視されるにもかかわらず、ポータブルおよびそのほかの電子デバイスは、セキュリティならびに効率といった多くの問題を抱えている。たとえば、セルラ電話を置き忘れたか、あるいはなくした者は、窃盗犯もしくは他者がその電話を不法に使用することによって料金が発生する前に、直ちに通信サービスを打ち切らなければならない。この種の権限のない使用を防止するための周知の方法の１つに、セルラ電話もしくはそのほかの暗号システムを有するデバイスのロックがある。このシステムは、多くの場合に有効であるが、真のオーナにとっては、発信に先行する冗長なプロセスを経てから電話をアクティブにしなければならないことから、面倒であり、非効率である。同様に、多くの電子デバイスの権限のない使用を防止する単純な方法はなく、暗号システムを伴うデバイスをロックするか、あるいはそのほかの時間を要する不便なプロセスを最初に伴うことになる。
【００２０】
セキュリティ問題は、たとえば、ユーザのクレジット・カード番号もしくは銀行口座情報を必要とするｅ‐コマースあるいはバンキング運用等を目的として機器が使用されるときには一層不可欠なものとなる。
【００２１】
このように、今必要とされているものは、上記のユーザを締め付けるジレンマを解決し、小型化が、その真の可能性を継続的に実現していくことができるテクノロジである。さらに、この種のテクノロジは、特にデバイスならびに情報の権限のない使用を防止することが可能な、従来技術に比較して、より安全であり、かつ効果的な手段を提供する必要がある。
【００２２】
本発明は、データ入力を必要とする電子機器（特に、モバイル通信機器）に、慣れ親しんだ、迅速であり、かつ容易なデータ入力システムを提供することを目的とする。また本発明は、孤立した、迅速かつ容易なデータ入力および操作機能を有し、ユーザが、たとえばＡ３／Ａ４用紙幅のディスプレイ上で作業することを可能にする大型ディスプレイを備えた、日常的であり、かつ携行容易なスタイラス‐タイプのコンピュータもしくはＰＤＡをユーザに提供することを別の目的とする。以下に説明するシステム、デバイス、および方法は、独立に使用されてもよく、またほかの通信デバイスならびにシステムとともに使用されるものとしてもよい。
【００２３】
（図面の簡単な説明）
図面においては、複数の観点を通じて、類似する要素には類似する参照記号が割り当てられている。
Ｆｉｇ．１ａは、ペンおよび筆記表面を示した説明図である。
Ｆｉｇ．１ｂは、筆記の間におけるペンの方向の例を示した説明図である。
Ｆｉｇ．２ａは、２つの方向の線を筆記しているペンを示した説明図である。
Ｆｉｇ．２ｂは、上記の線を筆記するときのペンと筆記表面の接触によって生成される仮想的なサウンドの波形を示した説明図である。
Ｆｉｇ．３ａは、筆記表面上における筆記時に、異なる方向ごとに異なるサウンドを生成する望ましい筆記具のチップを示した説明図である。
Ｆｉｇ．３ｂは、上記の異なるサウンドを生成するための筆記具のチップの表面構造を示した説明図である。
Ｆｉｇ．３ｃは、方向の異なる２本の類似の線を描画する間に、ポインティング・デバイスの構造化されたチップによって生成される２つの異なるサウンド波形を示した説明図である。
Ｆｉｇ．３ｄは、Ｆｉｇ．３ｂに示されるようなペン先によって筆記された記号、および筆記表面上におけるその記号の筆記の間に前記ペン先によって生成されるサウンドの波形を示した説明図である。
Ｆｉｇ．４ａは、筆記表面上における異なる方向のストロークの間の異なるサウンドの生成を向上させた各種形状の筆記チップの例を示した説明図である。
Ｆｉｇ．４ｂは、筆記表面上における異なる方向のストロークの間の異なるサウンドの生成を向上させた各種テクスチャの筆記チップの例を示した説明図である。
Ｆｉｇ．４ｃは、筆記表面上における異なる方向のストロークの間の異なるサウンドの生成を向上させた各種形状および各種テクスチャの組み合わせによる筆記チップの例を示した説明図である。
Ｆｉｇ．４ｄは、ユーザが筆記を行う間の筆記表面に対する筆記具の角度を示した説明図である。
Ｆｉｇ．４ｅは、筆記の間における円錐（たとえば凸状）のペン先と筆記表面の接触エリアを示した説明図である。
Ｆｉｇ．４ｆは、ペン軸のポジションに対する２つの異なる回転における、筆記表面上のペン先の２つの異なる接触エリアを示した正面図である。
Ｆｉｇ．４ｇは、別のポインティング・デバイスの構造化されたチップ形状を示した側面図ならびに正面図である。
Ｆｉｇ．５ａは、ペンによって生成された手書き文字図形を示した説明図である。
Ｆｉｇ．５ｂは、その文字を筆記する間の、前記ペンと筆記表面の接触によって生成されたサウンドの仮想的なグラフを示した説明図である。
Ｆｉｇ．５ｃは、その文字を声に出したときの仮想的な音声グラフを示した説明図である。
Ｆｉｇ．６は、英字および記号を表すキーを備える標準的なコンピュータ・キーボードを示した説明図である。
Ｆｉｇ．６ａは、類似する手書きキャラクタを示した説明図である。
Ｆｉｇ．６ｂは、印刷および手書きによる英語の大文字ならびに小文字、および類似の記号を示した説明図である。
Ｆｉｇ．６ｃは、類似する３つのキャラクタの手書き方法、および認識システムによる区別の方法を示した説明図である。
Ｆｉｇ．６ｄは、さらに別の類似の手書きキャラクタおよび区別を可能にするための筆記方法の提案を示した説明図である。
Ｆｉｇ．６ｅは、類似する数字およびキャラクタを示した説明図である。
Ｆｉｇ．６ｆ〜６ｊは、カテゴリごとの印刷および手書きによるキャラクタ、および認識システムがそれらを容易に認識できるように、それらを筆記する間に守るべき方向の提案を示した説明図である。
Ｆｉｇ．６ｋは、キーボードにプリントされているすべてのキャラクタ、および認識システムがそれらを容易に認識できるように、それらを筆記する間に守るべき方向の提案を示した説明図である。
Ｆｉｇ．７は、本発明の一実施態様に従った手書き認識処理を示したブロック図である。
Ｆｉｇ．７ａは、入力システムとして手書きサウンド認識システムを使用するスタイラス‐タイプのコンピュータを示した説明図である。
Ｆｉｇ．７ｂは、追加の特徴が備えられた前記スタイラス‐タイプのコンピュータ用のペン‐タイプのチップの正面図である。
Ｆｉｇ．７ｃは、本発明の一実施態様に従ったスタイラス‐タイプのコンピュータを示した説明図である。
Ｆｉｇ．７ｄは、本発明の一実施態様に従ったスタイラス‐タイプのコンピュータの筆記チップの正面図である。
Ｆｉｇ．７ｅは、筆記の間における筆記表面上のポインティング・チップの接触のサウンドを増幅するための指数関数曲線形状を有する手段を備えたスタイラス‐タイプのコンピュータを示した説明図である。
Ｆｉｇ．７ｆは、筆記の間における筆記表面上のポインティング・チップの接触のサウンドを増幅するための共振チャンバを備えたスタイラス‐タイプのコンピュータを示した説明図である。
Ｆｉｇ．８ａ〜８ｄは、本発明の一実施態様に従ったスタイラス‐タイプのコンピュータ、およびライティング・チップの閉じられたポジション、開かれたポジション、筆記中のポジションを示した説明図である。
Ｆｉｇ．９ａ〜９ｃは、本発明の一実施態様に従ったコンピュータのイレーシング機能およびイレーシング手順を示した説明図である。
Ｆｉｇ．１０ａ〜１０ｂは、本発明の一実施態様に従ったコンピュータの別のイレーシング手順を示した説明図である。
Ｆｉｇ．１１は、平面もしくは凸状のＬＣＤディスプレイを備える本発明の一実施態様に従ったスタイラス‐タイプのコンピュータを示した説明図である。
Ｆｉｇ．１１ａは、曲面もしくは円筒状（たとえば凸状）のＬＣＤディスプレイを備える本発明の一実施態様に従ったスタイラス‐タイプのコンピュータを示した説明図である。
Ｆｉｇ．１１ｂ〜１１ｃは、前記曲面／円筒状ディスプレイの平均的なサイズを示した説明図である。
Ｆｉｇ．１２は、本発明の一実施態様に従った、データを操作し、最終的にはデータを入力するためのボタン・タイプのマウスを備えるスタイラス‐タイプのコンピュータを示した説明図である。
Ｆｉｇ．１２ａは、本発明の一実施態様に従った前記マウスのペン軸方向の動きおよびポジションを示した説明図である。
Ｆｉｇ．１２ｂは、本発明の一実施態様に従った前記マウスをペン軸方向にクリックする動き／ポジションを示した説明図である。
Ｆｉｇ．１２ｃは、本発明の一実施態様に従った各ポジションにおける前記マウスのスタイラス軸周りの回転を示した説明図である。
Ｆｉｇ．１２ｄは、本発明の一実施態様に従ったマウスをユーザがスタイラス軸と垂直に押すことによって生じる、前記マウスの別の種類の動きを示した側面図である。
Ｆｉｇ．１２ｅは、マウスの正面図およびそれを押す方向を示した正面図である。
Ｆｉｇ．１２ｆは、スタイラス‐タイプのコンピュータのディスプレイ上のポインタ／セレクタ手段を操作するためのブル（ｂｕｌｌ）を有するマウスを示した側面図および正面図である。
Ｆｉｇ．１３ａ〜１３ｃは、本発明の一実施態様に従ったマウスによってメニュー・リストを選択する方法を示した説明図である。
Ｆｉｇ．１４ａ〜１４ｆは、本発明の一実施態様に従ったマウス操作によってメニューを選択する方法を示した説明図である。
Ｆｉｇ．１５ａ〜１５ｈは、本発明の一実施態様に従って、マウスを使用してメニュー・バーおよび機能を選択する方法を示した説明図である。
Ｆｉｇ．１６ａ〜１６ｄは、本発明の一実施態様に従って、マウスを使用してＬＣＤディスプレイ上のテキストを前送りまたは逆送りする方法を示した説明図である。
Ｆｉｇ．１７ａ〜１７ｆは、本発明の一実施態様に従って、マウスを使用してテキスト内のカーソルをキャラクタ単位で前送りまたは逆送りする方法を示した説明図である。
Ｆｉｇ．１８ａ〜１８ｄは、本発明の一実施態様に従って、あらかじめ決定済みのポジションにマウスがある場合に、スクリーン上に表示されたドキュメント上のテキスト選択インジケータを移動する方法を示した説明図である。
Ｆｉｇ．１９ａ〜１９ｅは、本発明の一実施態様に従ったマウスの使用によりテキストの部分を選択する手順を示した説明図である。
Ｆｉｇ．１９ａ〜１９ｄは、本発明の一実施態様に従ったマウスの使用によるコピー手順を示した説明図である。
Ｆｉｇ．２１ａ〜２１ｅは、本発明の一実施態様に従ったマウスの使用によるペースト手順を示した説明図である。
Ｆｉｇ．２２ａ〜２２ｂは、本発明の一実施態様に従ったイレーサの使用により選択したテキストを削除する方法を示した説明図である。
Ｆｉｇ．２２ｃは、本発明の一実施態様に従ったイレーサの使用により選択したテキストを削除する方法を示した説明図である。
Ｆｉｇ．２３ａ〜２３ｅは、本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
Ｆｉｇ．２４ａ〜２２４ｈは、本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
Ｆｉｇ．２４ｉ〜２２４ｎは、本発明の一実施態様に従ってマウスをスタイラス軸と垂直に押すことによってテキスト内のカーソルを操作する方法を示した説明図である。
Ｆｉｇ．２５は、マウスの各種ポジションおよび各ポジションにおけるクリック方向を示した説明図である。
Ｆｉｇ．２５ａは、１つのあらかじめ決定済みのポジションにあるマウス、およびそのポジションにおけるマウスの動きに割り当てられたテキスト操作手順およびステップを示した説明図である。
Ｆｉｇ．２５ｂは、別のあらかじめ決定済みのポジションにあるマウス、およびそのポジションにおけるマウスの動きに割り当てられたメニューならびに機能の操作手順およびステップを示した説明図である。
Ｆｉｇ．２６ａ〜２６ｃは、スタイラス‐タイプのコンピュータに関して説明したマウス・システムならびにデバイスを、本発明の一実施態様に従って別のタイプのコンピュータの異なる位置に使用する態様を示した説明図である。
Ｆｉｇ．２６ｄは、伝統的なキーボードに代えて、本発明の筆記表面および入力システムを備えたコンピュータを示した説明図である。
Ｆｉｇ．２７ａは、本発明の別の実施態様に従ったスタイラス‐タイプのコンピュータ用の押しボタンを示した説明図である。
Ｆｉｇ．２７ｂ〜２７ｆは、本発明の一実施態様に従ったスタイラス‐タイプのコンピュータにおける追加の多方向ボタンおよびその機能を示した説明図である。
Ｆｉｇ．２７ｇ〜２７ｊは、本発明の別の実施態様に従ったスタイラス‐タイプのコンピュータ用のマルチポジション・クリップ・ボタンを示した説明図である。
Ｆｉｇ．２７ｋは、本発明の一実施態様に従ったスタイラス・コンピュータの筆記チップの近くに配置されるＦｉｇ．２７ｂ〜２７ｆのクリップ・ボタンを示した説明図である。
Ｆｉｇ．２７Ｌは、本発明の一実施態様に従ったスタイラス・コンピュータ用の、指向性マイクロフォンおよび／またはアンテナおよび／またはクリップ・ボタンとして使用される、オープン・ポジションにあるマルチセクション／指向性クリップを示した説明図である。
Ｆｉｇ．２７ｍ〜２７ｎは、Ｆｉｇ．２７Ｌのマルチセクション・クリップの、各種のオープン・ポジションを示した説明図である。
Ｆｉｇ．２８ａ〜２８ｅは、本発明の一実施態様に従ったディスプレイおよびマウスの使用による追加の入力システムを示した説明図である。
Ｆｉｇ．２９〜２９ｄは、本発明の一実施態様に従ったスタイラス‐タイプのコンピュータ用のカバーの、ＬＣＤディスプレイ不使用時における保護およびその装着ステップを示した説明図である。
Ｆｉｇ．２９ｅ〜２９ｇは、電話およびテレコミュニケーション機器として使用するときのスタイラス‐タイプのコンピュータを示した説明図である。
Ｆｉｇ．３０ａは、本発明の一実施態様に従ったスタイラス‐タイプのコンピュータを示した説明図である。
Ｆｉｇ．３１は、本発明の一実施態様に従った別のナビゲーション・ボタンを備えるスタイラス‐タイプのコンピュータを示した説明図である。
Ｆｉｇ．３１ａは、本発明の一実施態様に従ったカーソル・ナビゲーション・ボタンを示した説明図である。
Ｆｉｇ．３１ｂ〜３１ｆは、本発明の一実施態様に従った前記ボタンの操作による画面上のカーソルのナビゲーションを示した説明図である。
Ｆｉｇ．３２ａ〜３２ｆは、本発明の一実施態様に従ったメニュー・ナビゲーション・ボタンおよびその操作を示した説明図である。
Ｆｉｇ．３３ａは、本発明の一実施態様に従った筆記表面およびその上における筆記の間にペンによって生成されるサウンドを入力するためのマイクロフォンを備えたモバイル電話を示した説明図である。
Ｆｉｇ．３３ｂ〜３３ｃは、本発明の一実施態様に従ったディスプレイ、筆記表面およびその上における筆記の間にペンによって生成されるサウンドを入力するためのマイクロフォンを備えた、電話もしくはＰＤＡ等の電子デバイスと組み合わされる腕時計等の手首に装着されるデバイスを示した説明図である。
Ｆｉｇ．３３ｄは、本発明の一実施態様に従ったディスプレイおよびその上における筆記の間にペンによって生成されるサウンドを入力するためのマイクロフォンを備えた、電話もしくはＰＤＡ等の電子デバイスと組み合わされる腕時計等の手首に装着されるデバイスを示した説明図である
Ｆｉｇ．３３ｅは、本発明の一実施態様に従った少なくともディスプレイを備え、また、最終的には、筆記の間にペンによって生成されるサウンドを入力するためのマイクロフォンを備える各種の電子デバイスを示した説明図である。
Ｆｉｇ．３３ｆ〜３３ｇは、フル‐テキストおよび機能の入力を可能にする本発明の手書きサウンド認識システムが結合される改善されたキーボードを示した説明図である。
Ｆｉｇ．３４ａは、本発明の一実施態様に従った、ビーコンからペン先のポジションを決定する手段を備えたスタイラス‐タイプのコンピュータを示した説明図である。
Ｆｉｇ．３４ｂは、本発明の一実施態様に従ってビーコンとして使用されるＦｉｇ．２９ａのスタイラス‐タイプのコンピュータのカバーを示した説明図である。
Ｆｉｇ．３５は、本発明の一実施態様に従ってスタイラス‐タイプのコンピュータによるノートパッド上のピン・ポジションの決定を可能にする水平ビーコンを備えたノートパッドを示した説明図である。
Ｆｉｇ．３６は、ノートパッド上の位置を示す水平および垂直のバーコードを有するノートパッドを示した説明図である。
Ｆｉｇ．３７は、筆記表面上の位置を示す番号、記号、または色を有する筆記表面を示した説明図である。
Ｆｉｇ．３８は、筆記表面およびその表面上に位置を示す記号を投影するプロジェクタを示した説明図である。
【００２４】
（発明の詳細な説明）
以下、データ入力の方法について説明するが、それにおいては、ペン、スタイラス等のポインティング・デバイス、さらにはユーザの指が筆記表面との関連で使用されて、手書きデータ入力が促進される。この入力は、筆記の間におけるポインティング・デバイスもしくは指と筆記表面の接触によって生成されるサウンドを基礎としている。
【００２５】
最初にＦｉｇ．１ａを参照すると、ペン（１１）および筆記表面（１０）が示されており、そこには２つの記号（１２）がペンによって書かれている。
【００２６】
Ｆｉｇ．１ｂを参照すると、ペン先（１３）の部分が拡大されて示されている。ここでは、筆記表面（１０）上において考えられる、筆記時のペン先の動きならびに方向を例示している。ペンは、各種の方向（１４）に動くことができる。この図においては、それらのうちのいくつかの方向（１５）が使用されて、筆記表面（１０）上に記号（１２）が筆記されている。
【００２７】
筆記手順の間における、ペンと筆記表面の間の接触は、各種のサウンドならびにノイズを生成する。これらのサウンドは、ペン先の表面構造、開始ポイントの態様、記号の終了する態様、ペンの方向、方向の変更、各方向の持続時間、各方向における速度、筆記表面上における筆圧の変化等のパラメータによって異なるものとなり得る。
【００２８】
Ｆｉｇ．２ａは、筆記表面（２０）およびペン（２１）を示している。ユーザが、ペンを使用することによって筆記表面上に記号（２５）を描画したところである。この記号は、連続して描画された直線（２２，２３）からなり、最初のラインと２番目のラインの方向が異なる。それぞれの描画は、独自の特性を有する。この例におけるいくつかの特徴として、開始ポイント（２４）の態様、１番目および２番目のラインの方向（２１１，２１２）ならびに持続時間、変更ポイントの態様（たとえば、曲がり、直線、強調）等が挙げられる。通常、ユーザによって記号が筆記される間の、筆記表面上におけるポインティング機器のチップの接触は、各種のサウンドならびにその記号を特徴づけるサウンド波形の生成をもたらす。同一ポインティング・デバイス・チップおよび同一ユーザにより同一の態様でその記号が筆記されるごとに、同一のサウンドおよび波形が生成されることになる。
【００２９】
Ｆｉｇ．２ｂは、Ｆｉｇ．２ａの記号（２５）を筆記する間において生成されるサウンドを仮想した波形（２６）であり、時間（ｘ軸）にわたる振幅（ｙ軸）の変化を示している。波形の第１の部分（２６）は、開始ポイント（２４）の描画表面上におけるペン先の衝撃によって生成されたサウンドに関係する。波形の第２の部分（２７）は、最初のライン（２２）の描画の間に生成されたサウンドに関係する。方向変更ポイント（２９）においては、強調が行われていないことからサウンドが生成されないこともある。波形の最後の第３の部分（２８）は、２番目のライン（２３）の描画によって生成される。
【００３０】
筆記表面上におけるペン先の衝撃によって生成されるサウンドは、それぞれの記号ごとに異なることがある。たとえば、文字『ｃ』の開始衝撃サウンド波形は、文字『ｂ』の開始ポイントより強い。同じことが終了ポイントに関しても言える。文字『ｃ』の終了ポイントのサウンドは、文字『ｂ』の終了ポイントより緩やかに弱まる。これは、手書きサウンドおよび／またはセンサ認識システム（以下、ＨＷＳＲＳ）によって考慮することができる追加のパラメータであり、それについての詳細は後述する。
【００３１】
筆記表面上における各種方向のポインティング・デバイスのストロークによって生成されるサウンドもしくはサウンド波形の変化は、ポインティング・デバイス・チップの表面が滑らかな場合には区別が容易でないことがある。その逆に、ポインティング・デバイスが、異なる方向に対して異なるサウンドを生成する態様で構造化された粗いチップ表面を伴う場合には、これらの変化を容易に認識することができる。Ｆｉｇ．３ａは、ポインティング・デバイス・チップの正面図を示しており、この構造化されたポインティング・デバイス・チップ（３０）を筆記表面上の各種の方向（３２）においてシフトすることによって生成される仮想的な各種の波形（３１）を併せて示している。
【００３２】
このような異なるサウンドを生成するための１つの解決策は、Ｆｉｇ．３ｂに示されるようなポインティング・チップ（３５）を作ることである。ポインティング・チップ（３５）は、異なる部分（３６）に分割することが可能であり、各部分を異なる材料（３３，３４）から作れば、異なるサウンド（３７，３８）を生成することができる。このシステムは、たとえば対向する２つの方向（３３１，３３２）について２つの異なるサウンド（３８，３９）を持つことを可能にする。また、より良好な精度を得るために、隣接する部分が明確に著しく異なるサウンドを生成する態様で構成してもよい。
【００３３】
Ｆｉｇ．３ｃは、前述したチップ（３５）のような構造化チップを有するポインティング・デバイスによって描画された２本の平行線（３４１，３４２）を示している。第１のライン（３４１）は、右から左の方向（３４５）に向かって描画され、そのサウンド波形（３４３）によって示されるサウンドを生成した。第２のライン（３４２）は、第１のラインと平行に描画されている。これは、第１のラインと同一のポインティング・デバイスによって描画され、ユーザの手の中のポジションも同一であるが、それと逆の関係で描かれ、すなわち左から右の方向（３４６）に描画されてそのサウンド波形（３４４）によって示される異なるサウンドを生成している。左側のペン先表面が、右側のそれと異なることから、見かけ上は類似している２本のラインについて、２つの異なるサウンドが生成された。これは、見かけが類似している２つの記号に関して２つの異なる記号を持つことを可能にする有利な特徴である。たとえば、数字の『０』を時計回りの方向に書き、文字『Ｏ』を反時計回りの方向に書くことができる。このシステムを使用すれば、これらによって２つの異なるサウンドが生成され、したがって２つの異なるサウンド波形が生成される。これらは、ＨＷＳＲＳによって容易に認識されることになる。
【００３４】
Ｆｉｇ．３ｄは、描画された記号（３５１）およびそのサウンド波形（３５２）を示している。この記号は、Ｆｉｇ．３ｂのポインティング・チップによって描画されたものである。この記号を書くために、ポインティング・チップが５つの方向（３５３）で使用された。波形（３５２）は、５つの連続的なサウンド（３５４）によって構成され、そのそれぞれは、この記号の描画の間における５つのポインティング・チップの方向（３５３）によって生じている。
【００３５】
ここで、Ｆｉｇ．３ｂに示したポインティング・チップが単なる例示にすぎないことを理解する必要がある。このほかにも多様な形状あるいは多くのタイプのポインティング・チップが考えられる。たとえば、ポインティング・チップをより多くの部分に、あるいはより少ない部分に分割してもよい。Ｆｉｇ．４ａに示されるように、ポインティング・チップには、各種の外形ならびにフォームを持たせることができる。これらの表面は、Ｆｉｇ．４ｂに示されているように、異なる外形とし、かつ異なる材料から作ることもできる。異なるサウンドの生成を向上させ、それらの差を強調するために、Ｆｉｇ．４ｃに示されるように、ポインティング・チップの表面を異なる部分に分割し、それぞれの部分を異なる材料（４１０，４１１）から構成することも可能である。それに加えて、ペン先の分割した部分に異なるフォームを与えることもできる。
【００３６】
Ｆｉｇ．４ｂに示されるように、ポインティング・チップは、たとえばチップ表面の異なる場所の上に配置される各種のピンを備えることができる。これらのピンは、それぞれの方向ごとに異なった態様で筆記表面と触れて、それぞれの方向に対して異なるサウンドを生成するように配置することができる。そのために、これらのピンに異なる外形を持たせてもよい。たとえば、それらを長めに（４１２）あるいは短めに（４１３）し、左寄りもしくは右寄りに傾け、ポインティング・チップ（４１５，４１６）上において異なる向きに取り付けることができる。これより、チップの同一部分であってもシフト方向が異なれば異なるサウンドが生成されることが可能になる。
【００３７】
本発明の一実施態様によれば、チップ表面がセンサ（４１４）を有し、記号もしくはコマンドを筆記する間のポインティング・チップの描画動作により、異なるセンサに印加された圧力に従って異なる信号を生成し、方向、方向の持続時間等の情報を示すことができる。したがってその場合には、このデバイスは、異なるサウンド、異なる波形およびそのほかの、筆記された記号をＨＷＳＲＳエンジンが認識するために必要な情報を生成することができる。
【００３８】
また、このポインティング・デバイスに、筆記表面上もしくは空間におけるポインティング・デバイス・チップの方向を認識することが可能な方向認識システムを備えてもよい。したがってその場合には、このデバイスが異なるサウンド、異なる波形、およびそのほかの、筆記された記号をＨＷＳＲＳエンジンが認識するために必要な情報を生成することができる。
【００３９】
同一の方向に関して同一のサウンドを生成するためは、筆記表面に接触しているペン先表面の部分が常に同じ類似性を有していなければならない（たとえば、構造、テクスチャ、材料、ポジション）。上記のポインティング・チップの表面構造は、ユーザに対して、ポインティング・デバイスをあらかじめ決定されたポジションで手の中に保持しなければならない。この種の制約を回避するために、ペン先（およびその表面）は、それが筆記表面に触れたとき、触れている部分が常に類似となるように構成される必要がある。
【００４０】
Ｆｉｇ．４ｄに示されているように、記号を筆記する間のユーザは、通常、スタイラスまたはペン（４２０）を手の中に同じポジションで保持し、かつ筆記表面（４２１）に対して同じ角度（４２４）に維持する。一般にユーザは、手の中のペンのポジション（４２５）を根本的に変更することはない。Ｆｉｇ．４ｅに、半球形状（たとえば凸状）のポインティング・デバイス・チップ（４３０）の側面図を示す。曲面形状（凸状表面）（４３５）を有するポインティング・デバイス・チップを用いて平坦な筆記表面（４３１）上に筆記を行う間は、ポインティング・デバイス・チップ表面の、ポインティング・デバイスと筆記表面の間における接点（４３３）近傍のわずかな部分（４３２）だけが筆記表面と接触する。このチップが調和の取れた形状、たとえば半球形状を有していれば、ユーザが常に筆記表面とペンを同一の角度関係に維持するという事実によって、接触エリアが常に、概略で同一の幾何学形状を有することになる。チップ表面が、同一の接触部分が同一の構造を有するように構成されている場合には、ユーザは、スタイラスの軸に関する任意の回転ポジションでペンを手に取り、筆記表面上に書くことができる。Ｆｉｇ．４ｆは、半球または円錐（たとえば凸状）のペン先（４４１）の正面図を示している。このペン先は、異なる回転ポジション（ペンの軸に対して）であるが、あらかじめ決定された同一の角度でペンが筆記表面に触れたときには、常に、筆記表面（４４２，４４３）と接触するチップの部分が、同一の形状、構造、材料等（４４４，４４５）を有するように構成されている。ここで理解されることは、筆記表面上における筆記時に、異なる方向に対して異なるサウンドをペン先が生成する構造になっていなければならないということである。前述したような各種の構造材料をピンとして使用することができる。Ｆｉｇ．４ｇは、ここで提案している別のペン先形状の横断面図（４５１）および正面図（４５２）である。ここで注意する必要があるが、これまで説明してきたペン先の形状ならびに構造は例示にすぎない。当業者にあっては、そのほかにも多くのペン先形状ならびに構造を、各種の材料から作り出すことができよう。より良好かつ迅速な認識のために、複数の手書きキャラクタ・セットならびに記号のサウンド波形およびパターンを、ユーザのペン先により、筆記表面に対する異なる筆記角度で生成し、ＨＷＳＲＳに与えてもよい。
【００４１】
また好ましくは、ペン先によって生成されるサウンドが増大されるように筆記表面を構成してもよい。
【００４２】
ここで注意しなければならないことは、各種の方向を必要とする記号を筆記する間、それに応じて筆記表面上における構造化されたポインティング・チップのストロークによって生成される連続的な各種のサウンドが、その記号とその記号だけを固有に特徴づける波形を生成するということである。たとえば、文字『Ｏ』を筆記する間、ポインティング・チップは、文字『Ｏ』に関する特性波形を生成する各種の異なる短い方向を使用する。
【００４３】
サウンド、波形、およびそのほかの、各記号もしくは機能に関してポインティング・チップによって生成される特性情報は、パターン化および記録の後、ＨＷＳＲＳによって処理し、ユーザが筆記したテキストもしくは描画の認識を行うことができる。たとえば、以下においてＨＷＳＣＳと呼ぶ、ユーザの手書きサウンド文字セットの波形を、そのユーザの個人的なキャラクタ・セットとしてパターン化し、ＨＷＳＲＳに『学習』させることができる。より高い精度を得るために、それぞれの筆記表面ごとに異なる「手書きサウンド・キャラクタ・セット」を提供してもよい。
【００４４】
Ｆｉｇ．５ａに、構造化されたチップ（５１２）を備えるスタイラス（５１１）を示す。この図は、このスタイラスによって文字『ｅ』（５１３）が筆記されたところを示している。Ｆｉｇ．５ｂは、文字『ｅ』の筆記の間にスタイラスによって生成されるサウンドの仮想的な波形である。最後のＦｉｇ．５ｃは、ユーザによって文字『ｅ』が発音されたときの仮想的な波形を示している。
【００４５】
これらの図を比較すると、本発明の利点が立証される。最初の図形（５１３）、つまり筆記された文字『ｅ』は、非常に短い図形である。この文字がどのように筆記されたか、あるいは誰によって筆記されたかに応じて、伝統的な手書き認識エンジンは、たとえば文字『ｃ』あるいは文字『ｌ』との解釈誤りを頻繁に生じる可能性があった。それとは対照的に、筆記表面上のペン先の動きのサウンドによって生成されたＦｉｇ．５ｂのグラフ（波形）は、その筆記の間における各種のペンの方向によって生成された各種のサウンドに起因して、複数の変化および特徴を伴う長いグラフになっている。これは、容易に認識されることになる。
【００４６】
最後のＦｉｇ．５ｃは、短いグラフであり、ほとんど変化を伴わない。これと、ｂ、ｄ、ｐといった文字、さらには外部ノイズ等の解釈誤りが、音声認識エンジンによって容易に生じ得る。文字の手書きの間に筆記表面と接触するペン先によって生成されたサウンドの波形は、はるかに長く、多くの変化を有し、したがって音声エンジンによる認識がはるかに容易になる。
【００４７】
手書き入力は、音声入力に比較すると次のような多くの利点を有する。
‐孤立的である（プライバシーの問題が解決される）。
‐ユーザの意図が考慮されない（『２４』は『ｔｗｅｎｔｙ  ｆｏｕｒ』と異なること、６×４はｓｉｘ  ｂｙ  ｆｏｕｒと異なることなど）。
‐音声認識エンジンの有する欠点がない（ｐはｂと異なる）。
‐類似の発音を伴う単語（例：ｔｗｏ、ｔｏ、ｔｏｏ）であっても、異なって書かれる。
‐連続しない言葉の問題が解決される。
‐訂正が迅速である。
‐すべての言語に適している。
‐外部ノイズが問題とならない。
【００４８】
伝統的な手書き認識システムは、キャラクタ単位である。筆記された単語の図形を認識するより、筆記されたキャラクタの図形を認識する方がはるかに容易である。２つの連続的に筆記された類似の単語は、同一人物によって書かれたものであっても類似に見えることがない。一方、筆記された単語を構成している連続的なキャラクタを区別することは、認識システムにとって非常に困難である。しかしながら、キャラクタ単位の筆記された図形を基礎とする伝統的な手書き認識システムは、主要な問題を抱えており、しばしばその認識は人間が行っても困難である：すなわち、キャラクタおよび記号の図形が短すぎて多くの場合に類似して見える。それらが明確に書かれていない場合には、解釈誤りを生じ、まったく認識できないこともある。
【００４９】
また、発音された文字および／または単語の音声波形が類似していることもある（例：『Ｔ』、『Ｔｅｅ』、『Ｔｅａ』）。したがって、音声または言葉認識システムは、通常、センテンスを基礎にしている。言葉認識エンジンにとっては、単一の単語もしくは文字の認識より、センテンスの認識の方が容易である。言葉認識システムは、受け取った単語が示唆する意味を分析し、予測されるセンテンスに従って、たとえば、受け取った単語が『ｒｉｇｈｔ』であるか、あるいは『ｗｒｉｔｅ』であるかを決定する。このシステムは、多くの場合に単一の単語、文字もしくは記号だけが入力されることから良好でない。
【００５０】
ＨＷＳＲＳは、これらの問題すべてに対する答えをもたらす。これは、手書きシステムのすべての利点を有し、その欠点を解決する。このシステムは、好ましくはキャラクタ単位の認識を基礎として機能するが、認識は、キャラクタを筆記する間の筆記表面上のポインティング・デバイス・チップによって生成されたサウンドの波形、パターンおよびそのほかの情報に基づいて行われる。これらの波形は、すでに説明したように、筆記されたキャラクタの図形あるいは声に出されたサウンド波形よりもはるかに長く、かつ多くの変化を有し、次のような、より多くの特徴パラメータを含んでいる。
‐記号、あるいは不連続に書かれる記号の部分の開始／終了サウンド。
‐記号の筆記によって生成されるシラブルの数；ここでシラブルは、実質的に一定の形状を有する記号の部分を言う。この数は、手書き図形における異なる角度、および記号が連続的に書かれたか否かに依存する。記号の各不連続部分のシラブル数はＮ＋１であり、それにおいてＮは、角の数である。
‐それぞれの方向における筆記の速度に従ってサウンドの変化が生じる。
‐記号を筆記する間の筆記表面上における圧力の差が、書いている図形の形状に従って、それに応じた変化をサウンドにもたらす。
‐各方向における筆記の持続時間。
‐異なるユーザ、あるいは同一ユーザであっても筆記の異なる期間において異なるキャラクタ・セットのサイズ（たとえば、より大きな、もしくはより小さなキャラクタの筆記）を使用することがあり、それぞれの方向に関してのサウンドが短く、あるいは長くなる。筆記された文字の異なる部分は、それらが異なるフォント・サイズで筆記される場合であっても固有の関係ならびに比率を有している。このことは、ミュージック・ドメインの『オクターブ』になぞらえる。
‐さらに、このシステムから導出される追加のパラメータもある。
したがって、認識がはるかに容易になる。
【００５１】
ラインの長さ、キャラクタのサイズ等の情報は、これらのパラメータを使用することによって有効になる。これらの原理ならびにパラメータによれば、高性能のＨＷＳＲＳが、ペン等の通常のポインティング・デバイス・チップによって、あるいはユーザの指もしくは爪による場合であっても、筆記表面上に筆記された記号の手書きサウンド・パターンに従って記号を認識することが可能になる。その場合、構造化されたチップが必要なくなることもある。
【００５２】
外部ノイズの欠陥は、ＨＷＳＲＳを備えた電子デバイスの中にマイクロフォンを取り付けることによって、あるいはポインティング・デバイス自体の中にそれを取り付けることによって容易に解決できる。たとえばワイヤによってペン先にセンサを接続すれば、筆記手順の結果として生成されたスタイラス内側のサウンドだけが取り込まれて、認識エンジンに伝達される。
【００５３】
上記に加えて、より良好な精度を得るために、そのほかのシステム、たとえば手書き図形認識システム、ペン／手の動き認識システム、音声／言葉認識、口唇認識、および／またはそのほかの認識システム等を独立に、もしくは組み合わせてＨＷＳＲＳとともに用いてもよい。たとえば、ユーザが、キャラクタ等の記号、または単語もしくはセンテンスを筆記すると同時に、それらを声に出してもよい。ＨＷＳＲＳと音声認識システムの組み合わせは、入力された文字のより良好な精度を提供することができる。自然であり、ユーザ・フレンドリな入力方法という意味では、ユーザがテキストを筆記している間に自然に口にする文字、単語、センテンス、あるいはそのほかの記号だけをユーザが筆記の間に声に出せばよい。そのほかの少なくとも句読点の一部等の記号は、それらを声に出すことなく筆記することができる。
【００５４】
このシステムは、異なる言語の文字、単語、および記号の、１ないしは複数のデータベースを備えることができる。予測単語認識システムをこのシステムと結合させて、完全な入力の前に可能性のある単語の選択を行うこともできる。このシステムは、望ましい単語を、その入力が完了する前にシステムが自動的に選択することを可能にし、場合によってはユーザの介入が必要ないこともある。これは、単語のキャラクタまたは記号を個別に、かつ連続的に（たとえばキャラクタ単位で）筆記することによって、また多くの場合には対応する単語が非常に少なく、その単語の筆記を完了する前に単語予測システムが望ましい単語を決定するか、あるいはいくつかの可能性のある単語を示してユーザがそれらのうちの１つを選択できることから可能になる。
【００５５】
単語を筆記する間にユーザが誤った文字を入力した場合であっても、あるいは与えられた文字の識別をＨＷＳＲＳが失敗した場合であっても、多くのケースではその単語のほかの文字が正しく入力されることから、予測単語認識システムは、誤った文字を自動的に訂正することができる。
【００５６】
ここで理解されることであるが、キャラクタ単位に代えて、このシステムは、単語全体、さらにはセンテンス全体の認識を基礎とすることもできる。その場合においては、筆記される単語、記号、さらにはセンテンス全体に関するサウンド波形もしくはサウンド・パターンのデータベースをＨＷＳＲＳに備えればよい。
【００５７】
より精度を高め、認識を容易にするために、ユーザは、ユーザ自身の手書きをＨＷＳＲＳに『学習』（たとえばトレーニング）させることができる。その場合、認識プロシージャがより容易かつ高速になる。
【００５８】
それに加えてユーザが、ユーザ自身の手書きの特徴に基づいた独自のコマンドを作り出すことが可能になる。たとえば、ユーザの電子デバイスが、ユーザの手書きサウンド・パターンおよび／またはサウンド波形に基づいた手書きインストラクションによってだけオン・オフされるようにしてもよい。またユーザが、ユーザの機器をパーソナル化することも可能である。その場合においては、ユーザの手書き入力だけがそのユーザのデバイスを操作できることになる。ユーザが、独自のカスタム化したキャラクタ、記号、マクロ、機能、コマンド等を作り出すことも可能になる。創作した記号に、複数の別の記号もしくはコマンドを参照させることもできる。通常のキーボードとは異なり、このシステムは、ユーザが無数の記号もしくはコマンドのバリエーションを創作し、使用することを可能にする。
【００５９】
ユーザは、ユーザ自身の署名をＨＷＳＲＳに学習させることもできる。この場合、そのユーザの署名は、決してまねられることがない。たとえば、銀行口座を開くとき、ユーザは、そのユーザの個人的な構造化されたポインティング・チップならびに選択した筆記表面を用いて、ユーザ自身の署名のサウンド波形を銀行の照会先に与えることができる。署名、個人的な構造化されたポインティング・チップおよび選択した筆記表面の組み合わせは、一意的なサウンド波形ならびにパターンを生成することになり、模倣を不可能にする。この手順によって、電話バンキング・トランザクション、ｅ‐コマース運用等が安全になる。
【００６０】
ｅ‐メール、ショート・メッセージング・サービス（ＳＭＳ）等を親展にすることもできる。最初にユーザは、そのユーザの銀行もしくは友人のＨＷＳＲＳに、ユーザの個人的な装置（たとえば、ポインティング・チップ構造、筆記表面）に基づく、そのユーザ自身の手書きサウンド・パターンもしくは波形を与える。続いて、そのユーザの手書きサウンド・パターンによって、すべてのオペレーションまたはメッセージが、行われまたは送信される。これらは、相手のディレクトリ内に記録されている手書きサウンド・パターンと比較される。一致の後、オペレーションが実行され、かつ／またはメッセージが読まれることになる。
【００６１】
セキュリティを理由として、ユーザは、ユーザ自身の手書きサウンド・パターンに基づいて独自の暗号を作り出すことができる。前述した理由から、そのユーザの暗号は極めて機密性が高く、そのユーザは、相手の認識システムが暗号化されたパターンのコピーを有している場合に限って、相手が暗号解除することができる暗号化されたドキュメントを送信することができる。
【００６２】
テキストを筆記する間に番号、数字、キャラクタ、記号、コマンド等は、たとえばユーザのカスタム化した追加の（非関係者にとって）無意味な図形の筆記によって暗号化することが可能であり、その結果、記号のサウンド波形が追加の無意味なシラブルを有することになる。これらの追加の無意味な図形は、筆記の間の任意の時および場所に（たとえば記号と組み合わせて、あるいは個別に）筆記することができる。これらは、そのユーザのカスタム化された意味のない図形を熟知している受け取り側の相手のＨＷＳＲＳによってフィルタリングされ、結果的に情報の暗号解除が行われる。このシステムは、ｅ‐コマース運用におけるユーザのクレジット・カード番号等の機密情報の送信を補助することができる。
【００６３】
ここで理解されようが、ＨＷＳＲＳを強化するために、あらゆる音声もしくは言葉認識システムならびにそのほかの、伝統的な手書き認識システム等の認識システムならびにテクノロジを使用することもできる。
【００６４】
認識手順は、時間遅延を伴って実行されるようにしてもよい。これは、筆記サウンド、タイミング、筆記速度といったすべてのパラメータが筆記の間に記録され、その後ＨＷＳＲＳによって処理されて手書き記号の認識ができることを意味する。
【００６５】
ほとんどすべての電子デバイス、特にモバイル機器は、この方法に基づいた入力デバイスを備えることができる。電子デバイスには、このＨＷＳＲＳおよび最終的には筆記表面に接続されるマイクロフォンを備えればよい。好ましくは、ユーザが、構造化された表面を伴うポインティング・デバイスを有し、その表面上に筆記を行うことによってデータを入力することができる。Ｆｉｇ．３３ａ〜３３ｅは、これらのデバイスのいくつかを示している。たとえばＦｉｇ．３３ａは、筆記表面（３３０１）、少なくとも１つのマイクロフォン、およびＨＷＳＲＳを備えるモバイル電話を示している。ユーザは、構造化された表面を伴うポインティング・デバイス（３３０２）を有しており、そのポインティング・デバイスをその筆記表面上において使用し、手書きデータを入力することができる。データを筆記する間に、筆記表面上のポインティング・デバイスのストロークによって生成されたサウンドは、プロセッサに渡され、入力されたデータをＨＷＳＲＳがディジタル化する。このシステムは、Ｆｉｇ．３３ｂ〜３３ｄに示されているような非常に小さいデバイス（例：腕時計電話、リストＰＤＡデバイス）の場合であっても使用することが可能である。Ｆｉｇ．３３ｂは、腕時計電話／ＰＤＡデバイスを示している。Ｆｉｇ．３３ｃは、ＬＣＤディスプレイ・ユニット（３３１１）ならびに筆記表面（３３１２）を示しており、好ましくはそれらが、腕時計ユニット（３３１３）の逆側に配置される。本発明の、好ましくは構造化されたチップ表面を有するポインティング・デバイス（３３１４）が提供されて、筆記表面上における筆記によってデータが入力される。ここで理解されようが、電子デバイス自体が、その望ましいロケーション内に本発明の筆記チップを備えてもよい。
【００６６】
良好に構造化されたポインティング・チップ、良好なマイクロフォン、および精巧な認識エンジンを使用することによって、デバイス上のあらゆる表面を前記表面上の筆記のために使用することができる。たとえばユーザは、Ｆｉｇ．３３ｄに示されているように、任意の表面、たとえば腕時計電話の金属ブレスレット（３３１５）上においてデータを入力することができる。
【００６７】
電子デバイスの設計および／またはコンセプトに応じて、マイクロフォンおよび／または認識システムの少なくとも一方をポインティング・デバイス（たとえばペン）内もしくは電子デバイス自体の中に組み込むことができる。当然のことながら、スタイラス・コンピュータの場合には、それらをスタイラス・コンピュータの中に組み込むことができる。
【００６８】
ＨＷＳＲＳを使用する１つの利点は、すべての電子デバイス内に、最終的にそれらのデバイスを変形することを必要とせずに組み込むことが可能な点である。
【００６９】
Ｆｉｇ．６は、文字、数字、句読点、およびそのほかの，適切なテキストもしくはデータを書くための記号を備えた伝統的なコンピュータ・キーボード（６００）を示している。Ｆｉｇ．６ａに示されているように、キーボードのキャラクタを手書きするとき、『１』、『ｌ』、『｜』、『Ｉ』（６０２〜６０５）、あるいは『９』、『ｇ』（６０６〜６０７）といったいくつかのキャラクタは、ほとんど同じに見えることがある。伝統的な手書き文字認識システム、あるいは人間にとっても、これらの文字の間の区別は不可能である。この問題は、構造化されたペン先およびＨＷＳＲＳを使用することによって解決される。次に、いくつかのもっとも重要なケースについて説明する。
【００７０】
Ｆｉｇ．６ｂは、表の１つの列（６２８）に大文字のローマ字を、別の列（６２９）に小文字のローマ字を含む表（６２０）を示す。続く列（６３０，６３１）には、これらの文字に類似するいくつかのキャラクタならびに数字が示されている。これらの類似に関して提案された手書き記号が、それらと並ぶ白い列内に示されている（６４１〜６４４）。ユーザ自身が、自らの便宜のために独自の手書きフォント、記号、および手書きコマンドを作り出すこともできる。
【００７１】
図示されているように、文字『ｇ』（６３２）等のようないくつかのキャラクタについては、見かけが類似している文字『ｑ』（６３３）あるいは数字『９』（６３４）等のキャラクタが存在する。ＨＷＳＲＳがこれらの間を容易に区別できるようにするため、ＨＷＳＲＳが筆記された記号のサウンド波形ならびにパターンに作用することから、Ｆｉｇ．６ｃに示されているように、ユーザは、それぞれに関して異なる方向（６３５〜６３７）を使用することによってそれらの文字を筆記すればよい。これは、それぞれのキャラクタごとに異なるサウンド波形ならびにパターンを生成することになり、それらを容易に区別することができる。
【００７２】
これらは、それぞれを筆記する間に生成されるサウンドに従ってパターン化されて記憶される。ユーザは、随時新しい記号を作成し、あるいは古い記号を削除することができる。記号が筆記される間、ＨＷＳＲＳは、すでにパターン化され記憶している記号とそれを比較する。システムは、入力された記号に一致するパターンを見つけると、入力されたものとしてそのパターンを選択する。
【００７３】
前述したように、このシステムの１つの目的はユーザに、慣れ親しんだ入力システムおよびデバイスを提供することである。人々は、複雑な入力システムを伴う電子デバイスを拒絶することから、これは非常に重要な問題である。また、伝統的な手書きキャラクタおよび標準が尊重される必要がある。それにもかかわらず、より良好な精度のために、このシステムの利点ならびに特徴のいくつかを使用することができる。たとえば、文字の『Ｏ』（大文字）は、反時計方向（６５１）に筆記し、数字の『０』は、時計方向（６５２）に筆記することができる。これらは、２つの異なるサウンドを生成し、その結果、２つの異なるサウンド波形が作られる。小文字の『ｏ』は、ほとんどの人々が通常に筆記するように（６５３）筆記することができる。
【００７４】
より区別が困難なキャラクタもいくつかある。たとえば、Ｆｉｇ．６ｄに示されるように、小文字の『ｌ』（６６０）、大文字の『Ｉ』（６６１）、数字の『１』（６６２）、あるいは記号『｜』（６６３）は、異なる書き方をしないと、伝統的な手書き認識システムによって区別されない。これらを互いに区別するために、それぞれ異なる一般的な形状（６６４〜６６７）に従ってこれらを筆記することができる。
【００７５】
それに加えて、Ｆｉｇ．６ｅに示されるように、不連続に筆記される文字、符号、および数字、たとえば大文字の『Ｂ』（６６９）または数字の『１３』（６６８）等は、伝統的な手書き認識システムに混乱をもたらすことがある。
【００７６】
Ｆｉｇ．６ｆは、全体もしくは一部が垂直の直線からなり、自然な形では同じ文字（６７１）の残りの部分と分けて筆記されるキャラクタ（６７０）のグループを示している。手書き認識システムには、それらの部分が筆記される（表面上の）場所がわからないことから、たとえば筆記される記号（６７２）が文字『Ｔ』（６７３）に関係するか、あるいは２つの独立したキャラクタ『｜‐』もしくは（Ｉ‐）等に関係するかを知ることができない。
【００７７】
ＨＷＳＲＳを使用すれば、それらのキャラクタを変形することなく上記の問題を解決することができる。左から３番目の列（６７４）は、左から１番目の列（６７０１）の印刷されたキャラクタに対応する手書きキャラクタを示している。これに示されるように、いずれの手書きキャラクタも変形されていない。ユーザが従わなければならない唯一の規則は、筆記表面上においてペン先をストロークしなければならない（本質的に一般的な）方向である。右から１番目の列（６７５）は、各キャラクタが手書きされる方向に関する提案を示している。ここで理解されようが、このほかの方向も考えられ、さらにはユーザによってそれを行ってもよい。前述し、かつ示したように、小文字の『ｌ』（６７１２）および数字の『１』（６７１１）は、異なる書き方が可能である。キャラクタ『｜』（６７６）は、下から上に向かう方向（６７７）の直線によって筆記することができる。上向きの方向は、キャラクタを書くときの一般的な方向ではない。このキャラクタにそれを使用する理由は、このキャラクタが頻繁に使用されないことである。
【００７８】
これにより下向きに書く直線を使用して多くのほかの文字を書くことが可能になり、互いにそれらを区別し、かつ混乱を避けることが可能になる。システムは、下向きに書かれる直線を、常に、不連続に書かれる記号の開始部分と見なすことができる。この線が書かれるとき、システムは、その線に続いてさらに図形（たとえば、ストローク）が書かれ、それを受け取ることを期待する。この方法によって、大文字の『Ｉ、Ｂ、Ｄ、Ｈ、Ｋ、Ｐ、Ｒ、Ｔ』（６７８）およびキャラクタ『＄』（６８３）を普通に筆記し、システムに認識させることができる。システムを混乱させないために、ここで注意しなければならないことであるが、手書きの原理によって知られているように、文字の筆記には、２つのサイズの異なる水平線、つまり短い線および長い線を使用する必要がある。たとえば、文字『Ｔ』を書くときに使用する水平線（６７９）は、文字『Ｉ』に使用される水平線（６８０）よりかなり長くなければならない。これにより、たとえば文字『Ｉ』または連続して書かれる２つのキャラクタ『Ｔ‐』の筆記の間における混乱を招きやすい状態を回避することが可能になる。
【００７９】
大文字の『Ｆ』について考えると、大文字の『Ｆ』とたとえば大文字の『Ｉ』の混同を避けるために、まず『Ｌ』を上下逆にした連続する線（６８０１）を書き、それに続いて１本のサイズの短い水平線（６８０）を書く。また、大文字の『Ｅ』と、たとえば大文字の『Ｉ』に続くキャラクタ『‐』の混同を避けるために、まず『Ｌ』を上下逆にした連続する線（６８１１）を書き、それに続いて２本のサイズの短い水平線（６８１）を書く。大文字の『Ｌ、Ｍ、Ｎ』は、図示のように連続する線（６８２）によって書くことができる。
【００８０】
システムを単純にするために、直線形状を有するか、あるいは直線で始まるすべての非テキスト関連のキャラクタを、同じキャラクタを有するテキスト関連のキャラクタと逆の方向関係で開始されるものとすることができる。
【００８１】
Ｆｉｇ．６ｇを参照すると、さらに、共通の特徴を有する３つのキャラクタ（６８４）が示されている。これらは、すべて斜めの直線である。大文字の『Ｘ』は、通常、２本の下へ向かう斜めの線『＼？／』（６８４０６）によって書かれるため、キャラクタ『／、＼』を上向き（６８４０１〜６８４０２）に書くことによって、大文字の『Ｘ』（６８４０５）との混乱の可能性が避けられる。
【００８２】
Ｆｉｇ．６ｈは、共通の特徴を有する別の記号グループを示している。これらはすべて、少なくとも個別に書かれる水平線を有している。このキャラクタのグループもまた、テキスト関連のグループ（６８５）と非テキスト関連のグループ（６８６）に分けることができる。テキスト関連のキャラクタ『‐』および『＿』（６８７１）は、それぞれ長短の２つの異なる長さを有している。これらは、いずれも共通して左から右へ向かう方向（６８７）に書くことができる。残りの、非テキスト関連のグループの記号は、好ましくは短い右から左へ向かう水平線（６８８２）を伴って開始するものとすることができる。この線を書いた後は、システムが、追加の筆記情報によって所望の記号が完成されることを期待する。たとえば、追加の短い右から左へ向かう水平線（６８８）によって、システムは、キャラクタ『＝』（６８８１）が入力されたことを理解する。このほかの記号（６８８３）に関して提案されている別の方向（６８９）についても示されている。記号の不連続部分のそれぞれを入力する順序に従うことは重要である。これらは、大多数のユーザのやり方に従って例示されている。
【００８３】
Ｆｉｇ．６ｉを参照すると、手書き方向の方法の、もう１つの重要な部分が例示されている。キャラクタ『．』（６９０）が示されている。『：』および『；』（６９３０１）といった、ほかの不連続なキャラクタもまた記号『．』を含み、それに別の記号が追加されている。これにおいても認識システムによる混同を回避するために、キャラクタ『．』を非常に小さい円（６９１）として、反時計方向（６９２）に書くものとすることができる。記号『．』を含む別のキャラクタ（６９３）は、この記号で開始（６９４）するが、時計方向（６９５）に書くものとすればよい。このシステムは、これがキャラクタ『．』ではなく、記号の残りの部分が入力されることを期待する。第４列（４９４１）は、記号の部分が入力される順序および方向を例示している。
【００８４】
Ｆｉｇ．６ｊは、標準キーボード上において利用可能な追加の、印刷による記号（６９６）、共通する筆記のやり方に基づいた手書きフォーム（６９７）、および各記号を書くために採用される方向（６９８）を示している。
【００８５】
それに加えて、たとえばペン先で筆記表面上をたたく動作（たとえば、シングル・タップ）等の動作によって生成される特殊な記号もしくは機能のサウンド波形が、ＨＷＳＲＳに対して空白文字または『．』（たとえば、ドット文字）を示すこともできる。多くの場合に、単語、キャラクタ、記号等の終了が空白文字またはドット文字によって示されることから、これが特に重要となる。更なるたたく動作のそれぞれは、追加のスペースを表す。また不連続な記号の終了をシステムに示す場合においても、筆記表面上のペン先の接触等の動作（たとえば、波形を生成するための動作）または音声信号等を用いることができる。
【００８６】
Ｆｉｇ．６ｋは、標準キーボードにプリントされているすべての記号ならびにキャラクタ、およびここに説明した原理に基づいた、各記号の筆記の間に結果として守られるべき方向の提案を示している。これに示されているように、変形されている記号は皆無であり、ユーザが従わなければならない制約は最小かつ論理的であり、したがってそれらは、ユーザによって容易に採用されることとなろう。またここで理解されようが、上記提案の記号を筆記するための原則および方向は、各種の可能性のうちのいくつかの例にすぎない。開示した発明の形式ならびに詳細における各種の省略ならびに代用および変更は、本発明の精神から逸脱することなく、当業者であれば可能であると見られる。たとえば、テキスト内において、かなり大きなサイズで重々しく小文字を筆記することによって、それらを大文字と見なすことをＨＷＳＲＳに伝えてもよい。このことは、使用パターンがより少なくなることから、これらの認識システムを容易にすることができる。なお、これらの方法ならびに発明が、特に、アラビア語あるいは中国語等のほかの言語に対してさえも適用できることに注意しなければならない。
【００８７】
前述したように、ユーザは、本発明の認識システムに、ユーザ自身の手書きを『学習』させることができる。たとえば、本発明の構造化された筆記チップおよび手書き認識システムを有する電子デバイスの使用開始時に、ユーザが、筆記を意図しているすべての記号（たとえば、言語内のキャラクタ・セット、ユーザのカスタム化した記号等）を筆記してもよい。認識システムは、各記号に関するパターン（たとえば、キー・パターン）を生成し、『パターン化されたキャラクタ・セット』を作成して、その後の、そのユーザによって筆記される記号（たとえば入力）の認識のための比較にそれらを使用することができる。筆記（たとえばテキスト、図等）の間に、ユーザが、新しい記号（たとえば、新しいキー・パターン）をそのユーザの『パターン化されたキャラクタ・セット』に追加することもできる。すでに述べたように、異なる構造を有する異なる表面（たとえば、紙、木製テーブル等の各種材料から作られた表面）上に筆記された記号の認識精度を高くするために、ユーザは、それらの表面上において上記と同じ『学習』手順を繰り返して新しい『パターン化されたキャラクタ・セット』を作成してもよく、またより数の少ない基本記号（たとえば、各種方向の直線、時計方向の円、反時計方向の円等）を当該表面上に筆記してもよい。その後システムが、オリジナルの『パターン化されたキャラクタ・セット』のキャラクタおよび前記表面上に筆記された前記基本記号の特性に基づいて、前記表面に関する新しい『パターン化されたキャラクタ・セット』を自動的に作成するようにできる。
【００８８】
本発明の一実施態様によれば、ユーザの振る舞いによって、希望する数の記号の繰り返しをシステムに伝えることができる。たとえば記号を筆記する前、筆記の間、あるいは筆記後に、ユーザが指を使って、あるいはイレーサを用いて筆記表面をたたき、最後に筆記した記号の繰り返しを指示することが考えられる。
【００８９】
本発明の別の実施態様によれば、筆記した記号を繰り返すために、ユーザは、たとえばスタイラス上に備わるあらかじめ定義済みのボタンを押すことができ、それによって、最後に筆記された記号が繰り返される。またユーザは、すでに入力済みであり、スタイラスのスクリーン上のカーソルの直前に表示されている記号を繰り返すこともできる（カーソルについては、この明細書内において後述する）。あらかじめ定義済みのボタンを１度だけ押せば、その記号が１度だけ繰り返される。追加して押す（たとえばタップ）ごとに、その記号の繰り返しが追加されることになる。この記号の連続的な繰り返しを行うためには、ユーザは、そのボタンを押し続ければよい。この記号の繰り返しは、ユーザがそのボタンを押すことを止めるまで続けられることになる。
【００９０】
ディジタル化した記号の波形が、キー・パターン・キャラクタ・セットのキー・パターンに一致しないこともしばしばあり、そのため筆記されたその文字が、本発明の手書き認識システムによって認識されないこともある。本発明の一実施態様によれば、記号がシステムによって認識されなかった場合には、当該記号に関連する情報（たとえば、そのグラフィティ、波形、テキスト内の場所等）が、たとえば前記スタイラス・コンピュータのメモリ内にストアされて、ユーザは、最終的な操作のためにその情報にアクセスすることができる。たとえば、前記記号を描画して保存し、あるいはプリントしてもよい。
【００９１】
Ｆｉｇ．７に、本発明の一実施態様に従ったデータ（たとえば、筆記表面上におけるスタイラス筆記チップによる記号の筆記の間のサウンド）の入力ならびにデータの出力のステップに関係するブロック図７００を示す。これに示されているように、ステップ７０１において生成された（かつ、おそらくは増幅された）サウンドが、ステップ７０２においてマイクロフォンによって取り込まれ、波形が生成される。前記波形は、ステップ７０３に示されるように、ディジタイザに渡される。リアルタイム認識処理等の処理手順に応じてディジタイザは、たとえば前記ディジタル化された波形を、ＨＷＳＲＳシステム７０６がインストールされているスタイラス・コンピュータのＲＡＭ７０４に渡すことができる。遅延認識処理等の理由から、あるいは単に前記ディジタル化された波形を記録するために、前記ディジタル化された波形を前記スタイラス・コンピュータ７００のメモリ７０７に渡してもよい。前記記憶されたディジタル化された入力７０８は、その後の処理（たとえば、遅延ＨＷＳＲＳ処理）において使用することができる。また前記メモリ７０７が、ディジタル化された入力の認識のためにＨＷＳＲＳによって使用される、あらかじめ定義済みの各種記号の波形のディジタル化されたキー・パターンを含んでいることもある。前記ディジタル化された入力を前記スタイラス・コンピュータのＲＡＭ７０４に（リアルタイムで、あるいは遅延して）渡した後、マイクロプロセッサ７０５を使用することによって、前記スタイラス・コンピュータのスタイラス・コンピュータのＨＷＳＲＳが、前記ディジタル化された入力と前記キー・パターンとを比較し、前記入力と前記キー・パターンの一致を試みる。ディジタル化された入力との類似性がもっとも高いキー・パターンを選択した後、システムは、前記選択したキー・パターンに対応するディジタル化された記号を選択する。必要に応じて、前記ディジタル化された記号をメモリ７０７にストアしてもよく、あるいは前記スタイラス・コンピュータのディスプレイ７０１１等のデバイス、もしくは外部デバイス７０１２等のデバイスに、出力として渡すこともできる。
【００９２】
これまで説明してきた実施態様は、筆記表面上における、当該筆記表面上に記号を筆記する間のポインティング・デバイス筆記チップの接触によって生成されるサウンドを使用するデータ入力方法に関係している。本発明の別の実施態様によれば、前述したように、スタイラス・コンピュータの構造化された筆記チップ等のポインティング・デバイスの筆記チップ内にセンサが備えられる。前記センサの例およびそれらの構造については、この明細書においてすでに説明した。前述したように、前記センサは、筆記表面上に記号を筆記する間の構造化された筆記チップの異なる部分に印加される（たとえば振動、熱等に従った）圧力レベル等の情報を取り込み、前記情報を、Ｆｉｇ．７に示したような認識処理のために、スタイラス・コンピュータのディジタイザに伝達することができる。ここで理解される必要があるが、これまで、およびこれ以降に述べる、手書きサウンド認識システムに関係するすべての実施態様ならびに例は、前記ポインティング・デバイス筆記チップのセンサによって生成される任意の波形を基礎とする認識に適用することができる。
【００９３】
前述し、またＦｉｇ．７ａに示されるように、本発明のもう１つの目的は、ユーザが慣れ親しんだ形の、ユーザ・フレンドリな可搬性の高い、スタイラス（７５０）形式の小型の電子デバイスをユーザに提供することである。このスタイラスは、簡単なオーガナイザ、モバイル通信デバイス、ＰＤＡデバイス、コンピュータ等として機能することができる。好ましくはそれが、入力として手書きサウンドを生成する本発明の構造化されたペン先、ディスプレイ（７５２）、およびＨＷＳＲＳを備える。スタイラスは、指示手段（７５１）を有し、筆記の間にユーザがあらかじめ決められたポジションでスタイラスを手の中に保持することを可能にする。これは、構造化されたペン先が、常に同一方向に関して同一のサウンド（すでにパターン化され、ＨＷＳＲＳに与えられている）を生成する必要があることによる。Ｆｉｇ．７ｂに、仮想的なスタイラス・コンピュータ筆記チップの正面図（７７０）を示す。このペン先は、インク（７７１）等の従来の筆記手段も有しており、必要な場合および必要なときに、同時に、あるいは別々に従来の手書きドキュメントを生成することができる。レーザ、赤外線等の通信手段、およびカメラ（７７２）、光学リーダ（７７３）といったそのほかの特徴をペン先内もしくはスタイラスの内／外の任意の場所に備えてもよい。
【００９４】
本発明の一実施態様によれば、Ｆｉｇ．７ｃに示されているように、本発明のスタイラス・コンピュータ７１０が、少なくとも１つのマイクロフォン７１１を備えて、スタイラス筆記チップ７８２によって、筆記表面上における筆記の間に生成されたサウンドを取り込むことができる。前記マイクロフォンは、指向性マイクロフォンとしてもよい。より良好な取り込みのためには、前記マイクロフォンをスタイラス・コンピュータのポインティング・チップ７１２の近傍に備えることができる。
【００９５】
本発明の一実施態様によれば、前記筆記表面上における筆記の間の、ポインティング・デバイス・チップと筆記表面との接触によって生成されるサウンドの取り込みを可能にする態様で、少なくとも１つのマイクロフォンを、スタイラス・コンピュータ本体内に備えることができる。この種のサウンドは、スタイラス・コンピュータの本体の中を伝わることができる。さらにＦｉｇ．７ｃを参照するが、たとえばマイクロフォン７１３をスタイラス・コンピュータ７１０の内側に備えることができる。筆記表面上における筆記チップの接触によって生成されるサウンドの伝達を可能にするために、スタイラス・コンピュータ本体の内側に向かって、好ましくは筆記チップ７１２の近傍の、スタイラス・コンピュータ本体の表面にホール７１４を備えてもよい。前記ホールは、スタイラス本体内に伝達される前記サウンドを増幅する態様で設計することができる。また、スタイラス筆記チップ７１２を、スタイラス・コンピュータ本体内への前記サウンドの伝達を可能にするホールを備える態様で構成することもできる。Ｆｉｇ．７ｄは、スタイラス・コンピュータの筆記チップ７２０の例である。これに示されているように、たとえば前記筆記チップを、たとえば構造化された部分７３１の間に空の通路（たとえばホール）７２１を備える態様で設計することができる。また、前記筆記チップ上のセンサが、たとえば筆記表面上において筆記チップによって生成された振動をスタイラス内に伝達し、スタイラス内に配置された前記マイクロフォンによって受け取られるサウンドを生成してもよい。
【００９６】
筆記表面上において筆記チップによって生成されたサウンドを増幅するために、スタイラス・コンピュータ内に増幅手段を備えることもできる。Ｆｉｇ．７ｅは、指数関数曲線形状（たとえば、従来のラウドスピーカの形状）を有する増幅手段７８３を備えたスタイラス・コンピュータ７８０を示している。筆記表面上においてポインティング・チップ７８２を用いる筆記の間の、前記筆記表面と前記ポインティング・チップとの接触によるサウンドは、前記増幅手段７８３の内側に伝達されて、適切な場所（たとえば、増幅手段の他端）に配置されたマイクロフォン７８１によって取り込まれる。
【００９７】
筆記表面上においてポインティング・チップを用いる筆記の間の前記筆記表面と前記ポインティング・チップの接触によるサウンドは、さらに増幅することができる。本発明の一実施態様によれば、Ｆｉｇ．７ｆに示されるように、前記サウンドを増幅するために、共鳴チャンバ７９４等の増幅手段をスタイラス・コンピュータ７９０内に備えることができる。筆記表面上におけるスタイラス筆記チップ７９１の接触によって生成されたサウンドは、前記共鳴チャンバ７９４に伝達され、そこで、前記サウンドは増幅される。マイクロフォン７９２を、前記チャンバ内に備えて、前記増幅されたサウンドを取り込ませることができる。この増幅プロシージャは、すでに説明した指数関数曲線形状の手段７９３等のほかの増幅プロシージャに追加して備えられるものとしてもよい。ここで理解されようが、当業者に周知の任意の伝達ならびに増幅手段を、高品質サウンドの取り込みに使用することができる。たとえば増幅チャンバは、増幅を目的とした任意の形状、構造を有し、任意の材料からなるものとすることができる。
【００９８】
Ｆｉｇ．８ａに示されているように、スタイラス（８５０）は、コンピュータの全機能ならびに追加の手段、すなわち少なくとも１つのバッテリ（８５１）、メモリ（ＲＡＭ）（８５２）、ハードディスク、マイクロプロセッサ（８５３）、トランシーバ（８５４）、マイクロフォン（８５７）、光学リーダ（８５６）、ポジション検出手段（８５８）、筆記開始／終了検出手段（８５５）、スピーカ（８５９）、タイマ（図示せず）、ＬＣＤディスプレイ（図示せず）等を備えることができる。
【００９９】
スタイラスの非使用時は、望ましくない動作を回避するために、構造化されたペン先をスタイラス内側に隠れるポジション（８４０）に収めることができる。Ｆｉｇ．８ｂは、スタイラス外側の露出ポジション（８４２）にある構造化されたペン先を示している。またこれには、筆記開始／終了検出手段（８５５）がピン（８４１）を有することが示されている。Ｆｉｇ．８ｃに示されているように、チップが筆記表面（８３０）と接触している間は、筆記検出ピン（８４１）が内側のポジションにあり、筆記状態にあることが示される。ユーザがペン先を持ち上げると（Ｆｉｇ．８ｄ）、検出ピン（８４１）が外側に出て非筆記状態であることが示される。ここで理解されたいが、ここに説明した検出手段は一例にすぎない。このほかの筆記開始／終了表示手段およびシステムを使用してもよい。たとえば、構造化されたペン先に１ないしは複数のセンサを取り付け、システムに筆記状態または非筆記状態を示すこともできる。また、ペン先と筆記表面の接触によって作り出されるサウンドが筆記状態を示すようにしてもよい。無音は、非筆記状態を示すことができる。
【０１００】
引き続きＦｉｇ．８ｄを参照するが、スタイラス（８５０）は、１ないしは複数のＬＣＤディスプレイ（８６０）を備え、データ（８６１）を表示することができる。またこれは、訂正のためのイレーサ（８６３）を備えることもできる。イレーサ表面は特殊なテクスチャを有し、筆記表面上における従来のペン・イレーサとして機能し、同時にイレーシング状態をＨＷＳＲＳに伝達するための特殊なサウンドを生成することができる。構造化されたペン先と同様に、筆記表面上のそのストロークの方向に従った複数のサウンドを生成するように、イレーサ表面を特殊なテクスチャから構成してもよい。当然のことながら、これらのサウンドは、構造化されたペン先からのサウンドと異なる必要がある。オン／オフ、送信／受信等のコマンドまたは機能を、イレーサによって、筆記表面上に対応する単語もしくは記号を筆記するときに生成されるサウンドに割り当ててもよい。当然ではあるが、同一のマイクロフォンまたは追加の（好ましくは指向性の）マイクロフォンを備え、筆記表面と接触する前記イレーサによって生成されるサウンドを明瞭に取り込むことができる。
【０１０１】
Ｆｉｇ．９ａは、ユーザがスタイラス（８５０）を使用して３つの手書き文字（９１０）筆記した紙のノート（９００）等の筆記表面を示している。これらの文字は、スタイラス・コンピュータによってディジタル化され（９２０）、スタイラスのＬＣＤディスプレイ（９０２）上に表示されている。最後に入力されたキャラクタの直後には、カーソル（９０４）が配置されている。ユーザが誤って入力したキャラクタの削除を希望する場合には、ユーザは、構造化されたイレーサ（９０１）を使用することができる。Ｆｉｇ．９ｂおよび９ｃに示されているように、筆記表面上において、たとえば左右方向（９１１）の直線ストロークを与えることによって、イレーサおよび筆記表面の接触から生成されるサウンドがＨＷＳＲＳにイレーシング動作を通知する。最後に入力されたキャラクタがディスプレイ（９１２）ならびにスタイラス・コンピュータのメモリ内から削除されることになる。さらに続けてキャラクタの削除を行うためには、追加のストロークを順次与えればよい。ユーザが、最後に入力したキャラクタ以外のキャラクタの削除を希望する場合には、そのキャラクタの隣にカーソルを置き、前述のイレーシング手順を行うことができる。このスタイラスを用いて従来の手書きドキュメントを作成できることから、実用上の理由から、ノートパッド上のキャラクタを同時に消すために、複数のストロークが必要になることがある。その場合には、コンピュータ化されたイレーシング・システムを修正してほかのイレーシング・システムを許容することができる。たとえば、（伝統的な鉛筆用消しゴムを用いた手書きイレーシング手順のような）連続的な短い間隔のストロークによって、１キャラクタの削除をＨＷＳＲＳに伝達することが考えられる。次のキャラクタを削除するためには、少なくとも短いポーズを適用すればよい。筆記表面上における前記イレーサストロークによって生成されるサウンドのより良好な取り込みを行うために、少なくとも１つの追加の（好ましくは指向性の）マイクロフォンを、前記イレーサ内もしくはその近傍に備えることができる。ここで、この原理に基づいた、可能性のあるほかのイレーシング手順も適用可能であることを理解する必要がある。また、ユーザが、独自のカスタム化したイレーシングに関する手順または記号もしくは動作を作り出すこともできる。
【０１０２】
本発明のさらに別の実施態様によれば、前述したイレーシング手順を構造化されたペン先によって行うことができる。Ｆｉｇ．１０ａに示されているように、筆記表面（１００２）上にスタイラス（１０００）によってテキスト（１００１）が筆記されている。これらの文字はディジタル化され（１００２）スタイラスのＬＣＤディスプレイ（１００３）上に表示される。最後に入力されたキャラクタの後ろには、カーソル・バー（１００４）が配置されている。Ｆｉｇ．１０ａに示されているように、ユーザは、１キャラクタの削除を希望するとき、伝統的な手書き手順の場合と同様にして、ペン先（１０１１）を用いて筆記表面上に取消線（１０１０）を引き、カーソルの手前にある最後の文字をコンピュータのメモリから削除することができる。筆記表面上におけるペン先のストロークによって生成されるサウンドは、ＨＷＳＲＳにイレーシング状態を伝えることができる。カーソルの手前の文字は、メモリならびにディスプレイ（１０１２）から削除される。さらに続けて文字を削除する場合には同様の手順が必要になる。
【０１０３】
Ｆｉｇ．１１は、前述したスタイラス・タイプのコンピュータ（１１１１）を示しており、これには、本発明の一実施態様に従ったフラット・ディスプレイ（１１１０）が備わっている。
【０１０４】
Ｆｉｇ．１１ａに、本発明の一実施態様に従ったスタイラス・コンピュータ（１１００）を例示する。このスタイラスは、前述した特徴の一部もしくはすべてを有するものとすることができる。さらにこれには曲面（たとえば凸面）ＬＣＤディスプレイ・ユニット（１１０１）が備わり、スタイラス・コンピュータ表面の少なくとも一部を覆っている。Ｆｉｇ．１１ｂは、半分開いたポジション（１１１２）のディスプレイを示している。平均的な従来のスタイラスの表面を覆う寸法は、幅が約１７センチメートル、高さが４〜５センチメートルの大きさである。ユーザは、ディスプレイ全体の見る場合に、手の中でスタイラスを回転すればよい。
【０１０５】
１７センチメートルは、Ａ３／Ａ４の用紙に筆記される標準的なテキスト行にほぼ等しいサイズである。Ｆｉｇ．１１ｃに示されているように、標準的なスタイラス形式のコンピュータを覆う、１７×５センチメートル（１１２２）の寸法を有するＬＣＤディスプレイ・スクリーン（１１２１）は、実寸のテキストの表示に充分であり、そのテキストの実寸の操作を可能にする。またこれは、ピクチャの表示あるいは実寸のウェブ・ページのブラウズを可能にする充分な大きさでもある。前述したようなユーザ・フレンドリな手書き入力システムと、ここで説明したような大型ディスプレイを、ペン形式という慣れ親しんだ形の装置内において組み合わせることによって、可搬性が高く、強力な小型化された機器が作り出される。これは、誰でも使用できる簡単なディジタル・ペン（たとえば、主婦のためのショッピング・メモ）あるいはモバイル電話、ＰＤＡデバイス、もしくはコンピュータ等のより高度な機器というように多くのバージョンで製造することができる。この機器の大きな利点の１つは、筆記表面を持ち歩く必要がなくなることである。ユーザは、テーブルの表面等の利用可能な任意の表面上に入力を筆記することができる。ここで注意しなければならないが、このスタイラス・コンピュータのディスプレイ・ユニット１１１２は、取り外し自在にスタイラス・コンピュータに取り付け可能であり、ケーブルもしくはワイヤレスによってスタイラス・コンピュータに接続することができる。前記ディスプレイは、フレキシブル（たとえば、可塑性材料から作られる）としてもよく、その結果、たとえば前記スタイラス・コンピュータを使用しないときには、前記スタイラスの周囲に前記ディスプレイを巻き付けるか、もしくは前記スタイラスに巻き付けて取り付け、あるいはスタイラス・コンピュータの内側またはそのカバーの中に収めておくこともできる。前記ディスプレイの、使用のための取り外しおよび／または展開（たとえば広げる）を行うこともできる。このコンセプトを使用することによって、より大きな（たとえば、スタイラス・コンピュータの周囲に数回にわたって巻き付けられる）ディスプレイをスタイラス・コンピュータに組み込むこと、および／またはそれとともに使用することも考えられる。さらに、このスタイラス・コンピュータをケーブルもしくワイヤレスを経由して任意の外部ディスプレイに接続してもよい。前記ディスプレイと前記スタイラスがワイヤレス接続される場合には、ワイヤレス通信手段（たとえば、ブルートゥース（ｂｌｕｅ  ｔｏｏｔｈ）、赤外線等）を前記ディスプレイおよび／または前記スタイラスに備えることができる。
【０１０６】
本発明の一実施態様によれば、Ｆｉｇ．１２に示されているように、スタイラス・コンピュータ（１２００）にボタン‐タイプのマウス（たとえば、ポインティングおよび／または選択デバイス）（１２０１）を備えてもよく、好ましくはそれが、ポインティング・チップ（１２０２）と逆側に取り付けられる。Ｆｉｇ．１２ａ〜１２ｅを参照し、このマウスの、可能性のあるいくつかの物理的な動きを示す。Ｆｉｇ．１２ａは、スタイラスのマウス側（１２１０）、すなわちマウス（１２０１）が取り付けられる側を示している。マウスは、内側ポジション（１２１２）、あるいは外側ポジション（１２１３）というように、１つ、２つ、もしくはそれを超える取り付けポジションをスタイラス軸上に有することが可能である。取り付けポジションを変更するためには、マウスを引き出す（１２４１）か、あるいはスタイラス軸内に押し込む（１２４２）。指示手段（１２１６）または指示マーク（１２２７）により、マウスのポジションを示してもよい。Ｆｉｇ．１２ｂに示されているように、マウスは、各種のクリック・システム、たとえば、スタイラスの内側方向（１２１７）のクリック、およびスタイラスの外側方向（１２１５）のクリックを有することもできる。
【０１０７】
またＦｉｇ．１２ｃを参照すると、このマウス（１２０１）は、各ポジションまたはクリック状態ごとに互いに逆方向となる回転（１２１９）を有することもできる。
【０１０８】
さらに、Ｆｉｇ．１２ｄに示されているように、このマウス（１２０１）は、内側ポジション（１２６１）または外側ポジション（１２６２）等のそれぞれのポジショニング状態において、スタイラスの軸と垂直に全方向（１２５１，１２５２，１２５３等）に押すことができる。Ｆｉｇ．１２ｅは、このマウスの側面図（１２２３）およびそのマウスに対する加圧方向（１２７２，１２７３等）のいくつかを示している。またこの図は、マウスの正面図（１２２２）およびそれに対する加圧方向（１２２４，１２２５等）のいくつかを示している。さらに、ここに説明した動きが、各種の可能性のうちの一部の例であることもここで理解される。開示した発明の形式ならびに詳細における各種の省略ならびに代用および変更は、本発明の精神から逸脱することなく、当業者であれば実施可能と見られる。たとえば、Ｆｉｇ．１２ｆに示されるように、スタイラス‐タイプのコンピュータのマウスに、ラップトップ・コンピュータに使用されているものに類似のブル・システム（ｂｕｌｌ  ｓｙｓｔｅｍ）を備え、ラップトップと同じ方法に従って操作することもできる。
【０１０９】
前述したマウスの動きおよび／またはそれらの組み合わせに、各種のコンピュータ・コマンド、機能、システ・モード等を割り当ててもよい。これにより、スタイラス‐タイプのコンピュータの、完全であり、容易かつ迅速なデータならびに機能のコントロールが可能になる。以下、これを立証するために各種の実施態様のいくつかについて説明する。ここで注意しなければならないが、前述の例もしくは以下に説明する例は、いくつかの方法を例示しているにすぎない。当業者においては、本発明の精神から逸脱することなく、割り当ての組み合わせの多くのバリエーションが使用できることを認識されよう。
【０１１０】
本発明の一実施態様によれば、スタイラス・コンピュータのディスプレイを任意のコンピュータ・ディスプレイと類似にできる。つまり、プログラム・アイコン、メニュー、異なるウインドウの表示等を含むことができる。たとえば、Ｆｉｇ．１３ａに示されているように、ワード・プロセッシング・プログラムを開くと、ディスプレイ（１３００）に少なくとも２つの異なるセクションが現れる。メニュー・セクション（１３０１）が、たとえばスクリーンのトップに配置され、テキスト・セクション（１３０２）が、たとえばメニュー・セクションの下側に配置される。メニュー・セクションは、１ないしは複数のメニュー行（１３０３）を含み、そのそれぞれがメニュー・バー・タイトル（１３０４）のリストを含み、必要に応じてそれらを開くことができる。この例においては、メニュー・リストの行の１つを表示しているディスプレイが示されている。ここで理解する必要があるが、スタイラス・コンピュータのディスプレイ・ユニットは、必要性および／または利用可能な表面の制限等に応じて、一度に複数行のメニュー・リストを示すこともできる。
【０１１１】
本発明の一実施態様によれば、ユーザは、マウス（１３０９）を使用してメニュー・リストをスクロールすることができる。たとえばユーザは、希望するメニュー・バーを含むメニュー・リストを探し出すために、まずマウスを、たとえば内側ポジション（１３０７）となるメニュー・モードに位置決めする。続いて、Ｆｉｇ．１３ｂ〜１３ｃに示されているように、マウスを任意の方向（１３０８）に回転し、ディスプレイ上において新しいメニュー・リスト（１３１３，１３２３等）をスクロールする。ユーザは、希望するメニューを含むメニュー・リストが現れたところで回転を停止する。
【０１１２】
本発明の一実施態様によれば、ユーザは、マウスを使用することによってメニュー・リスト内を移動することができる。これを目的としてユーザは、前述したように、またＦｉｇ．１４ａに示したように、まずマウス（１４００）をメニュー・モード・ポジション（１４０１）に位置決めする。これによりシステムが、メニュー・リスト選択モードに入る。続いて、Ｆｉｇ．１４ｂに示されるように、マウスをスタイラス軸に沿って内側方向（１４１１）に、クリックが生じる充分な強さで押すと、システムがメニュー（バー）選択モードに入り、メニュー（バー）選択インジケータ手段（１４１２）がメニュー・リスト上に現れる。この時点では、インジケータがいずれのメニューもポイントしていない。次に、Ｆｉｇ．１４ｃに示されるように、マウスを回転（１４２１）するとメニュー・バー選択インジケータがメニュー・バー・タイトル上を移動する（１４２２）。選択インジケータがリスト上の最後のメニューまで到達した後にさらにユーザがマウスを回転すると、Ｆｉｇ．１４ｄに示されるように、次のメニュー・リスト（１４３２）が現れ、メニュー・バー選択インジケータは、新しいメニューの最初のロケーション（１４３３）にジャンプすることになる。これが、Ｆｉｇ．１４ｅに示されるように、たとえば希望のメニューにインジケータが到達してユーザがマウスの回転を停止するまで続けられる。メニュー・モードからメニュー・リスト選択モードに戻るときは、Ｆｉｇ．１４ｆに示されているように、ユーザは、たとえばマウスを内側方向にクリックし、同時に任意の方向にそれ（１４５１）わずかに回転させる。
【０１１３】
Ｆｉｇ．１５ａ〜１５ｈは、マウス操作によるメニュー内の移動および機能の例を示している。Ｆｉｇ．１５ａを参照すると、スタイラス‐タイプのコンピュータ（１５００）が示されている。前述してように、ＬＣＤディスプレイ（１５０３）の上側部分は、メニュー・リストに割り当てられている。メニュー・バー内の機能を選択するために、ユーザは、そのメニュー・バーが位置するメニュー・リストを見る必要がある。たとえば、ユーザがフォントの変更を希望した場合には、対応するメニュー・リストに移動しなければならない。そのためにユーザは、まず、たとえば（スタイラス軸の）内側ポジション（１５０２）のメニュー選択モードにマウス（１５０１）を位置決めする必要がある。希望するメニュー・バーが現在のメニュー・リスト内（１５０４）になく、システムがメニュー（バー）選択モードであれば、ユーザはマウスを回転（１５０５）し、必要に応じて選択インジケータ（１５０６）を、Ｆｉｇ．１５ｂに示されるように、最後のメニュー・バー・タイトル（１５１０）に到達するまで、前方もしくは後方に移動させる。ユーザがマウスの回転を継続すれば、Ｆｉｇ．１５ｃに示されるように、次のメニュー・リスト（１５２０）が現れる。メニュー選択インジケータは、新しいメニュー・リストの最初のロケーションにジャンプする。そのメニュー・リストもユーザの希望するものでない場合には、ユーザは、引き続きマウスを回転してメニュー・バー・インジケータ（１５２１）を、Ｆｉｇ．１５ｄに示されるように、最後のメニュー・タイトルに達するまで移動し、新しいメニュー・リスト（１５３０）をスクリーン上に表示させる。メニュー・バー・インジケータは、再び新しいメニュー・リストの次のロケーションにジャンプし、ユーザがマウスの回転を停止して、インジケータをメニュー・タイトル（１５３１）上に位置決めするまで進み続ける。誤って選択メニュー・タイトル・インジケータを必要以上に進ませてしまった場合には、Ｆｉｇ．１５ｅに示されるように、ユーザはマウス（１５０１）を逆方向（１５４１）に回転し、メニュー・バー選択インジケータを戻して、希望するメニュー・タイトル（１５４２）上で止めればよい。Ｆｉｇ．１５ｆに示されているように、この時点においてユーザは、マウスを内側方向（１５５１）に押してクリックする。システムが機能選択モードに入り、メニュー・バー（たとえば、例証の目的で平坦に延びるポジションで示した、ペン表面を取り囲むポップアップ・メニュー）（１５５２）が開く。機能選択インジケータ（１５５３）は、現在の選択肢の上に置かれている。Ｆｉｇ．１５ｇに示されているように、それを希望する選択肢上に移動するために、ユーザは、インジケータが希望する機能（１５６３）に到達するまで、必要な方向にマウス（１４０１）を回転（１５６２）する。このポップアップ・メニューには、コンピュータのポップアップ・メニューに類似した原理を使用してもよい。Ｆｉｇ．１５ｈに示されているように、その後ユーザは、再びマウスの内側方向（１５７１）に押してクリックする。機能が選択され、以前の選択肢に置き換わってメニュー・バー・タイトル（１５７２）に表示される。さらにマウスは、機能選択モードからメニュー（バー）選択モードに戻る。
【０１１４】
本発明の一実施態様によれば、スタイラス軸上のマウス・ポジションの１つにテキスト編集モードを割り当てることが可能であり、マウスがテキスト編集モードにあるときには、ユーザがマウスを回転することによってテキスト・ドキュメント行またはページをスクロールすることができる。Ｆｉｇ．１６ａは、たとえば前述したすべての特徴ならびにシステムを有するスタイラス‐タイプのコンピュータ（１６００）を示している。この例においては、テキスト編集ウインドウ（１６０１）が示されている。ディスプレイ・ユニットは、２つのセクションに分割されている。上側のセクション（１６０２）がメニュー・リストに割り当てられ、下側のセクション（１６０３）がテキストに割り当てられる。この例の場合、２行のテキストを表示するディスプレイが例示されている。ここで理解されようが、このシステムのディスプレイ・ユニットは、必要性および／または利用可能な表面の制限等に応じて、２行より多くの、あるいはそれより少ない行を表示することもある。マウス・ボタン（１６０４）は、たとえば内側ポジションのメニュー・モードにある。Ｆｉｇ．１６ｂに示されているように、ユーザは、たとえばマウスを引き出し（１６１０）、それを外側ポジションに位置させ、システムをテキスト編集モードにする。その後ユーザは、Ｆｉｇ．１６ｃに示されているように、たとえば時計方向（１６０５）にマウスを回転することによってテキスト行ならびにページ（１６０８）を前方にスクロールし、Ｆｉｇ．１６ｄに示されているように、マウスを反時計方向（１６０６）に回転することによってテキスト行ならびにページ（１６０９）を後方にスクロールすることができる。
【０１１５】
本発明のさらに別の実施態様によれば、マウスを回転することによってカーソルを操作することもできる。これについては、Ｆｉｇ．１７ａ〜１７ｆに例示されている。Ｆｉｇ．１７ａに示されているように、まずユーザは、マウスをテキスト編集モードに関連するポジション、たとえば外側のポジション（１７０１）に位置決めする必要がある。テキスト・ナビゲーション・モードが行スクロール・モードになっている場合には、Ｆｉｇ．１７ｂに示されているように、ユーザは、マウスを外側方向（１７０２）にクリックしてシステムをカーソル（キャラクタ）ナビゲーション・モードにする。カーソルが現在のページにあるときには、それがテキスト内の同じポジションにとどまる。カーソルが現在のページにない場合には、テキスト内のオリジナルのロケーションにとどまるか、あるいは自動的に現在のページに移動し、たとえば、最後の行（１７０４）もしくはあらかじめ定義済みの行の、先頭のポジション（１７０３）または最後のポジション、あるいは行内のポジションに位置する。その後、Ｆｉｇ．１７ｃ〜１７ｄに示されているように、たとえばマウスを時計方向（１７１０）に回転することによってカーソルがキャラクタ間を前方に、それが行内の最後のポジション（１７２１）に到達するまで進む。スクリーン上に次の行が表示されている場合には、カーソルが次の行の先頭にジャンプし、ユーザがマウスの回転を続ける限り、継続して前方に移動する。現在の行がスクリーン上の最後の行であり、カーソルが行の最後のポジションに到達した場合には、ユーザが継続してマウスを回転することによって、Ｆｉｇ．１７ｅに示されているように、その次の行（１７３２）が現れ、カーソルが次の行（１７３３）に進み、ユーザがマウスの回転を続ける限り、それが継続される。ユーザは、逆方向（１７４１）へのカーソルの移動を希望する場合に、マウスを逆方向（１７４２）に回転する。行スクロール・モードに戻る場合には、本発明の一実施態様に従って、マウスを引いてクリックすると同時に、わずかにそれを回転する。
【０１１６】
本発明の一実施態様によれば、Ｆｉｇ．１８ａに示されるように、たとえばコンピュータに使用されているものに類似のテキスト選択インジケータ（１８０１）が、スタイラス・コンピュータデバイスのテキスト編集モードに備わっている。Ｆｉｇ．１８ｂに示されているように、マウス（１８１０）を使用して、スクリーン上のインジケータを移動（１８１２）することができる。これを目的としてテキスト編集モード等のポジションに、この例の場合であれば外側のポジション（１８１５）にマウスを位置決めすることができる。たとえばＦｉｇ．１８ｃに示されているように、テキスト内のロケーション（１８２１）を選択する場合においてユーザは、まずスタイラス軸と垂直な方向にマウスを押すことによって、インジケータ（１８２２）をそこに移動する。続いてユーザは、Ｆｉｇ．１８ｄに示されているように、マウスを外側方向（１８３１）にクリックすることによって、そのポイントを選択し、カーソル（１８３２）をそこに配置する。ほかの機能との混同を防止するために（たとえば、行スクロール・モードからカーソル操作モードへの移行）、ユーザは、クリックを行う間、より長く（たとえば１秒間）マウスを押す状態を維持する必要がある。マウスのクリックに代えて、ユーザは、スタイラス・コンピュータに備わる別のあらかじめ定義済みのボタン、たとえばＦｉｇ．２７ｇに示されているようなボタン２７０１（たとえば、詳細を後述するクリップ‐タイプのボタン）を押してもよく、または当業者に周知の別の動作に進んでもよい。
【０１１７】
本発明のさらに別の実施態様によれば、マウスの動きを使用して、ドキュメントまたはテキストの全部もしくは部分を選択することもできる。Ｆｉｇ．１９ａは、スタイラス‐タイプのコンピュータ（１９００）のディスプレイ（１９０１）を示しており、それにおいては、カーソル（１９０２）がテキスト（１９０３）内の特定のロケーションに位置しており、マウス（１９０７）が、テキスト・モード、たとえば外側ポジション（１９０８）に位置決めされている。システムがキャラクタ／カーソル操作モードになっているときには、Ｆｉｇ．１９ｂに示されているように、テキスト選択モードに入るために、ユーザは、マウスを外側に（１９１１）、それがクリック音を生じる充分な強さで引く。ユーザがボタンを放すと、好ましくはそれが最初の外側ポジションに戻る。テキストの部分を選択するために、ここでユーザは、マウスを時計方向もしくは反時計方向に回転する。Ｆｉｇ．１９ｃに示されているように、マウスを時計方向（１９２１）に回転することによって、システムが前方への選択を開始し、たとえば、ユーザが回転を停止するまでの回転角度に応じ、カーソル・ポジション（１９２２）の直後に位置するテキストが選択される。ユーザがマウスを逆方向（１９３１）に回転した場合には、Ｆｉｇ．１９ｄに示されているように、システムがカーソル・ポジションから徐々に選択を開始し、たとえば、ユーザが回転を停止するまでの回転角度に応じ、カーソル・ポジション（１９３２）の直前からテキストが選択される。選択したテキストのコピー、削除、フォント変更等の操作に進むことをユーザが希望する場合には、マウス・ポジションをメニュー選択モードのポジション（たとえば内側のポジション）に変更すればよい。それによりシステムが、次に説明するプロシージャに進むことになる。
【０１１８】
Ｆｉｇ．１９ｅに示されているように、ユーザは、テキスト選択ステップを終了することを希望するのであれば、マウスがクリック音を発するまで（１９４１）、それを外側方向に引いてから放す。それによりシステムがキャラクタ（カーソル）操作モードに戻る。
【０１１９】
Ｆｉｇ．２０ａに示されているように、たとえば前述の手順によってテキスト（２００１）が選択される。たとえば、このように選択されているテキストにコピー等の編集手順を適用する場合に、ユーザは、前述したようにマウスをメニュー選択モード（２００２）に設定し、「ｅｄｉｔ（編集）」メニュー（２００３）を探してそれを選択し、続いてＦｉｇ．２０ｂに示されるように、マウスを内側方向（２０１０）にクリックしてメニュー（２０２１）を開く。その後ユーザは、前述したように、またＦｉｇ．２０ｃに示されているように、マウス（２０３１）を回転することによって機能選択モードを『ｃｏｐｙ（コピー）』機能（２０３２）上に設定する。さらに、Ｆｉｇ．２０ｄに示されているように、再びマウスを内側方向（２０３３）に、クリック音を発する充分な強さで１回押すことによって、システムがそのテキストをコピーし、機能モードを終了する。
【０１２０】
コンピュータ・ドメインにおいて周知の、コピーしたテキストを別の場所にペーストするといった操作を行うために、まずユーザは、カーソルを用いてペーストを行う場所をシステムに示さなければならない。このためにユーザは、Ｆｉｇ．２１ａに示されているように、まず、たとえばマウスを引いて、外側ポジション（２１００）に位置決めすることによって、システムをテキスト編集モードに設定する。続いてユーザは、前述したように、またＦｉｇ．２１ｂに示されているように、マウスをスタイラス軸（２１１０）と垂直に、必要な方向に押すことによって、テキストをペーストする場所にカーソル（２１１１）を移動する。その後ユーザは、コピー手順に関して説明したように、たとえばマウスを内側ポジションに位置決めすることによって、システムをメニュー選択モードに戻し、マウス（２１１３）を回転することによって『ｅｄｉｔ（編集）』メニュー（２１１２）を探し出す。そのメニュー・バーの名前（たとえば『Ｅｄｉｔ（編集）』）上にメニュー選択インジケータを位置決めした後、Ｆｉｇ．２１ｃに示されるように、ユーザはマウスを内側方向（２１２０）にクリックし、メニュー・バー（２１２１）を開く。その後ユーザは、前述したように、またＦｉｇ．２１ｄに示されているように、マウス（２１３０）を回転することによって、希望する機能（２１３１）、すなわちこの例の場合であれば『Ｐａｓｔｅ（ペースト）』機能の上まで機能インジケータを移動する。さらに、Ｆｉｇ．２１ｅに示されているように、マウスを内側方向（２１４０）にクリックすることによって、ペースト機能が選択されて、コピー済みのテキスト（２１４２）が、カーソル（２１４１）によってポイントされているドキュメント内のロケーションにペーストされる。
【０１２１】
またＦｉｇ．２２ａに示されているように、消去のためにテキスト（２２０１）を選択した場合には、『Ｐａｓｔｅ（ペースト）』機能に関して前述した手順と同様に『Ｅｄｉｔ（編集）』メニュー・バー内の『Ｃｌｅａｒ（クリア）』機能を使用することによって、あるいはＦｉｇ．２２ｂに示し、かつ前述したように、イレーシング・ツール（２２１１）を使用し、消去に関する指示としてＨＷＳＲＳによって認識されるサウンド波形を生じるあらかじめ定義済みの動作を行うことによってそれを消去することができる。筆記表面上におけるイレーサの単一のイレーシング動作が、選択されたテキスト全体を消去する。追加のイレーシング動作は、カーソルの手前に位置するテキストのキャラクタもしくは記号を消去することになる。イレーシング・ツールに代えてユーザは、これについても前述したが、ペン先によって、ＨＷＳＲＳに削除コマンドを伝えるすでにパターン化済みのサウンド波形を発生するあらかじめ定義済みの取り消し記号（２３１１）を筆記することができる。この場合においても、前述したように、筆記表面上のペン先による単一のイレーシング動作が、選択されたテキスト全体を消去する。追加のイレーシング動作は、カーソルの手前に位置するテキストの追加のキャラクタもしくは記号を消去することになる。
【０１２２】
本発明の一実施態様によれば、「通常選択（ポインタ）」インジケータによりメニュー・リスト内のメニューをポイントし、そのメニュー内の機能を選択することもできる。Ｆｉｇ．２３ａ〜２３ｅに示されているように、最初にユーザは、マウスを、たとえば内側ポジションのメニュー・モードに位置決めする。続いてユーザは、スタイラス軸と垂直に（２３４０）マウス（２３００）を押すことによって、通常選択インジケータ（２３４１）をメニュー・リスト（２３４２）内の希望するメニューに向けて移動する。インジケータを希望のメニュー・タイトル（２３５３）上まで移動した後に、ユーザは、Ｆｉｇ．２３ｃに示されるように、たとえば内側方向（２３６０）にマウスをクリックしてメニュー・バーを開くことができる。これによりメニュー・バー（２３６１）が開く。このメニュー・バー内にある機能を選択する場合には、ユーザは、スタイラス軸と垂直にマウス（２３００）を押す（２３７０）ことによって希望する機能（２３７１）までインジケータを移動した後に、内側方向（２３７３）にマウスをクリックすれば、その機能を選択することができる。モードの選択との混同を防止するためには、ユーザがクリックを行う間、より長くマウスを押す状態を維持するようにできる（たとえば１秒間）。マウスのクリックに代えて、ユーザは、スタイラス・コンピュータに備わる別のあらかじめ定義済みのボタン、たとえばＦｉｇ．２７ｇに示されているようなボタン２７０１（たとえば、詳細を後述するクリップ‐タイプのボタン）を押してもよく、または当業者に周知の別の動作に進んでもよい。
【０１２３】
本発明の一実施態様によれば、テキスト選択インジケータおよび通常選択インジケータに２つの異なるマウス・モード（たとえば、内側および外側ポジション）を割り当てることに代えて、両方のインジケータに単一のマウス・モード（たとえば内側ポジション）を割り当てることができる。Ｆｉｇ．２４ａに示されているように、コンピュータに使用されているものに類似のテキスト選択インジケータ（２４０１）をスタイラス‐タイプのコンピュータ・デバイスに備えてもよい。Ｆｉｇ．２４ｂに示されているように、マウス（２４１０）を使用してスクリーン上のインジケータ（２４１２）を移動することができる。それを目的として、マウスをメニュー選択モード等のポジション、すなわちこの例の場合であれば内側ポジション（２４１５）に位置決めすることができる。Ｆｉｇ．２４ｃに示されているように、たとえばテキスト内のロケーション（２４２１）を選択する場合にユーザは、まずスタイラス軸と垂直にマウスを押して、インジケータ（２４２２）をそのポイントに移動させる。続いてＦｉｇ．２４ｄに示されるように、ユーザは、マウスを内側方向（２４３１）にクリックしてそのポイントを選択し、カーソル（２４３２）をそこに配置する。ほかのモードとの混同を防止するために、ユーザは、クリックを行う間、より長くマウスを押す状態を維持する必要がある（たとえば１秒間）。マウスのクリックに代えて、ユーザは、スタイラス・コンピュータに備わる別のあらかじめ定義済みのボタン、たとえばＦｉｇ．２７ｇに示されているようなボタン２７０１（たとえば、詳細を後述するクリップ‐タイプのボタン）を押してもよく、または当業者に周知の別の動作に進んでもよい。
【０１２４】
このインジケータは、メニュー・リスト内のメニューをポイントすることもできる。Ｆｉｇ．２４ｅ〜２４ｆに示されているように、ユーザは、スタイラス軸と垂直（２４４０）にマウスを押して、インジケータ（２４４１）をメニュー・リスト（２４４２）に向けて移動させる。コンピュータの場合と同様に、インジケータがメニュー・リストに到達すると、そのアピアランスがバー形状（２４４１）から矢印形状（２４５２）に変化する。希望するメニュー・タイトル（２４５３）までインジケータを移動した後、ユーザは、Ｆｉｇ．２４ｇに示されるように、メニュー・バーを開くために、マウスを内側方向（２４６０）にクリックすることができる。それによりメニュー・バーが開く（２４６１）。また、Ｆｉｇ．２４ｈに示されているように、ユーザは、スタイラス軸と垂直にマウスを押して、インジケータを希望する機能（２４７１）まで移動することができる。続いてユーザは、マウスを内側方向（２４７３）にクリックすることによって、その機能を選択する。ほかのモードとの混同を防止するために、ユーザは、クリックを行う間、より長くマウスを押す状態を維持する必要がある（たとえば１秒間）。マウスのクリックに代えて、ユーザは、スタイラス・コンピュータに備わる別のあらかじめ定義済みのボタン、たとえばＦｉｇ．２７ｇに示されているようなボタン２７０１（たとえば、詳細を後述するクリップ‐タイプのボタン）を押してもよく、または当業者に周知の別の動作に進んでもよい。
【０１２５】
上記のポインタ割り当てによって、マウスが別のポジション（たとえば外側ポジション）にある場合にそれをスタイラス軸と垂直に押す動作をほかに利用することが可能になるが、たとえばそれに、テキスト内のカーソル操作手順を割り当ててもよい。その手順をＦｉｇ．２４ｉ〜２４ｎに示す。
【０１２６】
本発明の一実施態様によれば、たとえばスタイラス軸と垂直にマウスを押すことによってカーソルを操作することができる。Ｆｉｇ．２４ｉに示されているように、最初にユーザは、マウスを、たとえば外側ポジションのテキスト編集モード（２４８１）に設定する。テキスト・モードが行スクロール・モードになっている場合には、Ｆｉｇ．２４ｊに示されているようにユーザは、マウスを外側方向（２４８２）にクリックしてシステムをキャラクタ／カーソル・ナビゲーション・モードにする。前述したように、カーソルが現在のページにあるときには、それがテキスト内の同じポジションにとどまる。カーソルが現在のページにない場合には、たとえば、それがドキュメントの現在のページの、たとえば最後の行（２４８４）の、たとえば最後のポジション（２４８３）もしくは最初のポジションに現れる。その後、Ｆｉｇ．２４ｋ〜２４ｎに示されているように、スタイラス軸と垂直にそれぞれの方向（２４９５〜２４９８）にマウスを押すことによって、テキスト上のカーソルを、上（２４９０）、左（２４９１）、下（２４９２）、もしくは右（２４９３）の方向に移動させることができる。
【０１２７】
前述したように、マウスに、スタイラス・コンピュータ上における１つ、２つ、またはそれを超える数のポジションを与え、より良好かつ容易な機能性のために、各ポジションに対して、たとえば同一ドメインの多数の機能を割り当てることができる。このマウスがスタイラス・コンピュータ軸上に無数のポジションを有することは可能であるが、マウスの容易な使用のため、ならびにユーザのフラストレーションを回避するために、マウスが有するスタイラス・コンピュータ上のポジションが２箇所を超えないことが好ましい。より機能性を高めるためには、それに加えて、各ポジションの側（たとえば内側、外側）において、追加のクリック・システムをマウスに提供することができる。ここで注意が必要であるが、クリック・システムをマウスに備えることに代えて、スタイラス・コンピュータ上に備えたあらかじめ定義済みの１ないしは複数のボタンを、マウス・ボタンとしてマウスとともに使用することもできる。たとえば、マウスを操作する間にユーザが、スタイラス・コンピュータに備わる、Ｆｉｇ．２７ｇに示されている２７０１等のあらかじめ定義済みのボタン（たとえば、詳細を後述するクリップ‐タイプのボタン）を押すようにしてもよい。クリック・システムを包含したマウスおよび／またはあらかじめ定義済みの対応するボタンが組み合わされるマウスは、コンピュータのマウスと類似に機能し、コンピュータのマウスのすべての機能を少なくとも持つことができる。ここで注意しなければならないが、これまで説明した例またはこれ以降に説明する例は、いくつかの方法を例示しているにすぎない。当業者であれば、各種多数の割り当ての組み合わせを、本発明の精神から逸脱することなく採用することができる。
【０１２８】
Ｆｉｇ．２５は、本発明の一実施態様に従ったマウス（２５００）を示しており、このマウスは、スタイラス上においてスタイラス軸方向に２つのポジション（２５０１，２５０２）を有している。これにおいても、より高いマウスの機能性を得るために、それに加えてそれぞれのポジションの側（たとえば内側、外側）に、クリック・システム（２５０７，２５０８）を備えている。
【０１２９】
本発明の一実施態様によれば、マウス・ポジションの１つ、たとえば外側ポジションにテキスト編集（操作）機能を割り当てることができる。Ｆｉｇ．２５ａは、マウスがどのように機能するかについての一例を示している。最初のステップ（２５１０）においては、マウスが、行／ページ・スクロール・モードに設定されている。ユーザは、マウスをスタイラスの軸と垂直に、時計方向もしくはその逆方向に回転（２５１１）することによって、前述の例に示したように、ＬＣＤディスプレイ上のテキスト・ドキュメント行を前後に移動させることができる。ユーザがマウスを、クリック音が生じる充分な強さで引くと（２５１２）、システムがモードを変更し、カーソル／キャラクタ・モード（２５２０）に入る。この状態でユーザがマウスを回転すると（２５２１）、テキスト内のカーソルが文字単位で前後に移動する。行モード（２５１０）に戻るときには、ユーザは、たとえばマウスを引き出してクリック（２５１９）すると同時に、マウスをわずかに回転（２５１８）すればよい。
【０１３０】
これに対して、ユーザがテキストの部分の選択を希望する場合には、まずシステムがカーソル／キャラクタ選択ステップ（モード）（２５２０）を設定している間に、選択するテキストの前もしくは後ろにカーソルを位置決めしなければならない。続いてユーザが、マウスを引き出してクリック（２５２２）すると、システムがテキスト選択ステップ（モード）（２５３０）に入る。この状態でマウスをいずれかの方向（２５３１）に回転すれば、それに応じてカーソルの前、もしくは後のテキストが選択されることになる。選択されるテキストの長さは、回転量（程度）に依存する。テキストを選択した後、ユーザは、選択したテキストの部分を操作（例：コピー、太字、削除等）することができる。カーソル・モード（２５２０）に戻る場合には、ユーザは、再びマウスを引き出してクリックする（２５２９）。
【０１３１】
ユーザは、いずれのステップにおいても、たとえば他方のポジション（たとえば内側ポジション、メニュー選択モード）にマウスを位置決めすることによって、テキスト・モードを終了（２５４１〜２５４３）することができる。現在のテキスト・ページ、カーソル・ポジション、および現在選択しているステップは、デフォルトとして維持される。ユーザが、再びテキスト・モードに入るときには、入る前と同じポジションならびにステップ（２５４５〜２５４７）のテキスト・モードに入ることになる。
【０１３２】
ここで注意しなければならないが、テキスト行／ページをスクロールするステップ（たとえば行／ページ・スクロール・モード）は省略することができる。その場合にユーザは、カーソル／キャラクタ・モードにおいてマウスを回転し、カーソルを前方（または後方）に移動させることによって行をスクロールすることができる。カーソルがテキスト内の最後の（もしくは最初の）ポジションに到達した時、さらにユーザが回転を続けると、次の行／ページが現れることになる。ここで理解される必要があるが、テキストが数行にわたって構成され、そのうちの１行ないしは複数行を同時に、スタイラス・コンピュータのスクリーン・ディスプレイ・ユニット上に表示できる。
【０１３３】
本発明の一実施態様によれば、マウス・ポジションの１つ、たとえば内側ポジションにメニューおよび機能操作を割り当てることができる。Ｆｉｇ．２５ｂは、その場合にマウスがどのように機能するかについての例示である。最初のステップ（２５５０）においては、マウスが、メニュー・リスト選択モードに設定されている。ユーザは、マウスをペンの軸と垂直に、時計方向もしくは反時計方向に回転（２５５１）することによって、前述の例に示したように、ＬＣＤディスプレイ上のメニュー・リストを前後にスクロールすることができる。いかなる時点でもユーザがクリック音を生じる充分な強さでマウスを押すと（２５５２）、システムが現在のメニュー・リストを選択し、モード（ステップ）を変更してメニュー選択モード（ステップ）（２５６０）に入る。メニュー・リスト上のあらかじめ定義済みのロケーションにメニュー選択インジケータが現れる。この状態でユーザが、マウスを回転すると（２５６１）、選択されたメニュー・リストのメニュー上を、メニュー選択インジケータがメニュー単位で前後に（ユーザによる回転方向に従って）移動する。メニュー選択インジケータがリスト内の最後のメニューに到達した後、さらにユーザが回転を継続すると、回転の方向に従って次もしくは手前のメニュー・リストが現れる。メニュー選択インジケータは、（回転の方向に従って）最初もしくは最後のメニューにジャンプし、ユーザが回転を停止するまでメニュー・タイトル上を移動する。メニュー・リスト選択モード（２５６０）に戻る場合には、ユーザは、たとえばマウスを押し込んでクリック（２５５９）すると同時に、マウスをわずかに回転（２５５８）すればよい。
【０１３４】
一方、ユーザがメニュー内に含まれている機能の選択を希望する場合には、まずシステムがメニュー選択モード（２５６０）を設定している間に、選択するメニュー上にメニュー選択インジケータを位置決めしなければならない。続いてユーザが、マウスを押し込んでクリック（２５６２）すると、システムが機能選択モード（ステップ）（２５７０）に入る。メニュー内に１つの機能しか含まれていなければ、それが自動的に選択される。２つの選択肢があり、その一方がすでに使用中の場合（たとえば太字、標準）には、他方の選択肢が自動的に選択される。現在使用中の機能のほかに、２つもしくはそれを超える数の機能が存在する場合には、そのメニューに対応するメニュー・バーが開く。この状態で、必要に応じていずれかの方向（２５７１）にマウスを回転すると、機能選択インジケータが現れて、ユーザがそれらのうちの希望する１つの上でインジケータを停止させるまで、機能タイトル上を移動する。ユーザがその機能を選択するためには、再びマウスを押し込んでクリックする（２５６９）。この機能が最終的に選択され、システムがメニュー選択モード（ステップ）（２５６０）に戻る。
【０１３５】
ユーザは、たとえばマウスを引いてそれを外側ポジション（たとえば、テキスト選択モード）に位置決めすることによってメニュー・モード（２５８１〜２５８３）を終了することができる。現在のメニュー・リストが、デフォルトとして維持されるようにしてもよい。システムが再びメニュー・モード（２５８４）に入ったとき、このデフォルトのメニュー・リストがスクリーン上に表示されることになる。
【０１３６】
ここで注意しなければならないことは、メニュー・リストをスクロールするステップ（たとえば、メニュー・リスト・モード）が省略できることである。その場合にユーザは、メニュー選択モードにおいてマウスを回転し、メニュー選択インジケータを前方（または後方）に移動させることによって行をスクロールすることができる。インジケータがメニュー・リスト内の最後（または最初）のポジションに到達した時は、ユーザが、さらに回転を継続することによって、次のメニュー・リスト（たとえば行）を表示することができる。ここで理解されようが、メニュー・リストが数行にわたって構成され、そのうちの１行ないしは複数行を同時に、スタイラス・コンピュータのスクリーン・ディスプレイ・ユニット上に表示できる。
【０１３７】
ここで注意しなければならないが、個別に、あるいはマウスの回転とともに前述した通常選択インジケータを使用して機能を選択することも可能である。
【０１３８】
本発明の一実施態様によれば、マウスもしくはそのほかのボタンに割り当てられているコマンドの少なくとも一部について、筆記によるコマンドを提供することができる。たとえば、マウスの操作によってテキストの部分を選択した後、ユーザは、筆記表面上に単語『ｃｏｐｙ（コピー）』を筆記することができる。この時点においてシステムが、選択されているドキュメントの部分をコピーする。ユーザがその部分を別の場所にペースすることを希望する場合には、ユーザは、まずカーソルをそのポジションに移動し、単語『ｐａｓｔｅ（ペースト）』を筆記する。コピーした部分が、システムによってその場所にペーストされることになる。筆記した単語がテキストの一部ではなく、コマンドであることをシステムに伝えるために、次のような各種の表示システムを使用することができる。
【０１３９】
‐特殊な現存するか、あるいはカスタム化した予約済みのコマンド・ワードもしくは記号をそれぞれのコマンドに、あるいは複数のコマンドに使用する（例：ｃｏｐｙ，ｃｐ）（たとえばユーザは、“  “等のあらかじめ定義済みのカスタム化した記号を筆記して、テキストの次のページに進むことをシステムに伝えることができる）。
【０１４０】
‐コマンド・ワードに予約済みの現存する、もしくはカスタム化した、たとえば『ｃｍ』等の単語（１ないしは複数）を先行させる（例：ｃｍｃｏｐｙ，ｃｍｏｐｅｎ等）。
【０１４１】
‐このアイデアに基づくそのほかの可能性。たとえば、テキスト内を５行先に進む場合に、ユーザは『ａｌ０５』（ａｄｖａｎｃｅ  ｌｉｎｅ  ０５  ｌｉｎｅｓ；この場合、ａｌは予約語になる）と筆記することができる。
【０１４２】
本発明の一実施態様によれば、スタイラス・コンピュータに備えられている別のペン先を用いてコマンドを筆記することができる。また前述したように、マウスの構造化された表面によってこれらのコマンドを入力することもできる。前記マウス表面と筆記表面の接触によって生成されたサウンドを、より良好に取り込むために、少なくとも１つの追加の（好ましくは指向性）マイクロフォンを、スタイラス・コンピュータ本体の前記マウスに近い内側（たとえば、筆記チップのマイクロフォンに関して前述したように）あるいはその外側に備えてもよい。さらに、クリップ・ボタン等のボタンを備え、それを使用し、ペン先による筆記コマンドの開始をシステムに伝達することもできる。その場合には、予約語もしくは制限された単語が必要なくなる。
【０１４３】
また、ポインティング・デバイス・チップの一部を筆記コマンド用に割り当てることができるように、その構造化を行ってもよい。Ｆｉｇ．４ｅに示されているようにポインティング・デバイス・チップ（４１５）は、構造化された一方の部分（４１８）がテキストに割り当てられ、異なって構造化された他方の部分（４１９）が手書きコマンドに割り当てられるような形で構造化することができる。このポインティング・デバイス・チップのコマンド用に割り当てられた部分（４１９）を用いて筆記表面上にコマンドを筆記することによって、筆記したデータもしくは記号が、生成されたサウンドに従って、またそれとパターン化され、記憶されている波形との比較の後に、ＨＷＳＲＳによってコマンドとして解釈される。
【０１４４】
本発明の一実施態様によれば、通常のコンピュータと同様に、ディスプレイが各種のアイコンを表示することができる。たとえば通常選択ポインタを使用して、アイコンの選択、ファイルのオープン、垂直もしくは水平のエレベータ（ｅｌｅｖａｔｏｒｓ）、プログラムの実行、および／または通常のコンピュータの通常選択ポインタを用いて行われる少なくともそのほかすべての操作を行うことができる。
【０１４５】
本発明の一実施態様によれば、最初に、たとえばマウスを垂直方向に動かし、あるいは回転することによって、希望のアイコンまたはオブジェクトの上に通常選択ポインタを位置決めすることができる。続いて、たとえばマウスを１回クリックすることによって、そのオブジェクトを選択することができる。より長い時間にわたる押下げおよびクリック手順によって、そのオブジェクトを選択し、その状態を維持して、たとえば別の場所にそれをシフトすることができる。オブジェクトをリリースするときには、再び長いクリックを行えばよい。また、伝統的なコンピュータ・マウスと同様に、スタイラス・コンピュータのダブルクリックにいくつかの機能もしくはコマンドを割り当ててもよい。伝統的なコンピュータ・マウスによるこのほかすべての操作を、本発明のスタイラス‐タイプのコンピュータ・マウスによって実現することができる。これらのマウス操作は、コンピュータ・ユーザにとって周知である。
【０１４６】
前述したようなコマンドならびに選択システム、および動きを有するマウスは、コンピュータ、ラップトップ、ＰＤＡデバイス、モバイル電話、通常の電話といったシンプルな移動／選択手段を必要とするすべての電子デバイスに取り付けることができる。この種のデバイスのいくつかをＦｉｇ．３３ａ〜３３ｅに示す。Ｆｉｇ．２６ａは、本発明のマウス（２６０１）を側方に備えたラップトップ・コンピュータを示している。Ｆｉｇ．２６ｂに示されているように、コンピュータ上の別の場所（２６０２）、たとえば中央に取り付けてもよい。またＦｉｇ．２６ｃに示されているように、複数のマウスまたは追加の相補的なマウス・ボタン（２６０４）をコンピュータ上に備えることもできる。Ｆｉｇ．３３ａ〜３３ｅは、前述したように、マウス（３３２６）およびそのマウスによる選択システムを備えた各種の電子機器を示している。
【０１４７】
本発明の一実施態様によれば、本発明の手書きサウンド認識システムおよび／または本発明のマウス・システムを、キーボード、キーパッド、もしくはそのほかの入力システム、たとえば音声／スピーチ認識等が備えられたコンピュータならびにそのほかの電子デバイスに備え、それらの入力システムに置き換えるか、あるいはそれらと組み合わせて使用することができる。Ｆｉｇ．２６ｄを参照すると、筆記表面（２６０３）、マイクロフォン（図示せず）、本発明のＨＷＳＲＳ、およびそのほかの必要なものすべて（図示せず）がコンピュータに取り付けられ、好ましくは本発明のペン先を備えたペンを用いてその表面上に記号を筆記し、ペン先によって筆記された記号に従ったサウンドを生成することができる。また好ましくは、筆記表面を、ペン先によって生成されるサウンドが向上する態様で構造化してもよい。マイクロフォンは、サウンドを取り込み、それをコンピュータに渡し、コンピュータは、ＨＷＳＲＳを用いて手書きデータ入力をディジタル化する。このシステムは、Ｆｉｇ．３３ａ〜３３ｅに示されているような、そのほかのあらゆる電子機器について使用可能である。
【０１４８】
また、ＨＷＳＲＳおよびマイクロフォンを備えたコンピュータおよびそのほかの電子機器は、筆記表面を有していなくてもよい。その場合においては、コンピュータのカバー等の任意の場所への筆記によって生成された対応するサウンドを、ＨＷＳＲＳによって解釈することができる。このシステムは、Ｆｉｇ．３３ａ〜３３ｅに示されているような、そのほかのあらゆる電子機器について使用可能である。
【０１４９】
このシステムの１つの重要な利点は、本発明のＨＷＳＲＳによって、電子デバイスおよびコンピュータの、かさばっていたキーボードならびにフラストレーションを招いていたキーパッドが置換できることである。好ましくは本発明の構造化されたチップを有するペン等のシンプルなポインティング・デバイスを持つことによって、ユーザは、非常に多様なデータを電子デバイスに入力することが可能になる。当然のことながら、その電子機器は、本発明のＨＷＳＲＳおよびマイクロフォンを少なくとも備えていなければならない。またこれらは、そのほかの必要な機能、たとえばプロセッサ、メモリ等を備えている必要がある。好ましくは、筆記の間の筆記表面上におけるポインティング・デバイス・チップの接触によって生成されるサウンドを向上させる構造化された筆記表面をそれらの電子機器内に備えてもよい。
【０１５０】
本発明の一実施態様によれば、Ｆｉｇ．２７ａに示されているように、特に頻繁に使用される『Ｅｎｔｅｒ』、『Ｎｅｘｔ  Ｌｉｎｅ』、『Ｔａｂ』、または『Ｃａｐｓ  Ｌｏｃｋ』といった機能に使用される追加のボタン（２７０１）をスタイラス・コンピュータ上に備えることができる。
【０１５１】
本発明の別の実施態様によれば、これらのボタンに代えて、あるいはそれらに加えて、回転および／またはクリック・システムをスタイラス・コンピュータのポインティング側に備えることができる。たとえば、Ｆｉｇ．２７ｂに示されているように、３つの頻繁に使用する機能『Ｅｎｔｅｒ』、『Ｔａｂ』、および『Ｃａｐｓ  Ｌｏｃｋ』（２７１１）をスタイラス・タイプのペン・ヘッド（２７１０）に示し、選択インジケータ（２７１２）をコンピュータの本体の端部に配置する。Ｆｉｇ．２７ｃ〜２７ｄに示されているように、スタイラスのヘッドまたは本体を回転（２７１９）し、表示された機能（２７１４，２７１５）の正面に指示マーク（２７１２）を移動することによって、指示された機能に関係する機能が選択されて実行されることになる。ヘッドは、自動的にそのオリジナルの位置に戻る。たとえば、Ｆｉｇ．２７ｃおよびＦｉｇ．２７ｄにおいては、機能『Ｃａｐｓ  Ｌｏｃｋ』および『Ｅｎｔｅｒ（Ｎｅｘｔ  Ｌｉｎｅ）』がそれぞれ選択されている。Ｆｉｇ．２７ｅ〜２７ｆに示されている例によれば、ヘッドを内側方向（２７２１）に押してクリックすることによって『Ｔａｂ』機能（２７２０）が実行される。それぞれの追加のクリックは、追加的にタブを前進させる。
【０１５２】
本発明のさらに別の一実施態様によれば、Ｆｉｇ．２７ｇに示されているように、スタイラス‐タイプのコンピュータ（２７００）にクリップ・タイプのボタン（２７０１）を備えることができる。このクリップ上のいくつかの場所を押すことによって、異なる機能またはコマンドを実行することができる。たとえばＦｉｇ．２７ｈに示されているように、クリップ・ボタンの中央（２７１０）を押すことによって、たとえばオン／オフ・コマンドが実行されるようにしてもよい。またクリップ・ボタンの横側を押してコマンドを実行させることもできる。たとえば、クリップ・ボタン（２７２１）の左側（２７２０）を押したときに『Ｅｎｔｅｒ』または『Ｎｅｘｔ  Ｌｉｎｅ』機能（２７２２）が実行されるようにしてもよい。またたとえば、クリップ・ボタン（２７３１）の右側（２７３０）を押したときに『Ｔａｂ』機能（２７３１）が実行されるようにしてもよい。右側を押すごとに、スクリーン上の次のタブ位置にカーソルがジャンプする。クリップ・ボタンを押す位置に空白文字等の記号を割り当ててもよい。また、たとえばユーザがクリップ・ボタンのあらかじめ定義済みの位置（たとえば、前記クリップ・ボタンのキー）を押し続けた場合には、ユーザがキーを押すことを停止するまで、その場所に割り当てられている記号または機能が繰り返されるようにすることもできる。さらに、クリップ・ボタンの各位置のダブルクリックに、異なる機能を割り当てることもできる。たとえば、クリップ・ボタンの左側のダブルクリックに『Ｃａｐｓ  Ｌｏｃｋ』機能等を割り当て、またたとえばデバイスが電話モードのときには、クリップ・ボタンを『送信』／『終了』（通信）等の機能に使用することもできる。
【０１５３】
クリップ・ボタン２７０１上の位置の押し下げまたはダブルクリック（たとえば、キー２７１０，２７２０，２７３０等）といったインタラクションを、スタイラス・コンピュータのポインティング・デバイスまたは選択デバイス（たとえばマウス）とともに使用することもできる。クリップ・ボタン・キーを、前記マウス・キーとして機能させてもよい。これらのマウスとクリップ・ボタン・キーの組み合わせのインタラクションは、前述したマウスのクリック機能と置き換えてもよく、またすでに説明したスタイラス・コンピュータのマウス機能に追加の機能を付加することもできる。たとえばユーザは、たとえば右手を用いてマウスを操作し、ポインティング・インジケータの矢印をファイルのアイコン上に位置決めし、左手を用いてクリック・ボタンのキーを押しあるいはダブルクリックをして、そのファイルを選択するか開くことができる。また、テキスト編集の間にユーザは、前記クリップ・ボタン・キーを使用して、たとえばメニューの選択、機能の選択、あるいはモードの変更（たとえば、メニュー・リスト・モードからメニュー選択モードへの変更もしくはその逆の変更、テキスト内の行選択／スクロール・モードからカーソル操作モードへの変更もしくはその逆の変更）等を行うことができる。たとえば、システムがメニュー選択モードに設定されていれば、ユーザは、メニュー選択インジケータをメニュー上に置いた後に、クリップ・ボタンのあらかじめ定義済みのキーを押して、そのメニュー・バーを開くこともできる。また、モードの終了を希望する場合、たとえばメニュー選択モードを終了して、メニュー・リスト・モードに入る場合に、マウスのクリックおよびそれと同時の回転に代えて、スタイラスの、ボタン・クリップ・キーのあらかじめ定義済みのキー（またはあらかじめ決定済みのそのほかのタイプのキー）を使用することもできる。言い換えると、マウスならびにそれに組み込まれたクリック・モード、および／またはマウスならびにそれに割り当てられたほかのキーは、パーソナルコンピュータのマウスのすべての機能を少なくとも包含することができる。
【０１５４】
クリップ・ボタンは、スタイラス・コンピュータ上の別の位置に配置してもよい。たとえば、Ｆｉｇ．２７ｋに示されるように、本発明のスタイラス・コンピュータ２７４０の筆記チップ２７４２に近い位置に、本発明の多機能クリップ・ボタン２７４１を備えることも考えられる。ここで理解されることは、使用の便宜等の理由で、前記クリップ・ボタンをスタイラス上の任意の位置に、たとえばマウスの近く、もしくは筆記チップの近く、あるいはスタイラスの中央といった位置に配置できることである。それに加えて、前記クリップ・ボタンを、たとえばこのスタイラス・コンピュータをユーザのポケットに取り付ける態様（たとえば、通常のペンをユーザのポケットに取り付ける態様）で設計してもよい。また、必要な場合には、スタイラス・コンピュータ上に複数のクリップ・ボタンを備えることもできる。
【０１５５】
本発明の一実施態様によれば、スタイラス・コンピュータ２７４０が少なくとも１つの追加のマイクロフォン２７４３を備える。前記マイクロフォンは、ユーザの音声を取り込む方法に従って備えることができる。そのために、ユーザの口に近いスタイラス上の位置２７４４に、前記マイクロフォンを備えることができる（たとえば、スタイラスのポインティング・チップが取り付けられる端部に対して逆側の端部）。
【０１５６】
本発明のさらに別の実施態様によれば、Ｆｉｇ．２７Ｌに示されているように、スタイラス・コンピュータ２７５０が、たとえばユーザの音声を取り込むためのマルチセクション／指向性マイクロフォン２７５１を備えることができる。前記マイクロフォン２７５１は、前記ユーザの口に向かって、ユーザの音声を明瞭に取り込めるように延びるものとすることができる。このマイクロフォンのマルチセクション構造２７５２を、スタイラス・コンピュータのアンテナとして使用してもよい。前記アンテナは、ダイバーシティ・アンテナとすることができる。閉じられたポジションにおいては、前記マルチセクション・マイクロフォンおよび／またはアンテナが、前述したスタイラス・コンピュータのクリップ・ボタンの外観および／または機能を有することができる。
【０１５７】
Ｆｉｇ．２７ｍ〜２７ｎは、前述したマルチセクション・マイクロフォン／アンテナの別のポジションを示している。Ｆｉｇ．２７ｍを参照すると、スタイラス・コンピュータ２７６０の、マルチセクション構造２７６２を有するクリップ・ボタン２７６１が示されている。この例においては、クリップ・ボタン２７６１自体が枢動および／または回転されて、スタイラスを希望のポジションに調整する補助となる。前記クリップ・ボタンは、テレスコープ・セクション２７６３を有し、前記クリップ・ボタンから延ばすことができる。クリップ・ボタン・システムが、クリップ・ボタンの下側にキー２７６４を備える場合には（たとえば、前記クリップ・ボタンを押すことによって操作される）、たとえば、あるポジションに向けてマイクロフォンを延ばすために、前記クリップ・ボタンを回転している間は前記ボタンが露出し、ユーザが直接指で操作することができる。ここで理解されたいが、クリップ・ボタンの構造は、当業者に周知の現存する任意のテクノロジを包含することができる。たとえばＦｉｇ．２７ｎに示されているように、スタイラス２７８０のクリップ・ボタン２７８１が、第１の固定構造２７８２、および追加の枢動２８８３構造２７８４を備えていてもよい。
【０１５８】
スタイラスの筆記チップに近いマイクロフォンおよびユーザの口に近い、本発明のマルチセクション・マイクロフォンを使用することによって、システムは、入力される同一のデータ（たとえば記号）に関する２つの明瞭な入力を取り込むことができる。ユーザは、たとえばテキストを筆記しながらそれを声に出すことができる。より良好な認識を得るために、システムが両方の入力（たとえば、ストロークを手書きするサウンドおよびユーザの言葉入力）を同時に使用してもよい。この問題については、さらに詳細を後述する。前記マイクロフォンは、筆記の間にわたって、ユーザの口の近くに自動的に固定されてとどまる方法で機能させることができる。そのために、たとえば、ワイヤ等のバイアス手段を備えて、たとえばマイクロフォンをユーザの身体の一部もしくは着衣に取り付けることができる。ここで理解されたいが、マルチセクション構造を有する代わりに、ワイヤにより、ユーザの口に向けてマイクロフォンを延ばしてもよい。
【０１５９】
本発明のさらに別の実施態様においては、Ｆｉｇ．２８ａに示されているように、本発明の手書きサウンド入力システムと別体のシステムもしくはその相補システムとして、英数キャラクタおよび記号（２８０１）を包含するメニュー・リストをスタイラス・タイプのコンピュータに備えることができる。キャラクタもしくは記号は、前述したメニュー選択方法のいずれを用いても選択ならびに入力を行うことが可能である。たとえば、英数メニュー・リストを選択した後に、希望する記号（２８０３）上にメニュー選択インジケータ（２８０２）が到来するまでマウス（２８００）を回転すればよい。続いて、Ｆｉｇ．２８ｂに示されるように、マウスを内側方向（２８０５）にクリックすることによって、そのキャラクタが選択され／入力されて、ＬＣＤスクリーン上に表示（２８０６）される。Ｆｉｇ．２８ｃ〜２８ｄに示されているように、この手順を繰り返して追加のキャラクタまたは記号（２８０７）を選択することができる。それに加えて、Ｆｉｇ．２８ｅに示されているように、メニュー・バー（２８３１）を作ることによって、ショートカット機能（たとえば、太字、フォント、サイズ等）を各キャラクタに適用してもよい。ここで理解する必要があるが、機能（２８３２）がサブ機能（２８３３）を包含している場合には、その機能上にインジケータ（２８３４）が到達したときにマウスを押すことによって、サブ機能メニュー（２８３３）が開く。サブ機能メニュー内の機能を選択する場合に、ユーザは、再びマウスを希望する機能まで回転し、マウスをたとえば内側方向にクリックすることによってそれを選択する。機能がサブ機能を含む限り、別のサブ機能を選択することなく、この手順を繰り返すことができる。
【０１６０】
本発明の一実施態様によれば、上記の手順を、サブ機能等を包含する機能を有する任意のメニュー・バーに逐次適用することができる。
【０１６１】
本発明の一実施態様によれば、前記スタイラス‐タイプのコンピュータにカバーを備え、当該デバイスのディスプレイならびにそのほかのすべての機能を保護することができる。それに加えて、カバーは、偶発的な誤り入力からペン先を保護することもできる。Ｆｉｇ．２９ａ〜２９ｄは、スタイラス‐タイプのコンピュータ（２９００）、およびスタイラス・コンピュータを覆うためのカバー（２９０１）を示している。カバーは、特殊な構造（２９０２）を有しており、コンピュータのクリップ・ボタン（２９０３）の使用ならびにそれが機能することを可能にしつつ（２９９９）、しかもコンピュータを覆う（２９０４）。これは、スタイラス‐タイプのコンピュータが電話およびテレコミュニケーション機能を有し得ることによる。このデバイスがモバイル電話として使用され、ユーザが呼び出しを受信したとき、ユーザは、デバイスが覆われた状態で応答することができる。このカバーは、デバイスを水ぬれからも保護することができる。
【０１６２】
本発明の一実施態様によれば、スタイラス‐タイプのコンピュータが、ワイヤレス電話もしくはＰＤＡデバイス等の、テレコミュニケーション・デバイスとしても機能することができる。Ｆｉｇ．２９ｅ〜２９ｇに示されているように、このスタイラス（２９０５）は、本発明の装置ならびにシステムの一部または全部を備え、さらに追加の、ここに述べていない必要な機能を備えることができる。また、トランシーバ（図示せず）ならびにそのほかの、他の電子デバイスとの通信に必要なすべての機能を備えることができる。たとえばこのデバイスに、少なくとも１つのスピーカ（２９０７）、マイクロフォン（２９０６）、カメラ等を備えてもよい。本発明の入力システムおよび機能は、筆記表面に番号（２９０８）を筆記することによってダイアルし、送信メッセージ（２９１１）を筆記し、ファイル、画像の送信、データの受信、記憶、および操作等を行うことができる。電話機能およびメニューは、そのほかのコンピュータ機能およびメニューと類似の態様で系統化してもよい。たとえば、ユーザによっても、１ないしは複数の機能を含む１ないしは複数のメニュー・リストならびにメニュー・バーを、電話帳、受信済み／送信済み呼び出し等の電話操作に関して系統化することができる。それに加えて、このスタイラス‐タイプのコンピュータデバイスは、音声またはユーザの言葉によるデータならびに機能、コマンド等の入力を代替的に可能にする音声認識システムを備えることができる。言葉の命令によって番号のダイアルを行うこともできる。
【０１６３】
Ｆｉｇ．２９ｇに示されているように、このデバイスは、衝撃および最終的には水ぬれから保護するためのカバーを備えることができる。カバーを開けることなく、たとえば呼び出しを受信するために、カバー上の、スピーカ、マイクロフォン、カメラ等の機能の位置に、ホール（２９２１，２９２２）を備えることもできる。このデバイスが電話モードにあるとき、何らかの電話機能のためにクリップ・ボタン（２９２３）を使用することができる。たとえば『送信』、『終了』等の機能を、ボタンの左側を押すことに対して割り当てることができる。また、たとえば『オン』、『オフ』機能をクリップ・ボタンの中央（２９２５）に割り当て、『音声（たとえばメール）ボックス』をクリップ・ボタンの右側（２９２６）に割り当てることが考えられる。当然のことながら、スタイラス・テレコミュニケーション・デバイスがカバーされている間にそれを使用するために、ディスプレイの少なくとも一部が利用可能となるようにしてもよい。
【０１６４】
本発明の一実施態様によれば、前述したスタイラス・コンピュータ・ディスプレイに代えて、あるいはそれに加えて、本発明のスタイラス・コンピュータ／テレコミュニケーション・デバイスのカバー内にディスプレイ・ユニットを備え、着信の電話番号の確認といった電話操作のための前記デバイスの使用を、デバイスのカバーの取り外しを必要とせずに可能にすることができる。前記ディスプレイと前記デバイスの間の接続はワイヤレスで、あるいは電気的な接続によって行うことができる。たとえば、前記テレコミュニケーション・デバイス内、および前記カバー内に電気接点を備え、カバーが前記電子デバイスを覆っている間は、前記接点が互いに接触し、前記テレコミュニケーション・デバイスと、前記カバー内に備えられた前記ディスプレイの間の相互接触が得られるようにすることが可能である。
【０１６５】
また、スピーカに代えて、受信したサウンドもしくはメッセージを対応する振動に変換し、ユーザがスタイラスを耳に近づけて保持している間にユーザの耳に伝えられるようにしてもよい。
【０１６６】
本発明の一実施態様によれば、本発明のスタイラス‐タイプのコンピュータは、赤外線、レーザ等のテレコミュニケーション手段も有し、ほかのコンピュータ、ＰＤＡデバイス、ＴＶ等の電子機器と通信することができる。これは、たとえばドキュメントならびにデータの送受（たとえば、コンピュータとの間、プリンタへの送信等）を可能にする。
【０１６７】
スタイラス‐タイプのコンピュータについて、このほかのタイプのボタンならびにマウスも考えられる。たとえば、Ｆｉｇ．３０ａに示されているような複数のボタン（３００１，３００２）によって、以前マウスに割り当てた機能のいくつかを置き換えることが可能である。この例においては、マウス（３０００）を、たとえば行／ページの上送りおよび下送りに使用することができる。４つのボタン（３００２）をカーソルの左右上下の移動に使用し、ほかのボタン（３００１）には別の機能を割り当ててもよい。
【０１６８】
さらに本発明の別の実施態様においては、Ｆｉｇ．３１に示されているように、スタイラス‐タイプのコンピュータ（３０００）が機能のグループ（たとえば、ページの上／下送り）用の少なくとも１つのマウス（３００８）、カーソル操作等の機能用に少なくとも１つの多方向ボタン（３００１）、およびたとえばメニュー／機能選択等の操作のための少なくとも１つの多機能ボタン（３００２）を備えることができる。そのほかに追加の単機能／多機能ボタン（３００３）を備えてもよい。
【０１６９】
Ｆｉｇ．３１ａは、カーソル操作に使用することができる多方向ボタン（３１０１）を示している。このボタンの異なるエッジ（３１０２）を押すことによって、カーソルがそれに応じた方向（３１０３）に移動することになる。Ｆｉｇ．３１ｂ〜３１ｆは、ボタン（３１０２）の各種操作（３１１２）によってカーソル（３１１１）がＬＣＤディスプレイ上の異なる方向に移動することを例示している。
【０１７０】
Ｆｉｇ．３２ａ〜３２ｆは、本発明の一実施態様に従って、別のタイプの機能選択ボタン（３２０１）がどのように動作するかを例示している。Ｆｉｇ．３２ａ〜３２ｂに示されているように、このボタンを右に（３２０２）あるいは左に（３２０３）回転することによって、メニュー選択インジケータ（３２０４）が左または右に移動する。
【０１７１】
メニューを選択するために、まずユーザは、選択するメニュー（３２０６）上にインジケータを移動する。続いてＦｉｇ．３２ｃに示されているように、ユーザは、メニュー選択ボタン（３２２１）を内側に、スタイラスの方向に押せばよい。メニュー・バー（３２２２）が開いてシステムが機能選択モードに入り、キーは、オリジナルのポジション（たとえば、クリック・ボタン）に戻る。Ｆｉｇ．３２ｄに示されているように、次にユーザは、ボタン（３２２３）を回転し、選択する機能上に機能インジケータ（３２２４）を移動する。その後、Ｆｉｇ．３２ｅに示されているように、ユーザは、選択ボタン（３２２１）を再びクリックしてその機能を選択する。最後にＦｉｇ．３２ｆに示されているように、機能（３２２５）が選択されて、システムが機能選択モードからメニュー選択モードに戻る。
【０１７２】
本発明の一実施態様によれば、このほかの、たとえば記号もしくはコマンドの筆記済みの図形および描画（たとえば、遅延手書き認識システム）、あるいは、たとえば筆記表面上におけるスタイラス・チップのリアルタイムの動きに基づく手書き入力および認識システムが、本発明のスタイラス‐タイプのコンピュータによって使用されることがある。また、キャラクタ、イメージ等の印刷された素材を、スタイラス・コンピュータにより、入力されたデータとしてスキャンしてもよい。それを目的として、このスタイラスは、光学リーダ、レーザ装置、カメラ等の手段ならびにＯＣＲ等の認識システム、および現時点もしくは将来において利用可能なそのほかのテクノロジを備えることができる。
【０１７３】
また、そのほかの、音声、言葉、キーボード、キーパッド、ディジタイザ等の入力ならびにテクノロジおよびシステムをこのスタイラス‐タイプのコンピュータが使用するようにしてもよい。
【０１７４】
さらに、すでに説明したようにシステムが、各種言語の文字、単語、および記号に関する、１ないしは複数のデータベースを備えることもできる。このシステムと予測単語認識システムを組み合わせて、単語を完全に入力する前にその単語の選択を可能にすることもできる。このシステムは、多くの場合に、その完全な入力が終わる前に望ましい単語がシステムによって自動的に選択されることを可能にし、ユーザの介入が必要ないことさえあり得る。これは、単語のキャラクタまたは記号を個別かつ連続的に（たとえばキャラクタ単位で）筆記することによって、また多くの場合には対応する単語が非常に少なく、その単語の筆記を完了する前に単語予測システムが望ましい単語を決定するか、あるいはいくつかの可能性のある単語を示してユーザがそれらのうちの１つを選択できることから可能になる。可能性のある単語の選択肢は、メニュー／機能バーに類似のバー・リスト内にリストされ、ユーザは、メニュー・バー内の機能の選択と同様のマウスの動きおよび手順を使用して、それらの中から希望する単語を選択することができる。
【０１７５】
本発明の一実施態様によれば、ＨＷＳＲＳが、ほかの認識システムと組み合わされて、入力される記号の認識を容易にすることができる。たとえば、記号（たとえば文字、句読点、コマンド、単語またはセンテンス等）を筆記する間に、ユーザが、同時にその記号を発音してもよい。これにより、音声認識システムと組み合わされたＨＷＳＲＳによる前記記号の認識が、さらに容易になる。
【０１７６】
一実施態様によれば、前述したようにユーザは、キャラクタごとに分離してテキストの単語を書くことができる（たとえば、各キャラクタの終了を示すために、ユーザは各キャラクタを筆記した後にペン先を筆記表面から持ち上げる）。またユーザは、その単語の文字を筆記する間に、同時にその単語を声に出すこともできる。本発明のＨＷＳＲＳは、前記単語の各キャラクタを解釈する。システムは、前記キャラクタの解釈の後、前記キャラクタと声に出された単語を比較し、その逆も行う。それら２つの単語（たとえば、筆記された単語および声に出された単語）と筆記された単語の辞書データベースならびに対応するキー・パターン化済みの声に出された単語のマッチングの後に、システムは、ユーザによって入力された、意図された単語である可能性がもっとも高い候補を選択する。これは、ユーザによる極めて自然な筆記方法を可能にし、しかもシステムが、より精度の高い認識能力を持つことを可能にする。スタイラスの筆記チップの近くに指向性マイクロフォンを備え、ユーザの口の近くに延長可能な指向性マイクロフォンを備えることによって、より良好な品質の手書き（筆記表面上の筆記チップのサウンドに基づく）入力および音声入力が促進される。当然のことながら、前述したデータ入力方法（たとえば、ＨＷＳＲＳおよび／または音声認識を使用する方法）は、個別に、あるいはほかのデータ入力システムと組み合わせて使用してもよい。たとえば、入力認識の精度をより良好にするために、前記データ入力方法に加えて、かつそれと同時に、筆記されたキャラクタのグラフィティを基礎とする記号認識に基づいた光学手書き認識システムを、ここに述べたような認識手段と組み合わせることが考えられる。
【０１７７】
より高速なデータ入力のためには、速記システムの記号に関するサウンド・パターンをユーザによって記憶され、その後、本発明のＨＷＳＲＳを使用するデータ入力の間に前記ユーザが速記したテキストと比較することもできる。
【０１７８】
また『Ｃａｐｓ  Ｌｏｃｋ』等のコマンドが音声により入力されるようにしてもよい。たとえばユーザは、『Ｃａｐ』と言って『ａ』を筆記することができる。これによりシステムは、『Ａ』を入力することになる。さらに、記号を筆記する間の異なる筆記の速度に対して、異なる記号を割り当てることができる。たとえば、すばやい小文字の筆記をその文字の小文字に対応させ、同一の文字の遅い筆記をその文字の大文字に対応させることができる。
【０１７９】
またＦｉｇ．３３ｆに示されているように、標準キーボード上において利用可能な文字ならびに機能を、キーの数が限られたキーパッド（３３５０）（たとえば、電話のキーパッド）の異なるキーに割り当てる（３３５１）ことができる。これらのキーパッドのキーは、通常のクリック・キー、感応キー（たとえばディジタイザ、タッチ・センサ、押圧キー等）、あるいはそのほかのタイプのキーとしてもよい。キー上において、そのキー（３３５４）に割り当てられているキャラクタ（３３５３）の１つ（３３５２）を筆記することによって（または、キー上の記号もしくはキー上の記号に対応する場所に割り当てられたサウンドを発生するあらかじめ定義済みの方向に直線を描画するといった、あらかじめ定義済みの記号を筆記することによって）、また必要であれば同時にそのキーを押すことによって、キー認識システムがそのキーを選択し、ＨＷＳＲＳは、そのキー上に筆記されたキャラクタが選択されそのキーに割り当てられているうちの１つであることを理解する。これによりＨＷＳＲＳは、入力されたキャラクタと、選択されたキーに関して利用可能なキャラクタのパターンの比較だけを行えばよく、その結果、認識がはるかに容易になる。ここで認識されようが、筆記具（たとえば、ペン、スタイラス）は、好ましくは本発明の構造化されたチップを備えるものとすることができる。
【０１８０】
筆記入力システムを向上させるために、追加のテクノロジならびに手段を使用することができる。たとえば、筆記表面上におけるスタイラス・チップのポジションもしくはそのパスをロケートするために、スタイラスが、信号を送信し、その戻りを受信するための手段（たとえばレーダ）を備えてもよい。レーザ、光、マイクロ波、赤外線等の各種テクノロジを、信号の送信および戻り信号の受信に使用することができる。Ｆｉｇ．３４ａに示されているように、反射ビーコン（３４０１）等を、たとえば筆記表面（３４０４）上に配置し、スタイラスのペン先が頻繁に送信する信号（３４０３）を反射する。スタイラスは、信号の送信と戻り信号の受信の間の時間に基づいて反射器からペン先のポジションまでの距離を求める測定システムを備えることができる。ペン先のポジション（３４０２）は、たとえばビーコン上のあらかじめ決定済みの２つのポイント（３４０５，３４０９）からの距離に基づいて計算することができる。ここで理解されようが、ビーコンの関係角度（３４０６）は、９０度と異なる角度にしなければならない。さらにここで理解されようが、システムは、ペン先が筆記表面と触れているか否かについて随時知ることができる。このポジショニング・システムは、単語、センテンス等の終了を認識システムに示すといった多くの利点を有する。
【０１８１】
空間におけるポインティング・デバイスの動きに従った手書き認識システムも提供することができる。たとえば、記号を筆記する手順の間における空間内のポインティング・デバイス・チップのロケーションに関係する３次元パラメータのスキャン／提供を行う反射／検出手段を使用してもよい。正確な時間における空間内の前記ポインティング・チップのポジションは、ポインティング・デバイス・チップによって送信／受信が行われ、検出される信号によって、かつ／または前記ポインティング・デバイス・チップに対して前記信号を反射し、それに受信させることによって、決定することができる。
【０１８２】
さらに、本発明の別の実施態様によれば、ポインティング・デバイスならびにそのチップを、たとえば前記ポインティング・デバイスおよび／またはそのチップの異なる部分に印加される空気圧レベルを（たとえばセンサを用いて）検出する態様で構造化し、設計することができる。
【０１８３】
また本発明の別の実施態様によれば、ポインティング・デバイスおよび／またはそのチップが、記号を筆記する間の空気との接触における、たとえば前記ポインティング・デバイスおよびそのチップの異なる部分の温度レベルを検出する態様で構造化し、設計することもできる。たとえば、システムによってあらかじめセンサを一定に加熱し、筆記の間に前記ポインティング・デバイスが空気と接触するとき、それに応じて前記部分のそれぞれの温度が変化するようにしてもよい。これらを、認識システムによって検出し、分析することができる。
【０１８４】
本発明のさらに別の実施態様によれば、Ｆｉｇ．３４ｂに示されているように、スタイラス・カバー（３４１０）を反射ビーコンとして使用することができる。
【０１８５】
ここで理解されようが、反射ビーコン・システムの使用に代えて、スタイラスのペン先から信号を送信して検出手段に検出させてもよい。それを目的として、前述のビーコン等の検出ユニットを備えてこれらの信号を検出し、かつ必要に応じてそれを処理することができる。続いて検出手段は、情報（たとえば、正確な時間におけるスタイラス・チップのポジション）をスタイラス‐タイプのコンピュータに送信することができる。ここでは、３次元検出／反射手段を提供するように前記反射ビーコンを構成できることが理解される。
【０１８６】
上記の正確な時間におけるポジション情報は、リアルタイム手書き認識システムの手順による、筆記された記号の解釈に使用することができる。
【０１８７】
本発明の一実施態様によれば、前述したテクノロジを使用することによって、反射または検出ビーコンを筆記表面上に水平に固定することができる。Ｆｉｇ．３５に示されているように、ノートパッド、ノート、およびそのほかの筆記表面は、反射手段が組み込まれる形に製造することができる。
【０１８８】
本発明のさらに別の実施態様によれば、スタイラス‐タイプのコンピュータが、バーコード読み取り／認識システムを備えることができる。前記バーコード・リーダは、本発明のスタイラス・コンピュータ内もしくはその外側の適切な場所に取り付けることができる。
【０１８９】
本発明の一実施態様によれば、本発明のスタイラス・コンピュータが、筆記チップの近傍に取り付けられるバーコード・リーダを有し、記号を筆記する間の、それぞれの瞬間における前記筆記チップのポジションに関する情報をスキャンする。
【０１９０】
本発明のさらに別の実施態様によれば、スタイラス‐タイプのコンピュータのバーコード・リーダが、記号を筆記する間の筆記表面上のそれぞれの瞬間における、前記スタイラス・コンピュータの筆記チップのポジションに関する情報をスキャンする態様で、それを前記スタイラス・コンピュータの回転クリップ・ボタン上に配置することができる。記号を筆記する間の筆記表面上の筆記チップに関する視界を良好にするために、ユーザは、前記クリップ・ボタンを回転し、適切なポジションに固定してもよい。
【０１９１】
ここで理解されようが、テキストを筆記する間のスタイラス・コンピュータの各種の異なる動きから、より良好なスキャンのために、スタイラスの異なる場所および／または別の場所に複数のバーコード・リーダを配置することもできる。
【０１９２】
Ｆｉｇ．３６に筆記表面（３６０１）を示す。この筆記表面上の水平位置は垂直バーコード（３６０２）によって数値化されており、筆記表面上の垂直位置は水平バーコード（３６０３）によって数値化されている。筆記表面上におけるこれらのバーコードの交点（３６０４）は、筆記表面上の厳密なポジションを表す。そのために、２本のバーが交差する各点は、一意的な情報特性を有していなければならない。たとえば、２本のバー（たとえば、垂直バーと水平バー）の交点近傍のあらかじめ定義済みの数の隣接バー（たとえば、垂直および水平のバー）に、同じ筆記表面上の前記バーコードの別の２本のバーの交点近傍にある、同じあらかじめ定義済みの数の隣接バーと異なる特性（たとえば、バーの構成が異なるか、バーが異なる色を有するなど）を持たせることができる。前記あらかじめ定義済みの数の隣接バーコードを、筆記手順の間に、たとえば本発明のスタイラス・コンピュータに取り付けられているバーコード・リーダが読み取ることによって、筆記された記号のグラフィティの形状、描画、あるいはテキスト内の場所もしくはテキストを筆記する間の筆記表面上の場所、または記号の終了、２つの記号の間の間隔といった情報が提供され、それをリアルタイムで処理し、かつ／または遅延処理用にストアすることができる。ここで理解されることであるが、バーコードのバーは、異なる幅、異なる色等の異なる特性を有することができる。また、ここに示した水平および垂直のバーコードが単なる例示にすぎないことに注意が必要である。バーコードのバーの方向についても各種考えられる。たとえば、第１のバーのグループを水平にし、同一表面上で交差する第２のバーのグループを斜めにしてもよい。また、筆記表面上に備えるバーのグループを２グループより多くし、それぞれのバーのグループが異なる方向を有するようにしてもよい。
【０１９３】
スタイラス‐タイプのコンピュータのチップにバーコード・リーダならびにシステムを備えることによって、システムは、筆記の間の、それぞれの瞬間における筆記表面上のペン先のポジションを知ることができる。
【０１９４】
本発明の別の実施態様によれば、Ｆｉｇ．３７に示されているように筆記パッド上の各位置を異なる番号、異なる色等の手段によってマークすることができる。その場合、スタイラス‐タイプのコンピュータは、光学および／またはカラー・リーダおよび認識システムを備えることができる。
【０１９５】
Ｆｉｇ．３８に示されているように、バーコード、番号、色、および／またはそのほかの位置表示情報は、プロジェクタ（３８０１）によって筆記表面上に投影されるようにしてもよい。
【０１９６】
以上のとおり、本発明の本質的に新しい特徴について、それが代替実施態様に適用される場合を説明し、かつ示してきたが、当業者にとっては、本発明の精神から逸脱することなく、開示した発明の形式ならびに詳細における各種の省略ならびに置き換えおよび変更が可能であろう。したがって、これに付随する特許請求の範囲によって示されるとおりにのみ限定されることを意図している。また図面は、必ずしも実寸を反映するものと理解されるべきでなく、本質的に概念的であることを理解する必要がある。
【図面の簡単な説明】
【Ｆｉｇ．１ａ】ペンおよび筆記表面を示した説明図である。
【Ｆｉｇ．１ｂ】筆記の間におけるペンの方向の例を示した説明図である。
【Ｆｉｇ．２ａ】２つの方向の線を筆記しているペンを示した説明図である。
【Ｆｉｇ．２ｂ】上記の線を筆記するときのペンと筆記表面の接触によって生成される仮想的なサウンドの波形を示した説明図である。
【Ｆｉｇ．３ａ】筆記表面上における筆記時に、異なる方向ごとに異なるサウンドを生成する望ましい筆記具のチップを示した説明図である。
【Ｆｉｇ．３ｂ】上記の異なるサウンドを生成するための筆記具のチップの表面構造を示した説明図である。
【Ｆｉｇ．３ｃ】方向の異なる２本の類似の線を描画する間に、ポインティング・デバイスの構造化されたチップによって生成される２つの異なるサウンド波形を示した説明図である。
【Ｆｉｇ．３ｄ】Ｆｉｇ．３ｂに示されるようなペン先によって筆記された記号、および筆記表面上におけるその記号の筆記の間に前記ペン先によって生成されるサウンドの波形を示した説明図である。
【Ｆｉｇ．４ａ】筆記表面上における異なる方向のストロークの間の異なるサウンドの生成を向上させた各種形状の筆記チップの例を示した説明図である。
【Ｆｉｇ．４ｂ】筆記表面上における異なる方向のストロークの間の異なるサウンドの生成を向上させた各種テクスチャの筆記チップの例を示した説明図である。
【Ｆｉｇ．４ｃ】筆記表面上における異なる方向のストロークの間の異なるサウンドの生成を向上させた各種形状および各種テクスチャの組み合わせによる筆記チップの例を示した説明図である。
【Ｆｉｇ．４ｄ】ユーザが筆記を行う間の筆記表面に対する筆記具の角度を示した説明図である。
【Ｆｉｇ．４ｅ】筆記の間における円錐（たとえば凸状）のペン先と筆記表面の接触エリアを示した説明図である。
【Ｆｉｇ．４ｆ】ペン軸のポジションに対する２つの異なる回転における、筆記表面上のペン先の２つの異なる接触エリアを示した正面図である。
【Ｆｉｇ．４ｇ】別のポインティング・デバイスの構造化されたチップ形状を示した側面図ならびに正面図である。
【Ｆｉｇ．５ａ】ペンによって生成された手書き文字図形を示した説明図である。
【Ｆｉｇ．５ｂ】その文字を筆記する間の、前記ペンと筆記表面の接触によって生成されたサウンドの仮想的なグラフを示した説明図である。
【Ｆｉｇ．５ｃ】その文字を声に出したときの仮想的な音声グラフを示した説明図である。
【Ｆｉｇ．６】英字および記号を表すキーを備える標準的なコンピュータ・キーボードを示した説明図である。
【Ｆｉｇ．６ａ】類似する手書きキャラクタを示した説明図である。
【Ｆｉｇ．６ｂ】印刷および手書きによる英語の大文字ならびに小文字、および類似の記号を示した説明図である。
【Ｆｉｇ．６ｃ】類似する３つのキャラクタの手書き方法、および認識システムによる区別の方法を示した説明図である。
【Ｆｉｇ．６ｄ】さらに別の類似の手書きキャラクタおよび区別を可能にするための筆記方法の提案を示した説明図である。
【Ｆｉｇ．６ｅ】類似する数字およびキャラクタを示した説明図である。
【Ｆｉｇ．６ｆ】カテゴリごとの印刷および手書きによるキャラクタ、および認識システムがそれらを容易に認識できるように、それらを筆記する間に守るべき方向の提案を示した説明図である。
【Ｆｉｇ．６ｇ】カテゴリごとの印刷および手書きによるキャラクタ、および認識システムがそれらを容易に認識できるように、それらを筆記する間に守るべき方向の提案を示した説明図である。
【Ｆｉｇ．６ｈ】カテゴリごとの印刷および手書きによるキャラクタ、および認識システムがそれらを容易に認識できるように、それらを筆記する間に守るべき方向の提案を示した説明図である。
【Ｆｉｇ．６ｉ】カテゴリごとの印刷および手書きによるキャラクタ、および認識システムがそれらを容易に認識できるように、それらを筆記する間に守るべき方向の提案を示した説明図である。
【Ｆｉｇ．６ｊ】カテゴリごとの印刷および手書きによるキャラクタ、および認識システムがそれらを容易に認識できるように、それらを筆記する間に守るべき方向の提案を示した説明図である。
【Ｆｉｇ．６ｋ】キーボードにプリントされているすべてのキャラクタ、および認識システムがそれらを容易に認識できるように、それらを筆記する間に守るべき方向の提案を示した説明図である。
【Ｆｉｇ．７】本発明の一実施態様に従った手書き認識処理を示したブロック図である。
【Ｆｉｇ．７ａ】入力システムとして手書きサウンド認識システムを使用するスタイラス‐タイプのコンピュータを示した説明図である。
【Ｆｉｇ．７ｂ】追加の特徴が備えられた前記スタイラス‐タイプのコンピュータ用のペン‐タイプのチップの正面図である。
【Ｆｉｇ．７ｃ】本発明の一実施態様に従ったスタイラス‐タイプのコンピュータを示した説明図である。
【Ｆｉｇ．７ｄ】本発明の一実施態様に従ったスタイラス‐タイプのコンピュータの筆記チップの正面図である。
【Ｆｉｇ．７ｅ】筆記の間における筆記表面上のポインティング・チップの接触のサウンドを増幅するための指数関数曲線形状を有する手段を備えたスタイラス‐タイプのコンピュータを示した説明図である。
【Ｆｉｇ．７ｆ】筆記の間における筆記表面上のポインティング・チップの接触のサウンドを増幅するための共振チャンバを備えたスタイラス‐タイプのコンピュータを示した説明図である。
【Ｆｉｇ．８ａ】本発明の一実施態様に従ったスタイラス‐タイプのコンピュータ、およびライティング・チップの閉じられたポジション、開かれたポジション、筆記中のポジションを示した説明図である。
【Ｆｉｇ．８ｂ】本発明の一実施態様に従ったスタイラス‐タイプのコンピュータ、およびライティング・チップの閉じられたポジション、開かれたポジション、筆記中のポジションを示した説明図である。
【Ｆｉｇ．８ｃ】本発明の一実施態様に従ったスタイラス‐タイプのコンピュータ、およびライティング・チップの閉じられたポジション、開かれたポジション、筆記中のポジションを示した説明図である。
【Ｆｉｇ．８ｄ】本発明の一実施態様に従ったスタイラス‐タイプのコンピュータ、およびライティング・チップの閉じられたポジション、開かれたポジション、筆記中のポジションを示した説明図である。
【Ｆｉｇ．９ａ】本発明の一実施態様に従ったコンピュータのイレーシング機能およびイレーシング手順を示した説明図である。
【Ｆｉｇ．９ｂ】本発明の一実施態様に従ったコンピュータのイレーシング機能およびイレーシング手順を示した説明図である。
【Ｆｉｇ．９ｃ】本発明の一実施態様に従ったコンピュータのイレーシング機能およびイレーシング手順を示した説明図である。
【Ｆｉｇ．１０ａ】本発明の一実施態様に従ったコンピュータの別のイレーシング手順を示した説明図である。
【Ｆｉｇ．１０ｂ】本発明の一実施態様に従ったコンピュータの別のイレーシング手順を示した説明図である。
【Ｆｉｇ．１１】平面もしくは凸状のＬＣＤディスプレイを備える本発明の一実施態様に従ったスタイラス‐タイプのコンピュータを示した説明図である。
【Ｆｉｇ．１１ａ】曲面もしくは円筒状（たとえば凸状）のＬＣＤディスプレイを備える本発明の一実施態様に従ったスタイラス‐タイプのコンピュータを示した説明図である。
【Ｆｉｇ．１１ｂ】前記曲面／円筒状ディスプレイの平均的なサイズを示した説明図である。
【Ｆｉｇ．１１ｃ】前記曲面／円筒状ディスプレイの平均的なサイズを示した説明図である。
【Ｆｉｇ．１２】本発明の一実施態様に従った、データを操作し、最終的にはデータを入力するためのボタン・タイプのマウスを備えるスタイラス‐タイプのコンピュータを示した説明図である。
【Ｆｉｇ．１２ａ】本発明の一実施態様に従った前記マウスのペン軸方向の動きおよびポジションを示した説明図である。
【Ｆｉｇ．１２ｂ】本発明の一実施態様に従った前記マウスをペン軸方向にクリックする動き／ポジションを示した説明図である。
【Ｆｉｇ．１２ｃ】本発明の一実施態様に従った各ポジションにおける前記マウスのスタイラス軸周りの回転を示した説明図である。
【Ｆｉｇ．１２ｄ】本発明の一実施態様に従ったマウスをユーザがスタイラス軸と垂直に押すことによって生じる、前記マウスの別の種類の動きを示した側面図である。
【Ｆｉｇ．１２ｅ】マウスの正面図およびそれを押す方向を示した正面図である。
【Ｆｉｇ．１２ｆ】スタイラス‐タイプのコンピュータのディスプレイ上のポインタ／セレクタ手段を操作するためのブル（ｂｕｌｌ）を有するマウスを示した側面図および正面図である。
【Ｆｉｇ．１３ａ】本発明の一実施態様に従ったマウスによってメニュー・リストを選択する方法を示した説明図である。
【Ｆｉｇ．１３ｂ】本発明の一実施態様に従ったマウスによってメニュー・リストを選択する方法を示した説明図である。
【Ｆｉｇ．１３ｃ】本発明の一実施態様に従ったマウスによってメニュー・リストを選択する方法を示した説明図である。
【Ｆｉｇ．１４ａ】本発明の一実施態様に従ったマウス操作によってメニューを選択する方法を示した説明図である。
【Ｆｉｇ．１４ｂ】本発明の一実施態様に従ったマウス操作によってメニューを選択する方法を示した説明図である。
【Ｆｉｇ．１４ｃ】本発明の一実施態様に従ったマウス操作によってメニューを選択する方法を示した説明図である。
【Ｆｉｇ．１４ｄ】本発明の一実施態様に従ったマウス操作によってメニューを選択する方法を示した説明図である。
【Ｆｉｇ．１４ｅ】本発明の一実施態様に従ったマウス操作によってメニューを選択する方法を示した説明図である。
【Ｆｉｇ．１４ｆ】本発明の一実施態様に従ったマウス操作によってメニューを選択する方法を示した説明図である。
【Ｆｉｇ．１５ａ】本発明の一実施態様に従って、マウスを使用してメニュー・バーおよび機能を選択する方法を示した説明図である。
【Ｆｉｇ．１５ｂ】本発明の一実施態様に従って、マウスを使用してメニュー・バーおよび機能を選択する方法を示した説明図である。
【Ｆｉｇ．１５ｃ】本発明の一実施態様に従って、マウスを使用してメニュー・バーおよび機能を選択する方法を示した説明図である。
【Ｆｉｇ．１５ｄ】本発明の一実施態様に従って、マウスを使用してメニュー・バーおよび機能を選択する方法を示した説明図である。
【Ｆｉｇ．１５ｅ】本発明の一実施態様に従って、マウスを使用してメニュー・バーおよび機能を選択する方法を示した説明図である。
【Ｆｉｇ．１５ｆ】本発明の一実施態様に従って、マウスを使用してメニュー・バーおよび機能を選択する方法を示した説明図である。
【Ｆｉｇ．１５ｇ】本発明の一実施態様に従って、マウスを使用してメニュー・バーおよび機能を選択する方法を示した説明図である。
【Ｆｉｇ．１５ｈ】本発明の一実施態様に従って、マウスを使用してメニュー・バーおよび機能を選択する方法を示した説明図である。
【Ｆｉｇ．１６ａ】本発明の一実施態様に従って、マウスを使用してＬＣＤディスプレイ上のテキストを前送りまたは逆送りする方法を示した説明図である。
【Ｆｉｇ．１６ｂ】本発明の一実施態様に従って、マウスを使用してＬＣＤディスプレイ上のテキストを前送りまたは逆送りする方法を示した説明図である。
【Ｆｉｇ．１６ｃ】本発明の一実施態様に従って、マウスを使用してＬＣＤディスプレイ上のテキストを前送りまたは逆送りする方法を示した説明図である。
【Ｆｉｇ．１６ｄ】本発明の一実施態様に従って、マウスを使用してＬＣＤディスプレイ上のテキストを前送りまたは逆送りする方法を示した説明図である。
【Ｆｉｇ．１７ａ】本発明の一実施態様に従って、マウスを使用してテキスト内のカーソルをキャラクタ単位で前送りまたは逆送りする方法を示した説明図である。
【Ｆｉｇ．１７ｂ】本発明の一実施態様に従って、マウスを使用してテキスト内のカーソルをキャラクタ単位で前送りまたは逆送りする方法を示した説明図である。
【Ｆｉｇ．１７ｃ】本発明の一実施態様に従って、マウスを使用してテキスト内のカーソルをキャラクタ単位で前送りまたは逆送りする方法を示した説明図である。
【Ｆｉｇ．１７ｄ】本発明の一実施態様に従って、マウスを使用してテキスト内のカーソルをキャラクタ単位で前送りまたは逆送りする方法を示した説明図である。
【Ｆｉｇ．１７ｅ】本発明の一実施態様に従って、マウスを使用してテキスト内のカーソルをキャラクタ単位で前送りまたは逆送りする方法を示した説明図である。
【Ｆｉｇ．１７ｆ】本発明の一実施態様に従って、マウスを使用してテキスト内のカーソルをキャラクタ単位で前送りまたは逆送りする方法を示した説明図である。
【Ｆｉｇ．１８ａ】本発明の一実施態様に従って、あらかじめ決定済みのポジションにマウスがある場合に、スクリーン上に表示されたドキュメント上のテキスト選択インジケータを移動する方法を示した説明図である。
【Ｆｉｇ．１８ｂ】本発明の一実施態様に従って、あらかじめ決定済みのポジションにマウスがある場合に、スクリーン上に表示されたドキュメント上のテキスト選択インジケータを移動する方法を示した説明図である。
【Ｆｉｇ．１８ｃ】本発明の一実施態様に従って、あらかじめ決定済みのポジションにマウスがある場合に、スクリーン上に表示されたドキュメント上のテキスト選択インジケータを移動する方法を示した説明図である。
【Ｆｉｇ．１８ｄ】本発明の一実施態様に従って、あらかじめ決定済みのポジションにマウスがある場合に、スクリーン上に表示されたドキュメント上のテキスト選択インジケータを移動する方法を示した説明図である。
【Ｆｉｇ．１９ａ】本発明の一実施態様に従ったマウスの使用によりテキストの部分を選択する手順を示した説明図である。
【Ｆｉｇ．１９ｂ】本発明の一実施態様に従ったマウスの使用によりテキストの部分を選択する手順を示した説明図である。
【Ｆｉｇ．１９ｃ】本発明の一実施態様に従ったマウスの使用によりテキストの部分を選択する手順を示した説明図である。
【Ｆｉｇ．１９ｄ】本発明の一実施態様に従ったマウスの使用によりテキストの部分を選択する手順を示した説明図である。
【Ｆｉｇ．１９ｅ】本発明の一実施態様に従ったマウスの使用によりテキストの部分を選択する手順を示した説明図である。
【Ｆｉｇ．２０ａ】本発明の一実施態様に従ったマウスの使用によるコピー手順を示した説明図である。
【Ｆｉｇ．２０ｂ】本発明の一実施態様に従ったマウスの使用によるコピー手順を示した説明図である。
【Ｆｉｇ．２０ｃ】本発明の一実施態様に従ったマウスの使用によるコピー手順を示した説明図である。
【Ｆｉｇ．２０ｄ】本発明の一実施態様に従ったマウスの使用によるコピー手順を示した説明図である。
【Ｆｉｇ．２１ａ】本発明の一実施態様に従ったマウスの使用によるペースト手順を示した説明図である。
【Ｆｉｇ．２１ｂ】本発明の一実施態様に従ったマウスの使用によるペースト手順を示した説明図である。
【Ｆｉｇ．２１ｃ】本発明の一実施態様に従ったマウスの使用によるペースト手順を示した説明図である。
【Ｆｉｇ．２１ｄ】本発明の一実施態様に従ったマウスの使用によるペースト手順を示した説明図である。
【Ｆｉｇ．２１ｅ】本発明の一実施態様に従ったマウスの使用によるペースト手順を示した説明図である。
【Ｆｉｇ．２２ａ】本発明の一実施態様に従ったイレーサの使用により選択したテキストを削除する方法を示した説明図である。
【Ｆｉｇ．２２ｂ】本発明の一実施態様に従ったイレーサの使用により選択したテキストを削除する方法を示した説明図である。
【Ｆｉｇ．２２ｃ】本発明の一実施態様に従ったイレーサの使用により選択したテキストを削除する方法を示した説明図である。
【Ｆｉｇ．２３ａ】本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
【Ｆｉｇ．２３ｂ】本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
【Ｆｉｇ．２３ｃ】本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
【Ｆｉｇ．２３ｄ】本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
【Ｆｉｇ．２３ｅ】本発明の一実施態様に従った、別のあらかじめ決定済みのポジションにマウスがある場合の、マウスを使用するコンピュータの『通常選択』インジケータによるメニュー・バーおよび機能の選択手順を示した説明図である。
【Ｆｉｇ．２４ａ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｂ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｃ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｄ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｅ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｆ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｇ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｈ】本発明の一実施態様に従った、同一のあらかじめ決定済みのポジションにマウスがある場合の、マウスを使用した、スクリーンに表示されているドキュメント上のテキスト選択インジケータを移動する方法、およびコンピュータの『通常選択』インジケータによるメニュー・バーおよび機能の選択手順を示した説明図である。
【Ｆｉｇ．２４ｉ】本発明の一実施態様に従ってマウスをスタイラス軸と垂直に押すことによってテキスト内のカーソルを操作する方法を示した説明図である。
【Ｆｉｇ．２４ｊ】本発明の一実施態様に従ってマウスをスタイラス軸と垂直に押すことによってテキスト内のカーソルを操作する方法を示した説明図である。
【Ｆｉｇ．２４ｋ】本発明の一実施態様に従ってマウスをスタイラス軸と垂直に押すことによってテキスト内のカーソルを操作する方法を示した説明図である。
【Ｆｉｇ．２４ｌ】本発明の一実施態様に従ってマウスをスタイラス軸と垂直に押すことによってテキスト内のカーソルを操作する方法を示した説明図である。
【Ｆｉｇ．２４ｍ】本発明の一実施態様に従ってマウスをスタイラス軸と垂直に押すことによってテキスト内のカーソルを操作する方法を示した説明図である。
【Ｆｉｇ．２４ｎ】本発明の一実施態様に従ってマウスをスタイラス軸と垂直に押すことによってテキスト内のカーソルを操作する方法を示した説明図である。
【Ｆｉｇ．２５】マウスの各種ポジションおよび各ポジションにおけるクリック方向を示した説明図である。
【Ｆｉｇ．２５ａ】１つのあらかじめ決定済みのポジションにあるマウス、およびそのポジションにおけるマウスの動きに割り当てられたテキスト操作手順およびステップを示した説明図である。
【Ｆｉｇ．２５ｂ】別のあらかじめ決定済みのポジションにあるマウス、およびそのポジションにおけるマウスの動きに割り当てられたメニューならびに機能の操作手順およびステップを示した説明図である。
【Ｆｉｇ．２６】スタイラス‐タイプのコンピュータに関して説明したマウス・システムならびにデバイスを、本発明の一実施態様に従って別のタイプのコンピュータの異なる位置に使用する態様を示した説明図である。
【Ｆｉｇ．２６ｂ】スタイラス‐タイプのコンピュータに関して説明したマウス・システムならびにデバイスを、本発明の一実施態様に従って別のタイプのコンピュータの異なる位置に使用する態様を示した説明図である。
【Ｆｉｇ．２６ｃ】スタイラス‐タイプのコンピュータに関して説明したマウス・システムならびにデバイスを、本発明の一実施態様に従って別のタイプのコンピュータの異なる位置に使用する態様を示した説明図である。
【Ｆｉｇ．２６ｄ】伝統的なキーボードに代えて、本発明の筆記表面および入力システムを備えたコンピュータを示した説明図である。
【Ｆｉｇ．２７ａ】本発明の別の実施態様に従ったスタイラス‐タイプのコンピュータ用の押しボタンを示した説明図である。
【Ｆｉｇ．２７ｂ】本発明の一実施態様に従ったスタイラス‐タイプのコンピュータにおける追加の多方向ボタンおよびその機能を示した説明図である。
【Ｆｉｇ．２７ｃ】本発明の一実施態様に従ったスタイラス‐タイプのコンピュータにおける追加の多方向ボタンおよびその機能を示した説明図である。
【Ｆｉｇ．２７ｄ】本発明の一実施態様に従ったスタイラス‐タイプのコンピュータにおける追加の多方向ボタンおよびその機能を示した説明図である。
【Ｆｉｇ．２７ｅ】本発明の一実施態様に従ったスタイラス‐タイプのコンピュータにおける追加の多方向ボタンおよびその機能を示した説明図である。
【Ｆｉｇ．２７ｆ】本発明の一実施態様に従ったスタイラス‐タイプのコンピュータにおける追加の多方向ボタンおよびその機能を示した説明図である。
【Ｆｉｇ．２７ｇ】本発明の別の実施態様に従ったスタイラス‐タイプのコンピュータ用のマルチポジション・クリップ・ボタンを示した説明図である。
【Ｆｉｇ．２７ｈ】本発明の別の実施態様に従ったスタイラス‐タイプのコンピュータ用のマルチポジション・クリップ・ボタンを示した説明図である。
【Ｆｉｇ．２７ｉ】本発明の別の実施態様に従ったスタイラス‐タイプのコンピュータ用のマルチポジション・クリップ・ボタンを示した説明図である。
【Ｆｉｇ．２７ｊ】本発明の別の実施態様に従ったスタイラス‐タイプのコンピュータ用のマルチポジション・クリップ・ボタンを示した説明図である。
【Ｆｉｇ．２７ｋ】本発明の一実施態様に従ったスタイラス・コンピュータの筆記チップの近くに配置されるＦｉｇ．２７ｂ〜２７ｆのクリップ・ボタンを示した説明図である。
【Ｆｉｇ．２７Ｌ】本発明の一実施態様に従ったスタイラス・コンピュータ用の、指向性マイクロフォンおよび／またはアンテナおよび／またはクリップ・ボタンとして使用される、オープン・ポジションにあるマルチセクション／指向性クリップを示した説明図である。
【Ｆｉｇ．２７ｍ】Ｆｉｇ．２７Ｌのマルチセクション・クリップの、各種のオープン・ポジションを示した説明図である。
【Ｆｉｇ．２７ｎ】Ｆｉｇ．２７Ｌのマルチセクション・クリップの、各種のオープン・ポジションを示した説明図である。
【Ｆｉｇ．２８ａ】本発明の一実施態様に従ったディスプレイおよびマウスの使用による追加の入力システムを示した説明図である。
【Ｆｉｇ．２８ｂ】本発明の一実施態様に従ったディスプレイおよびマウスの使用による追加の入力システムを示した説明図である。
【Ｆｉｇ．２８ｃ】本発明の一実施態様に従ったディスプレイおよびマウスの使用による追加の入力システムを示した説明図である。
【Ｆｉｇ．２８ｄ】本発明の一実施態様に従ったディスプレイおよびマウスの使用による追加の入力システムを示した説明図である。
【Ｆｉｇ．２８ｅ】本発明の一実施態様に従ったディスプレイおよびマウスの使用による追加の入力システムを示した説明図である。
【Ｆｉｇ．２９ａ】本発明の一実施態様に従ったスタイラス‐タイプのコンピュータ用のカバーの、ＬＣＤディスプレイ不使用時における保護およびその装着ステップを示した説明図である。
【Ｆｉｇ．２９ｂ】本発明の一実施態様に従ったスタイラス‐タイプのコンピュータ用のカバーの、ＬＣＤディスプレイ不使用時における保護およびその装着ステップを示した説明図である。
【Ｆｉｇ．２９ｃ】本発明の一実施態様に従ったスタイラス‐タイプのコンピュータ用のカバーの、ＬＣＤディスプレイ不使用時における保護およびその装着ステップを示した説明図である。
【Ｆｉｇ．２９ｄ】本発明の一実施態様に従ったスタイラス‐タイプのコンピュータ用のカバーの、ＬＣＤディスプレイ不使用時における保護およびその装着ステップを示した説明図である。
【Ｆｉｇ．２９ｅ】電話およびテレコミュニケーション機器として使用するときのスタイラス‐タイプのコンピュータを示した説明図である。
【Ｆｉｇ．２９ｆ】電話およびテレコミュニケーション機器として使用するときのスタイラス‐タイプのコンピュータを示した説明図である。
【Ｆｉｇ．２９ｇ】電話およびテレコミュニケーション機器として使用するときのスタイラス‐タイプのコンピュータを示した説明図である。
【Ｆｉｇ．３０ａ】本発明の一実施態様に従ったスタイラス‐タイプのコンピュータを示した説明図である。
【Ｆｉｇ．３１】本発明の一実施態様に従った別のナビゲーション・ボタンを備えるスタイラス‐タイプのコンピュータを示した説明図である。
【Ｆｉｇ．３１ａ】本発明の一実施態様に従ったカーソル・ナビゲーション・ボタンを示した説明図である。
【Ｆｉｇ．３１ｂ】本発明の一実施態様に従った前記ボタンの操作による画面上のカーソルのナビゲーションを示した説明図である。
【Ｆｉｇ．３１ｃ】本発明の一実施態様に従った前記ボタンの操作による画面上のカーソルのナビゲーションを示した説明図である。
【Ｆｉｇ．３１ｄ】本発明の一実施態様に従った前記ボタンの操作による画面上のカーソルのナビゲーションを示した説明図である。
【Ｆｉｇ．３１ｅ】本発明の一実施態様に従った前記ボタンの操作による画面上のカーソルのナビゲーションを示した説明図である。
【Ｆｉｇ．３１ｆ】本発明の一実施態様に従った前記ボタンの操作による画面上のカーソルのナビゲーションを示した説明図である。
【Ｆｉｇ．３２ａ】本発明の一実施態様に従ったメニュー・ナビゲーション・ボタンおよびその操作を示した説明図である。
【Ｆｉｇ．３２ｂ】本発明の一実施態様に従ったメニュー・ナビゲーション・ボタンおよびその操作を示した説明図である。
【Ｆｉｇ．３２ｃ】本発明の一実施態様に従ったメニュー・ナビゲーション・ボタンおよびその操作を示した説明図である。
【Ｆｉｇ．３２ｄ】本発明の一実施態様に従ったメニュー・ナビゲーション・ボタンおよびその操作を示した説明図である。
【Ｆｉｇ．３２ｅ】本発明の一実施態様に従ったメニュー・ナビゲーション・ボタンおよびその操作を示した説明図である。
【Ｆｉｇ．３２ｆ】本発明の一実施態様に従ったメニュー・ナビゲーション・ボタンおよびその操作を示した説明図である。
【Ｆｉｇ．３３ａ】本発明の一実施態様に従った筆記表面およびその上における筆記の間にペンによって生成されるサウンドを入力するためのマイクロフォンを備えたモバイル電話を示した説明図である。
【Ｆｉｇ．３３ｂ】本発明の一実施態様に従ったディスプレイ、筆記表面およびその上における筆記の間にペンによって生成されるサウンドを入力するためのマイクロフォンを備えた、電話もしくはＰＤＡ等の電子デバイスと組み合わされる腕時計等の手首に装着されるデバイスを示した説明図である。
【Ｆｉｇ．３３ｃ】本発明の一実施態様に従ったディスプレイ、筆記表面およびその上における筆記の間にペンによって生成されるサウンドを入力するためのマイクロフォンを備えた、電話もしくはＰＤＡ等の電子デバイスと組み合わされる腕時計等の手首に装着されるデバイスを示した説明図である。
【Ｆｉｇ．３３ｄ】本発明の一実施態様に従ったディスプレイおよびその上における筆記の間にペンによって生成されるサウンドを入力するためのマイクロフォンを備えた、電話もしくはＰＤＡ等の電子デバイスと組み合わされる腕時計等の手首に装着されるデバイスを示した説明図である
【Ｆｉｇ．３３ｅ】本発明の一実施態様に従った少なくともディスプレイを備え、また、最終的には、筆記の間にペンによって生成されるサウンドを入力するためのマイクロフォンを備える各種の電子デバイスを示した説明図である。
【Ｆｉｇ．３３ｆ】フル‐テキストおよび機能の入力を可能にする本発明の手書きサウンド認識システムが結合される改善されたキーボードを示した説明図である。
【Ｆｉｇ．３３ｇ】フル‐テキストおよび機能の入力を可能にする本発明の手書きサウンド認識システムが結合される改善されたキーボードを示した説明図である。
【Ｆｉｇ．３４ａ】本発明の一実施態様に従った、ビーコンからペン先のポジションを決定する手段を備えたスタイラス‐タイプのコンピュータを示した説明図である。
【Ｆｉｇ．３４ｂ】本発明の一実施態様に従ってビーコンとして使用されるＦｉｇ．２９ａのスタイラス‐タイプのコンピュータのカバーを示した説明図である。
【Ｆｉｇ．３５】本発明の一実施態様に従ってスタイラス‐タイプのコンピュータによるノートパッド上のピン・ポジションの決定を可能にする水平ビーコンを備えたノートパッドを示した説明図である。
【Ｆｉｇ．３６】ノートパッド上の位置を示す水平および垂直のバーコードを有するノートパッドを示した説明図である。
【Ｆｉｇ．３７】筆記表面上の位置を示す番号、記号、または色を有する筆記表面を示した説明図である。
【Ｆｉｇ．３８】筆記表面およびその表面上に位置を示す記号を投影するプロジェクタを示した説明図である。
【図１ａ】
2004517398.tif 000003
【図１ｂ】
2004517398.tif 000004
【図２ａ】
2004517398.tif 000005
【図２ｂ】
2004517398.tif 000006
【図３ａ】
2004517398.tif 000007
【図３ｂ】
2004517398.tif 000008
【図３ｃ】
2004517398.tif 000009
【図３ｄ】
2004517398.tif 000010
【図４ａ】
2004517398.tif 000011
【図４ｂ】
2004517398.tif 000012
【図４ｃ】
2004517398.tif 000013
【図４ｄ】
2004517398.tif 000014
【図４ｅ】
2004517398.tif 000015
【図４ｆ】
2004517398.tif 000016
【図４ｇ】
2004517398.tif 000017
【図５ａ】
2004517398.tif 000018
【図５ｂ】
2004517398.tif 000019
【図５ｃ】
2004517398.tif 000020
【図６】
2004517398.tif 000021
【図６ａ】
2004517398.tif 000022
【図６ｂ】
2004517398.tif 000023
【図６ｃ】
2004517398.tif 000024
【図６ｄ】
2004517398.tif 000025
【図６ｅ】
2004517398.tif 000026
【図６ｆ】
2004517398.tif 000027
【図６ｇ】
2004517398.tif 000028
【図６ｈ】
2004517398.tif 000029
【図６ｉ】
2004517398.tif 000030
【図６ｊ】
2004517398.tif 000031
【図６ｋ】
2004517398.tif 000032
【図７】
2004517398.tif 000033
【図７ａ】
2004517398.tif 000034
【図７ｂ】
2004517398.tif 000035
【図７ｃ】
2004517398.tif 000036
【図７ｄ】
2004517398.tif 000037
【図７ｅ】
2004517398.tif 000038
【図７ｆ】
2004517398.tif 000039
【図８ａ】
2004517398.tif 000040
【図８ｂ】
2004517398.tif 000041
【図８ｃ】
2004517398.tif 000042
【図８ｄ】
2004517398.tif 000043
【図９ａ】
2004517398.tif 000044
【図９ｂ】
2004517398.tif 000045
【図９ｃ】
2004517398.tif 000046
【図１０ａ】
2004517398.tif 000047
【図１０ｂ】
2004517398.tif 000048
【図１１】
2004517398.tif 000049
【図１１ａ】
2004517398.tif 000050
【図１１ｂ】
2004517398.tif 000051
【図１１ｃ】
2004517398.tif 000052
【図１２】
2004517398.tif 000053
【図１２ａ】
2004517398.tif 000054
【図１２ｂ】
2004517398.tif 000055
【図１２ｃ】
2004517398.tif 000056
【図１２ｄ】
2004517398.tif 000057
【図１２ｅ】
2004517398.tif 000058
【図１２ｆ】
2004517398.tif 000059
【図１３ａ】
2004517398.tif 000060
【図１３ｂ】
2004517398.tif 000061
【図１３ｃ】
2004517398.tif 000062
【図１４ａ】
2004517398.tif 000063
【図１４ｂ】
2004517398.tif 000064
【図１４ｃ】
2004517398.tif 000065
【図１４ｄ】
2004517398.tif 000066
【図１４ｅ】
2004517398.tif 000067
【図１４ｆ】
2004517398.tif 000068
【図１５ａ】
2004517398.tif 000069
【図１５ｂ】
2004517398.tif 000070
【図１５ｃ】
2004517398.tif 000071
【図１５ｄ】
2004517398.tif 000072
【図１５ｅ】
2004517398.tif 000073
【図１５ｆ】
2004517398.tif 000074
【図１５ｇ】
2004517398.tif 000075
【図１５ｈ】
2004517398.tif 000076
【図１６ａ】
2004517398.tif 000077
【図１６ｂ】
2004517398.tif 000078
【図１６ｃ】
2004517398.tif 000079
【図１６ｄ】
2004517398.tif 000080
【図１７ａ】
2004517398.tif 000081
【図１７ｂ】
2004517398.tif 000082
【図１７ｃ】
2004517398.tif 000083
【図１７ｄ】
2004517398.tif 000084
【図１７ｅ】
2004517398.tif 000085
【図１７ｆ】
2004517398.tif 000086
【図１８ａ】
2004517398.tif 000087
【図１８ｂ】
2004517398.tif 000088
【図１８ｃ】
2004517398.tif 000089
【図１８ｄ】
2004517398.tif 000090
【図１９ａ】
2004517398.tif 000091
【図１９ｂ】
2004517398.tif 000092
【図１９ｃ】
2004517398.tif 000093
【図１９ｄ】
2004517398.tif 000094
【図１９ｅ】
2004517398.tif 000095
【図２０ａ】
2004517398.tif 000096
【図２０ｂ】
2004517398.tif 000097
【図２０ｃ】
2004517398.tif 000098
【図２０ｄ】
2004517398.tif 000099
【図２１ａ】
2004517398.tif 000100
【図２１ｂ】
2004517398.tif 000101
【図２１ｃ】
2004517398.tif 000102
【図２１ｄ】
2004517398.tif 000103
【図２１ｅ】
2004517398.tif 000104
【図２２ａ】
2004517398.tif 000105
【図２２ｂ】
2004517398.tif 000106
【図２２ｃ】
2004517398.tif 000107
【図２３ａ】
2004517398.tif 000108
【図２３ｂ】
2004517398.tif 000109
【図２３ｃ】
2004517398.tif 000110
【図２３ｄ】
2004517398.tif 000111
【図２３ｅ】
2004517398.tif 000112
【図２４ａ】
2004517398.tif 000113
【図２４ｂ】
2004517398.tif 000114
【図２４ｃ】
2004517398.tif 000115
【図２４ｄ】
2004517398.tif 000116
【図２４ｅ】
2004517398.tif 000117
【図２４ｆ】
2004517398.tif 000118
【図２４ｇ】
2004517398.tif 000119
【図２４ｈ】
2004517398.tif 000120
【図２４ｉ】
2004517398.tif 000121
【図２４ｊ】
2004517398.tif 000122
【図２４ｋ】
2004517398.tif 000123
【図２４ｌ】
2004517398.tif 000124
【図２４ｍ】
2004517398.tif 000125
【図２４ｎ】
2004517398.tif 000126
【図２５】
2004517398.tif 000127
【図２５ａ】
2004517398.tif 000128
【図２５ｂ】
2004517398.tif 000129
【図２６】
2004517398.tif 000130
【図２６ｂ】
2004517398.tif 000131
【図２６ｃ】
2004517398.tif 000132
【図２６ｄ】
2004517398.tif 000133
【図２７ａ】
2004517398.tif 000134
【図２７ｂ】
2004517398.tif 000135
【図２７ｃ】
2004517398.tif 000136
【図２７ｄ】
2004517398.tif 000137
【図２７ｅ】
2004517398.tif 000138
【図２７ｆ】
2004517398.tif 000139
【図２７ｇ】
2004517398.tif 000140
【図２７ｈ】
2004517398.tif 000141
【図２７ｉ】
2004517398.tif 000142
【図２７ｊ】
2004517398.tif 000143
【図２７ｋ】
2004517398.tif 000144
【図２７Ｌ】
2004517398.tif 000145
【図２７ｍ】
2004517398.tif 000146
【図２７ｎ】
2004517398.tif 000147
【図２８ａ】
2004517398.tif 000148
【図２８ｂ】
2004517398.tif 000149
【図２８ｃ】
2004517398.tif 000150
【図２８ｄ】
2004517398.tif 000151
【図２８ｅ】
2004517398.tif 000152
【図２９ａ】
2004517398.tif 000153
【図２９ｂ】
2004517398.tif 000154
【図２９ｃ】
2004517398.tif 000155
【図２９ｄ】
2004517398.tif 000156
【図２９ｅ】
2004517398.tif 000157
【図２９ｆ】
2004517398.tif 000158
【図２９ｇ】
2004517398.tif 000159
【図３０ａ】
2004517398.tif 000160
【図３１】
2004517398.tif 000161
【図３１ａ】
2004517398.tif 000162
【図３１ｂ】
2004517398.tif 000163
【図３１ｃ】
2004517398.tif 000164
【図３１ｄ】
2004517398.tif 000165
【図３１ｅ】
2004517398.tif 000166
【図３１ｆ】
2004517398.tif 000167
【図３２ａ】
2004517398.tif 000168
【図３２ｂ】
2004517398.tif 000169
【図３２ｃ】
2004517398.tif 000170
【図３２ｄ】
2004517398.tif 000171
【図３２ｅ】
2004517398.tif 000172
【図３２ｆ】
2004517398.tif 000173
【図３３ａ】
2004517398.tif 000174
【図３３ｂ】
2004517398.tif 000175
【図３３ｃ】
2004517398.tif 000176
【図３３ｄ】
2004517398.tif 000177
【図３３ｅ】
2004517398.tif 000178
【図３３ｆ】
2004517398.tif 000179
【図３３ｇ】
2004517398.tif 000180
【図３４ａ】
2004517398.tif 000181
【図３４ｂ】
2004517398.tif 000182
【図３５】
2004517398.tif 000183
【図３６】
2004517398.tif 000184
【図３７】
2004517398.tif 000185
【図３８】
2004517398.tif 000186
【国際公開パンフレット】
2004517398.tif 000187
2004517398.tif 000188
2004517398.tif 000189
2004517398.tif 000190
2004517398.tif 000191
2004517398.tif 000192
2004517398.tif 000193
2004517398.tif 000194
2004517398.tif 000195
2004517398.tif 000196
2004517398.tif 000197
2004517398.tif 000198
2004517398.tif 000199
2004517398.tif 000200
2004517398.tif 000201
2004517398.tif 000202
2004517398.tif 000203
2004517398.tif 000204
2004517398.tif 000205
2004517398.tif 000206
2004517398.tif 000207
2004517398.tif 000208
2004517398.tif 000209
2004517398.tif 000210
2004517398.tif 000211
2004517398.tif 000212
2004517398.tif 000213
2004517398.tif 000214
2004517398.tif 000215
2004517398.tif 000216
2004517398.tif 000217
2004517398.tif 000218
2004517398.tif 000219
2004517398.tif 000220
2004517398.tif 000221
2004517398.tif 000222
2004517398.tif 000223
2004517398.tif 000224
2004517398.tif 000225
2004517398.tif 000226
2004517398.tif 000227
2004517398.tif 000228
2004517398.tif 000229
2004517398.tif 000230
2004517398.tif 000231
2004517398.tif 000232
2004517398.tif 000233
2004517398.tif 000234
2004517398.tif 000235
2004517398.tif 000236
2004517398.tif 000237
2004517398.tif 000238
2004517398.tif 000239
2004517398.tif 000240
2004517398.tif 000241
2004517398.tif 000242
2004517398.tif 000243
2004517398.tif 000244
2004517398.tif 000245
2004517398.tif 000246
2004517398.tif 000247
2004517398.tif 000248
2004517398.tif 000249
2004517398.tif 000250
2004517398.tif 000251
2004517398.tif 000252
2004517398.tif 000253
2004517398.tif 000254
2004517398.tif 000255
2004517398.tif 000256
2004517398.tif 000257
2004517398.tif 000258
2004517398.tif 000259
2004517398.tif 000260
2004517398.tif 000261
2004517398.tif 000262
2004517398.tif 000263
2004517398.tif 000264
2004517398.tif 000265
2004517398.tif 000266
2004517398.tif 000267
2004517398.tif 000268
2004517398.tif 000269
2004517398.tif 000270
2004517398.tif 000271
2004517398.tif 000272
2004517398.tif 000273
2004517398.tif 000274
2004517398.tif 000275
2004517398.tif 000276
2004517398.tif 000277
2004517398.tif 000278
2004517398.tif 000279
2004517398.tif 000280
2004517398.tif 000281
2004517398.tif 000282
2004517398.tif 000283
2004517398.tif 000284
2004517398.tif 000285
2004517398.tif 000286
2004517398.tif 000287
2004517398.tif 000288
2004517398.tif 000289
2004517398.tif 000290
2004517398.tif 000291
2004517398.tif 000292
2004517398.tif 000293
2004517398.tif 000294
2004517398.tif 000295
2004517398.tif 000296
2004517398.tif 000297
2004517398.tif 000298
2004517398.tif 000299
2004517398.tif 000300
2004517398.tif 000301
2004517398.tif 000302
2004517398.tif 000303
2004517398.tif 000304
2004517398.tif 000305
2004517398.tif 000306
2004517398.tif 000307
2004517398.tif 000308
2004517398.tif 000309
2004517398.tif 000310
2004517398.tif 000311
2004517398.tif 000312
2004517398.tif 000313
2004517398.tif 000314
2004517398.tif 000315
2004517398.tif 000316
2004517398.tif 000317
2004517398.tif 000318
2004517398.tif 000319
2004517398.tif 000320
2004517398.tif 000321
2004517398.tif 000322
2004517398.tif 000323
2004517398.tif 000324
2004517398.tif 000325
2004517398.tif 000326
2004517398.tif 000327
2004517398.tif 000328
2004517398.tif 000329
2004517398.tif 000330
2004517398.tif 000331
2004517398.tif 000332
2004517398.tif 000333
2004517398.tif 000334
2004517398.tif 000335
2004517398.tif 000336
2004517398.tif 000337
2004517398.tif 000338
2004517398.tif 000339
2004517398.tif 000340
2004517398.tif 000341
2004517398.tif 000342
2004517398.tif 000343
2004517398.tif 000344
2004517398.tif 000345
2004517398.tif 000346
2004517398.tif 000347
2004517398.tif 000348
2004517398.tif 000349
2004517398.tif 000350
2004517398.tif 000351
2004517398.tif 000352
2004517398.tif 000353
【国際公開パンフレット（コレクトバージョン）】
2004517398.tif 000354
2004517398.tif 000355
【国際調査報告】
2004517398.tif 000356